(57)【特許請求の範囲】
【請求項１】
複数のセルグループを用いて基地局装置と通信を行う移動局装置であって、
前記セルグループのそれぞれは１つ以上のセルから構成されると共にプライマリセル（ＰＣｅｌｌ）を含むプライマリグループか、前記プライマリセルを含まない非プライマリグループであり、
前記移動局装置は、前記プライマリグループにおけるセカンダリセル（ＳＣｅｌｌ）のパス・ロス測定の際に参照されるパス・ロス基準のセルとして、前記プライマリセルまたは前記セカンダリセルを適用し、
前記非プライマリグループにおけるセカンダリセルのためのパス・ロス基準のセルとして前記プライマリセルではないセルを適用することを特徴とする移動局装置。
【請求項２】
複数のセルグループを用いて基地局装置と通信を行う移動局装置における処理方法であって、
前記セルグループのそれぞれは１つ以上のセルから構成されると共に、プライマリセル（ＰＣｅｌｌ）を含むプライマリグループか、前記プライマリセルを含まない非プライマリグループであり、
前記移動局装置は、前記プライマリグループにおけるセカンダリセル（ＳＣｅｌｌ）のパス・ロス測定の際に参照されるパス・ロス基準のセルとして、前記プライマリセルまたは前記セカンダリセルを適用し、前記非プライマリグループにおけるセカンダリセルのためのパス・ロス基準のセルとして前記プライマリセルではないセルを適用する、ことを特徴とする処理方法。
【請求項３】
複数のセルグループを用いて基地局装置と通信を行う移動局装置における集積回路であって、
前記セルグループのそれぞれは１つ以上のセルから構成されると共に、プライマリセル（ＰＣｅｌｌ）を含むプライマリグループか、前記プライマリセルを含まない非プライマリグループであり、
前記プライマリグループにおけるセカンダリセル（ＳＣｅｌｌ）のパス・ロス測定の際に参照されるパス・ロス基準のセルとして、前記プライマリセルまたは前記セカンダリセルを適用し、前記非プライマリグループにおけるセカンダリセルのためのパス・ロス基準のセルとして前記プライマリセルではないセルを適用する、ことを特徴とする集積回路。
【発明の詳細な説明】
【技術分野】
【０００１】
本開示は、一般に通信システムに関する。より具体的に、本開示は、マルチグループ通信のためのデバイスに関する。
【背景技術】
【０００２】
ワイヤレス通信デバイスは、消費者ニーズを満たし、かつ可搬性と便利さとを改善するために、より小さく、より強力になった。消費者は、ワイヤレス通信デバイスに依存するようになり、高信頼性のサービス、受信可能エリアの拡大、および機能性の増加を期待するようになった。ワイヤレス通信システムは、多くのワイヤレス通信デバイスに通信を提供でき、デバイスのそれぞれが基地局によるサービスを享受できる。基地局は、ワイヤレス通信デバイスと通信する固定局とすることができる。
【０００３】
ワイヤレス通信デバイスが進歩するにつれて、通信容量、速度および／または品質の向上が求められてきた。しかしながら、通信容量、速度および／または品質の向上は、リソースの増加を必要としうる。
【０００４】
例えば、ワイヤレス通信デバイスは、複数のチャネルまたはセルを使用して１つ以上のデバイスと通信できる。しかしながら、複数のチャネルまたはセルを使用して１つ以上のデバイスと通信することがいくつかの課題を提起することもある。本記載で説明されるように、複数のチャネルまたはセルを使用した通信を有効にする、あるいは改良するシステムおよび方法が有益でありうる。
【発明の概要】
【課題を解決するための手段】
【０００５】
本発明の一実施形態は、マルチグループ通信用に構成されたユーザ機器（ＵＥ：ｕｓｅｒ  ｅｑｕｉｐｍｅｎｔ）を開示し、このユーザ機器は、プロセッサ；プロセッサと電子通信状態にあるメモリ；メモリに記憶された命令を備え、この命令は、複数のセルを検出する；１つ以上のセルの複数のグループを使用する；および各グループが同じタイミングを有するように各グループの１つ以上のセルの上りリンク送信タイミングを調整するために実行可能であり、複数のグループは、ＰＣｅｌｌを含むプライマリセル（ＰＣｅｌｌ：ｐｒｉｍａｒｙ  ｃｅｌｌ）グループとＰＣｅｌｌを含まない１つ以上の非プライマリ（非ＰＣｅｌｌ）グループからなる。
【０００６】
本発明の前述および他の目的、特徴、および利点は、本発明の以下の詳細な記載を添付図面と併せて考察すると、より容易に理解されるであろう。
【図面の簡単な説明】
【０００７】
【図１】マルチグループ通信のためのシステムおよび方法を実装できる、ユーザ機器（ＵＥ）および１つ以上のｅｖｏｌｖｅｄ  Ｎｏｄｅ  Ｂ（ｅＮＢ）の一構成を示すブロックダイアグラムである。
【図２】ユーザ機器（ＵＥ）上でマルチグループ通信を行うための方法の一構成を示すフローダイアグラムである。
【図３】本明細書に開示されるシステムおよび方法に従って使用できる、ユーザ機器（ＵＥ）マルチグループ・オペレーションズ・モジュールの一構成を示すブロックダイアグラムである。
【図４】ユーザ機器（ＵＥ）上でマルチグループ通信を行うための方法のより具体的な構成を示すフローダイアグラムである。
【図５】本明細書に開示されるシステムおよび方法に従って使用できる、ユーザ機器（ＵＥ）マルチグループ・オペレーションズ・モジュールの別の構成を示すブロックダイアグラムである。
【図６】ｅｖｏｌｖｅｄ  Ｎｏｄｅ  Ｂ（ｅＮＢ）上でマルチグループ通信を行うための方法の一構成を示すフローダイアグラムである。
【図７】ｅｖｏｌｖｅｄ  Ｎｏｄｅ  Ｂ（ｅＮＢ）上のマルチグループ通信を可能にするために使用できる、ｅＮＢグループ・オペレーションズ・モジュールの一構成を示すブロックダイアグラムである。
【図８】上りリンク送信タイミングの一例を示すダイアグラムである。
【図９】上りリンク送信タイミングの別の例を示すダイアグラムである。
【図１０】配備シナリオの一例を示すブロックダイアグラムである。
【図１１】配備シナリオの別の例を示すブロックダイアグラムである。
【図１２】複数のセル・グループでの上りリンク送信タイミングの一例を示すダイアグラムである。
【図１３】ランダムアクセスレスポンスにおける上りリンク送信タイミング調整の一例を示すダイアグラムである。
【図１４】タイミングアドバンスコマンド媒体アクセス制御（ＭＡＣ：ｍｅｄｉａ  ａｃｃｅｓｓ  ｃｏｎｔｒｏｌ）制御要素からの上りリンク送信タイミング調整の一例を示すダイアグラムである。
【図１５】複数のグループにおける共通空間モニタリングの一例を示すダイアグラムである。
【図１６】ユーザ機器（ＵＥ）で利用できる様々なコンポーネントを示す。
【図１７】ｅｖｏｌｖｅｄ  Ｎｏｄｅ  Ｂ（ｅＮＢ）で利用できる様々なコンポーネントを示す。
【発明を実施するための形態】
【０００８】
マルチグループ通信用に構成されたユーザ機器（ＵＥ）が開示される。ＵＥは、プロセッサ、およびプロセッサと電子通信状態にあるメモリに記憶された命令を含む。ＵＥは、複数のセルを検出する。ＵＥは、さらに、１つ以上のセルの複数のグループを使用することを判定する。ＵＥは、さらにＵＥ固有の無線リソース管理（ＲＲＣ：ｒａｄｉｏ  ｒｅｓｏｕｒｃｅ  ｃｏｎｔｒｏｌ）シグナリングに基づいて、非プライマリセル（非ＰＣｅｌｌ）グループのためのプライマリ・セカンダリセル（ＰＳＣｅｌｌ：ｐｒｉｍａｒｙ  ｓｅｃｏｎｄａｒｙ  ｃｅｌｌ）を決定する。加えて、ＵＥは、複数のグループを使用して情報を受信する。ＲＲＣシグナリングに基づいてＰＳＣｅｌｌを決定することは、ＰＳＣｅｌｌを明示的に識別するメッセージを受信することを含みうる。ＲＲＣシグナリングに基づいてＰＳＣｅｌｌを決定することは、ランダムアクセスチャネル（ＲＡＣＨ：ｒａｎｄｏｍ  ａｃｃｅｓｓ  ｃｈａｎｎｅｌ）をもつＳＣｅｌｌ（ｓｅｃｏｎｄａｒｙ  ｃｅｌｌ：セカンダリセル）、グループ構成における最下位のＳＣｅｌｌまたは上りリンク・タイミングのための基準セルに基づいて、ＰＳＣｅｌｌを決定することを含みうる。
【０００９】
ＵＥは、１つ以上の非ＰＣｅｌｌグループのための物理上りリンク制御チャネル（ＰＵＣＣＨ：ｐｈｙｓｉｃａｌ  ｕｐｌｉｎｋ  ｃｏｎｔｒｏｌ  ｃｈａｎｎｅｌ）を構成することもできる。加えて、ＵＥは、非ＰＣｅｌｌグループのためのタイミングを調整すべきかどうかを判定できて、非ＰＣｅｌｌグループのためのタイミングを調整すると判定した場合、非ＰＣｅｌｌグループのためのタイミングを調整するためにタイミングアドバンスコマンドを使用できる。
【００１０】
ＵＥは、さらに非ＰＣｅｌｌグループにおける基準セルを指定するパス・ロス・パラメータが受信されたかどうかを判定できる。そのうえ、ＵＥは、非ＰＣｅｌｌグループにおける基準セルを指定するパス・ロス・パラメータが受信された場合、基準セルに基づいてパス・ロスを決定でき、非ＰＣｅｌｌグループにおける基準セルを指定するパス・ロス・パラメータが受信された場合、非ＰＣｅｌｌグループに関するパス・ロス・インジケータを送信できる。
【００１１】
ＵＥは、複数の上りリンク・タイムアラインメントの能力を指示する情報を送信することもできる。加えて、ＵＥは、各グループのための共通検索空間をモニターできる。ＵＥは、さらに、非ＰＣｅｌｌグループに対する肯定応答または否定応答（ＡＣＫ／ＮＡＣＫ：ａｃｋｎｏｗｌｅｄｇｅｍｅｎｔ／ｎｅｇａｔｉｖｅ  ａｃｋｎｏｗｌｅｄｇｅｍｅｎｔ）を送信できる。
【００１２】
マルチグループ通信用に構成されたｅｖｏｌｖｅｄ  Ｎｏｄｅ  Ｂ（ｅＮＢ）も開示される。ｅＮＢは、プロセッサ、およびプロセッサと電子通信状態にあるメモリに記憶された命令を含む。ｅＮＢは、非プライマリセル（ＰＣｅｌｌ）グループのためのプライマリ・セカンダリセル（ＰＳＣｅｌｌ）を指示する無線リソース管理（ＲＲＣ）シグナリングを送信する。ｅＮＢは、さらに、非ＰＣｅｌｌグループを使用して情報を送信する。
【００１３】
ｅＮＢは、１つ以上の非ＰＣｅｌｌグループのために物理上りリンク制御チャネル（ＰＵＣＣＨ）を割り当てることもできる。加えて、ｅＮＢは、ユーザ機器（ＵＥ）の複数の上りリンク・タイムアラインメントの能力を指示する情報を受信できる。ｅＮＢは、非ＰＣｅｌｌグループのためのタイミングを調節すべきかどうかを判定することもでき、非ＰＣｅｌｌグループのためのタイミングを調節すると判定した場合、非ＰＣｅｌｌグループのためのタイミングアドバンスコマンドを送信できる。ｅＮＢは、１つ以上の非ＰＣｅｌｌグループのためのパス・ロス・パラメータを送信し、かつパス・ロス・インジケータを受信することもできる。加えて、ｅＮＢは、１つ以上の肯定応答または否定応答（ＡＣＫ／ＮＡＣＫ）をＰＳＣｅｌｌ上で受信できる。
【００１４】
ＰＳＣｅｌｌを指示するＲＲＣシグナリングは、ＰＳＣｅｌｌを明示的に識別するメッセージを含むことができる。ＲＲＣシグナリングは、ランダムアクセスチャネル（ＲＡＣＨ）をもつＳＣｅｌｌ、グループ構成における最下位のＳＣｅｌｌおよび上りリンク・タイミングのための基準セルであるＳＣｅｌｌからなるグループから選択された１つに基づいて、ＰＳＣｅｌｌを指示できる。
【００１５】
ユーザ機器（ＵＥ）上のマルチグループ通信のための方法も開示される。本方法は、複数のセルを検出することを含む。本方法は、１つ以上のセルの複数のグループを使用すると判定することも含む。加えて、本方法は、ＵＥ固有の無線リソース管理（ＲＲＣ）シグナリングに基づいて、非プライマリセル（非ＰＣｅｌｌ）グループのためのプライマリ・セカンダリセル（ＰＳＣｅｌｌ）を決定することを含む。本方法は、複数のグループを使用して情報を受信することをさらに含む。
【００１６】
ｅｖｏｌｖｅｄ  Ｎｏｄｅ  Ｂ（ｅＮＢ）上のマルチグループ通信のための方法も開示される。本方法は、非プライマリセル（ＰＣｅｌｌ）グループのためのプライマリ・セカンダリセル（ＰＳＣｅｌｌ）を指示する無線リソース管理（ＲＲＣ）シグナリングを送信することを含む。本方法は、非ＰＣｅｌｌグループを使用して情報を送信することも含む。
【００１７】
「３ＧＰＰ」とも呼ばれる第３世代パートナーシップ・プロジェクトは、第３および第４世代ワイヤレス通信システムのための世界的に適用可能な技術仕様および技術レポートを定義することを目指した連携合意である。３ＧＰＰは、次世代モバイルネットワーク、システムおよびデバイスのための仕様を定義できる。
【００１８】
３ＧＰＰロングタームエボリューション（ＬＴＥ：Ｌｏｎｇ  Ｔｅｒｍ  Ｅｖｏｌｕｔｉｏｎ）は、将来の要求に対処するために、ユニバーサル・モバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のモバイルフォンまたはデバイス規格を改善するためのプロジェクトに与えられた名称である。一様態において、進化型ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）および進化型ユニバーサル地上無線アクセスネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のためのサポートおよび仕様を規定するために、ＵＭＴＳが修正された。
【００１９】
本明細書に開示されるシステムおよび方法の少なくともいくつかの様態は、３ＧＰＰ  ＬＴＥおよびＬＴＥ−Ａｄｖａｎｃｅｄ（ＬＴＥ−Ａ）規格（例えば、リリース８およびリリース１０）に関して記載されうる。しかしながら、この点について本開示の範囲は限定されない。本明細書に開示されるシステムおよび方法の少なくともいくつかの様態は、他のタイプのワイヤレス通信システムに利用できる。
【００２０】
ワイヤレス通信デバイスは、音声および／またはデータを基地局へ通信するために使用され、次には基地局がデバイスのネットワーク（例えば、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、インターネットなど）と通信できる、電子デバイスとすることができる。本明細書にシステムおよび方法を記載する際に、ワイヤレス通信デバイスは、代わりに移動局、ユーザ機器（ＵＥ）、アクセス端末、加入者局、移動端末、遠隔局、ユーザ端末、端末、加入者ユニット、モバイルデバイスなどと呼ぶこともできる。ワイヤレス通信デバイスの例は、セルラーフォン、スマートフォン、パーソナル・ディジタル・アシスタント（ＰＤＡ：ｐｅｒｓｏｎａｌ  ｄｉｇｉｔａｌ  ａｓｓｉｓｔａｎｔ）、ラップトップコンピュータ、ネットブック、電子書籍リーダ、ワイヤレス・モデムなどを含む。３ＧＰＰ仕様ではワイヤレス通信デバイスが典型的にユーザ機器（ＵＥ）と呼ばれる。しかしながら、本開示の範囲は、３ＧＰＰ規格に限定されるべきではないので、本明細書では、より一般的な用語「ワイヤレス通信デバイス」を意味するために用語「ＵＥ」および「ワイヤレス通信デバイス」が同義で使用されうる。
【００２１】
３ＧＰＰ仕様書では、基地局は、典型的にＮｏｄｅ  Ｂ、ｅｖｏｌｖｅｄまたはｅｎｈａｎｃｅｄ  Ｎｏｄｅ  Ｂ（ｅＮＢ）、ｈｏｍｅ  ｅｎｈａｎｃｅｄまたはｅｖｏｌｖｅｄ  Ｎｏｄｅ  Ｂ（ＨｅＮＢ）、あるいはいくつかの他の同様の用語法で呼ばれる。本開示の範囲は、３ＧＰＰ規格に限定されるべきではないので、本明細書では、より一般的な用語「基地局」を意味するために、用語「基地局」、「Ｎｏｄｅ  Ｂ」、「ｅＮＢ」、および「ＨｅＮＢ」が同義で使用されうる。そのうえ、用語「基地局」は、アクセスポイントを示すために使用されうる。アクセスポイントは、ワイヤレス通信デバイスのためにネットワーク（例えば、ローカルエリアネットワーク（ＬＡＮ：Ｌｏｃａｌ  Ａｒｅａ  Ｎｅｔｗｏｒｋ）、インターネットなど）へのアクセスを提供する電子デバイスとすることができる。用語「通信デバイス」は、ワイヤレス通信デバイスおよび／または基地局の両方を示すために使用されうる。
【００２２】
用語「同期された」およびその変形は、本明細書では、２つ以上の事象が、重なったタイムフレーム内に生じる状況を示すために使用できる。言い換えれば、２つの「同期された」事象は、時間がある程度重なりうるが、必ずしも同じ持続時間ではない。そのうえ、同期された事象は、同時に開始または終了しても、あるいはしなくてもよい。
【００２３】
本明細書では「セル」は、インターナショナルモバイルテレコミュニケーションアドバンスト（ＩＭＴ−Ａｄｖａｎｃｅｄ：Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）に使用すべく、規格化または規制団体によって特定された任意の通信チャネルとすることができ、Ｎｏｄｅ  Ｂ（例えば、ｅＮｏｄｅＢ）とＵＥとの間の通信に使用すべく認可された帯域として、そのすべてまたはそのサブセットが３ＧＰＰによって採用されうることに留意すべきである。「構成されたセル」は、ＵＥがそれを関知し、情報を送信または受信することがＮｏｄｅ  Ｂ（例えば、ｅＮＢ）によって許可されたセルである。「構成されたセル（単数または複数）」は、サービングセル（単数または複数）とすることができる。ＵＥは、すべての構成されたセル上でシステム情報を受信し、かつ必要とされる測定を行うことができる。「アクティブ化されたセル」は、ＵＥが送信および受信を行う、構成されたセルである。すなわち、アクティブ化されたセルは、ＵＥがそれに対してＰＤＣＣＨ（ｐｈｙｓｉｃａｌ  ｄｏｗｎｌｉｎｋ  ｃｏｎｔｒｏｌ  ｃｈａｎｎｅｌ：物理下りリンク制御チャネル）をモニターする対象のセルであり、下りリンク送信の場合に、ＵＥがそれに対して物理下りリンク共有チャネル（ＰＤＳＣＨ）をデコードする対象のセルである。「非アクティブ化されたセル」は、ＵＥが送信ＰＤＣＣＨをモニターしていない、構成されたセルである。
【００２４】
本明細書に開示されるシステムおよび方法は、ユーザ機器（ＵＥ）が複数のタイミングアラインメント・グループまたは複数のランダムアクセスチャネル用に構成された場合に、ＵＥがいかに振る舞うかに関連しうる。３ＧＰＰ  ＬＴＥリリース１０（例えば、ＬＴＥ−ＡまたはＡｄｖａｎｃｅｄ  Ｅ−ＵＴＲＡＮ）では、キャリアアグリゲーションが導入される。そのうえ、プライマリセル（ＰＣｅｌｌ）と１つ以上のセカンダリセル（ＳＣｅｌｌ）とを使用できる。
【００２５】
キャリアアグリゲーションが構成された場合、ユーザ機器（ＵＥ）は、複数のサービングセル、すなわちプライマリセル（ＰＣｅｌｌ）と１つ以上のセカンダリセル（ＳＣｅｌｌ）とを有することができる。ネットワークの視点からは、同じサービングセルが、プライマリセル（ＰＣｅｌｌ）として１つのユーザ機器（ＵＥ）によって使用され、セカンダリセル（ＳＣｅｌｌ）として別のユーザ機器（ＵＥ）によって使用されてもよい。リリース８またはリリース９に従って動作するプライマリセル（ＰＣｅｌｌ）は、リリース８またはリリース９のサービングセルに相当しうる。リリース１０に従って動作しているときに、キャリアアグリゲーションが構成された場合、プライマリセル（ＰＣｅｌｌ）に加えて、１つ以上のセカンダリセル（ＳＣｅｌｌ）が存在しうる。
【００２６】
キャリアアグリゲーションが構成されたときに、ユーザ機器（ＵＥ）は、ネットワークとの１つだけの無線リソース管理（ＲＲＣ）接続を有することができる。ＲＲＣ接続確立、再確立および／またはハンドオーバーに際して、１つのサービングセル（例えば、プライマリセル（ＰＣｅｌｌ））が、非アクセス層（ＮＡＳ：ｎｏｎ−ａｃｃｅｓｓ  ｓｔｒａｔｕｍ）モビリティ情報（例えば、トラッキングエリア識別子（ＴＡＩ：Ｔｒａｃｋｉｎｇ  Ａｒｅａ  Ｉｄｅｎｔｉｔｙ）とセキュリティ入力とを提供できる。
【００２７】
下りリンクにおいて、プライマリセル（ＰＣｅｌｌ）に対応するキャリアが下りリンク・プライマリコンポーネントキャリア（ＤＬ  ＰＣＣ：ｄｏｗｎｌｉｎｋ  ｐｒｉｍａｒｙ  ｃｏｍｐｏｎｅｎｔ  ｃａｒｒｉｅｒ）である。上りリンクにおいて、プライマリセル（ＰＣｅｌｌ）に対応するキャリアが上りリンク・プライマリコンポーネントキャリア（ＵＬ  ＰＣＣ：ｕｐｌｉｎｋ  ｐｒｉｍａｒｙ  ｃｏｍｐｏｎｅｎｔ  ｃａｒｒｉｅｒ）である。ユーザ機器（ＵＥ）の能力に依存して、プライマリセル（ＰＣｅｌｌ）と共にサービングセルのセットを形成するために、１つ以上のセカンダリコンポーネントキャリア（ＳＣＣ）またはセカンダリセル（ＳＣｅｌｌ）を構成できる。下りリンクにおいて、セカンダリセル（ＳＣｅｌｌ）に対応するキャリアが下りリンク・セカンダリコンポーネントキャリア（ＤＬ  ＳＣＣ：ｄｏｗｎｌｉｎｋ  ｓｅｃｏｎｄａｒｙ  ｃｏｍｐｏｎｅｎｔ  ｃａｒｒｉｅｒ）である。上りリンクにおいて、セカンダリセル（ＳＣｅｌｌ）に対応するキャリアが上りリンク・セカンダリコンポーネントキャリア（ＵＬ  ＳＣＣ：ｕｐｌｉｎｋ  ｓｅｃｏｎｄａｒｙ  ｃｏｍｐｏｎｅｎｔ  ｃａｒｒｉｅｒ）である。１つの上りリンク・コンポーネントキャリアを複数のセルが共有できるので、下りリンク・コンポーネントキャリアの数は、上りリンク・コンポーネントキャリアの数と異なってもよい。
【００２８】
ＵＥは、タイミングアドバンスコマンドに基づいて、プライマリセルの物理上りリンク制御チャネル（ＰＵＣＣＨ）、物理上りリンク共有チャネル（ＰＵＳＣＨ：ｐｈｙｓｉｃａｌ  ｕｐｌｉｎｋ  ｓｈａｒｅｄ  ｃｈａｎｎｅｌ）および／またはサウンディング基準信号（ＳＲＳ：ｓｏｕｎｄｉｎｇ  ｒｅｆｅｒｅｎｃｅ  ｓｉｇｎａｌ）のためのその上りリンク送信タイミングを調整できる。ランダムアクセスレスポンス中のタイミングアドバンスコマンドは、ＵＥがランダムアクセスプリアンブルを送った後に、ｅＮＢからＵＥへ送信できる。ｅＮＢがＵＥの上りリンク送信タイミングを変更したいときにいつでも、（タイミングアドバンスコマンド媒体アクセス制御（ＭＡＣ）制御要素を参照する）タイミングアドバンスコマンドがｅＮＢからＵＥへ同様に送信される。ＵＥの相対位置が、対応するｅＮＢに対して変化するにつれて、無線周波数（ＲＦ：ｒａｄｉｏ  ｆｒｅｑｕｅｎｃｙ）遅延の変化に対処するために、上りリンク送信タイミングを時々調整する必要がありうる。このようにして、ｅＮＢは、任意のＵＥからｅＮＢへのすべての信号が、同時に、あるいは直交周波数分割多重（ＯＦＤＭ：ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルにおけるサイクリックプレフィックス以内にｅＮＢに到達するように規定できる。
【００２９】
ランダムアクセスレスポンスの場合には、１１ビットのタイミングアドバンスコマンドＴＡが、ＴＡ＝０、１、２、．．．、１２８２のインデックス値によってＮＴＡ値を指示できて、タイムアラインメントの量は、ＮＴＡ＝ＴＡ×１６によって与えられる。
【００３０】
他の場合には、６ビットのタイミングアドバンスコマンドＴＡが、ＴＡ＝０、１、２、．．．、６３のインデックス値によって、現在のＮＴＡ値（ＮＴＡ，ｏｌｄと示される）の新しいＮＴＡ値（ＮＴＡ，ｎｅｗと示される）への調整を指示できて、ＮＴＡ，ｎｅｗ＝ＮＴＡ，ｏｌｄ＋（ＴＡ−３１）×１６である。この場合、正または負の量によるＮＴＡ値の調整が指示するのは、それぞれ与えられた量、上りリンク送信タイミングを進めるか、または遅らせることである。
【００３１】
上りリンク無線フレーム番号ｉのＵＥからの送信は、対応する下りリンク無線フレームのＵＥでの開始のＮＴＡ×ＴＳ秒前に始まり、但し、０≦ＮＴＡ≦２０５１２およびＴｓ＝１／（１５０００×２０４８）秒である。言い換えれば、ＵＥは、対応する下りリンク無線フレームｉを受信するＮＴＡ×ＴＳ秒前に、上りリンク無線フレームｉを送信し始めるとよい。
【００３２】
典型的には、セカンダリセルの物理上りリンク共有チャネル（ＰＵＳＣＨ）および／またはサウンディング基準信号（ＳＲＳ）のための上りリンク（ＵＬ）送信タイミングは、プライマリセルのものと同じにすることができる。しかしながら、異なった送信および／または受信サイトを用いて、セル間のアグリゲーションが導入されることがありうる。この場合に、ＵＥは、各セルのために異なった上りリンク送信タイミングを有する必要がありうる。
【００３３】
リリース１１では、この複数の上りリンク送信タイミング調整が検討される。配備シナリオの一例は、異なったコンポーネントキャリアが、異なった周波数選択性リピータゆえに、実質的に異なった伝搬環境、したがって異なった伝搬時間を経験しうるであろうということである。配備シナリオの別の例は、ＵＥが、２つのキャリア上で２つのノンコロケーテッド（ｎｏｎ−ｃｏｌｌｏｃａｔｅｄ）サイトと通信できるということである。かかるシナリオは、リモート・アンテナまたはリモート・レディオ・ヘッドによって生じうるであろう。
【００３４】
いくつかのアプローチは、複数のタイムアラインメント・グループを有することによってこの問題を解決できることを示すが、複数のタイムアラインメント・グループのオペレーションの詳細は記載されなかった。しかしながら、ＵＥが複数の送信タイミング調整を有し、しかも時間差が比較的大きい場合、サブフレームのタイミングおよびクロスキャリア・スケジューリングなどに問題が生じる可能性がある。例えば、物理上りリンク制御チャネル（ＰＵＣＣＨ）の送信あるいは物理下りリンク制御チャネル（ＰＤＣＣＨ）の送信が、データ送信を準備するために時間内に生じないことがありうる。
【００３５】
本明細書に開示されるシステムおよび方法に従って、次の様態の１つ以上を使用できる。（プライマリセル（ＰＣｅｌｌ）を含む）１つ以上のサービングセルのグループに加えて、少なくとも１つのセカンダリセル（ＳＣｅｌｌ）を含む１つ以上のグループが導入される。各グループにおける１つ以上のサービングセルに対応する上りリンクの送信は、同じ上りリンク送信タイミングを有することができる。
【００３６】
各グループは、上りリンク・タイミング基準として使用される、１つの特定のセルを有することができる。ＰＣｅｌｌを含むグループでは、この特定のセルは、ＰＣｅｌｌとすることができる。ＰＣｅｌｌを含まないグループでは、この特定のセルは、プライマリＳＣｅｌｌ（ＰＳＣｅｌｌ）またはセカンダリＰＣｅｌｌ（ＳＰＣｅｌｌ）と呼ばれる、特定のＳＣｅｌｌとすることができる。本発明の明細書および特許請求の範囲において、プライマリＳＣｅｌｌ（ＰＳＣｅｌｌ）、セカンダリＰＣｅｌｌ（ＳＰＣｅｌｌ）または両方を指すために、用語「ＰＳＣｅｌｌ」が使用される。ＰＳＣｅｌｌは、ＰＣｅｌｌとＳＣｅｌｌとの中間の特徴を有することができる。
【００３７】
ＰＣｅｌｌの特徴は、以下を含むことができる。ＰＣｅｌｌは、セキュリティおよびモビリティのアンカーセルとして使用できる。ＵＥは、無線リンク・モニタリングをＰＣｅｌｌで行うことが必要とされうる。ＰＣｅｌｌは、他のセル（単数または複数）に対するパス・ロス基準として使用できる。ＰＣｅｌｌは、他のセル（単数または複数）に対する上りリンク・タイミング基準として使用できる。ＰＣｅｌｌ上りリンク・タイミングは、ＰＣｅｌｌ下りリンク・タイミングを参照できる。ＰＣｅｌｌは、常にアクティブ化され、決して非アクティブ化されることができない。ＰＣｅｌｌをクロスキャリア・スケジューリングすることはできない。ＵＥは、ｅＮＢから送信されたシステム情報および／またはページング情報をＰＣｅｌｌで取得できる。ＵＥは、ランダムアクセスのためのランダムアクセスレスポンスおよび／または物理下りリンク制御チャネル（ＰＤＣＣＨ）指令ランダムアクセスチャネル（ＲＡＣＨ）および／または競合解決をＰＣｅｌｌでモニターできる。ＵＥには、ｅＮＢによってＰＣｅｌｌにおけるセミパーシステント・スケジューリング（Ｓｅｍｉ−Ｐｅｒｓｉｓｔｅｎｔ  Ｓｃｈｅｄｕｌｉｎｇ）リソースを割り当てることができる。ＵＥは、物理ランダムアクセスチャネル（ＰＲＡＣＨ：ｐｈｙｓｉｃａｌ  ｒａｎｄｏｍ  ａｃｃｅｓｓ  ｃｈａｎｎｅｌ）リソースをＰＣｅｌｌで使用できる。ＵＥは、物理上りリンク制御チャネル（ＰＵＣＣＨ）リソースをＰＣｅｌｌで使用できる。
【００３８】
ＳＣｅｌｌの特徴は、以下を含むことができる。ＳＣｅｌｌは、セキュリティおよびモビリティのアンカーセルとして使用できない。ＵＥは、無線リンク・モニタリングをＳＣｅｌｌで行う必要はないであろう。ＳＣｅｌｌは、他のセル（単数または複数）に対するパス・ロス基準として使用できない。ＳＣｅｌｌは、他のセル（単数または複数）に対する上りリンク・タイミング基準として使用できない。ＳＣｅｌｌは、アクティブ化または非アクティブ化できる。ＳＣｅｌｌは、クロスキャリア・スケジューリングできる。ＵＥは、ｅＮＢから送信されたシステム情報および／またはページング情報をＳＣｅｌｌで取得できない。ＵＥは、ランダムアクセスのためのランダムアクセスレスポンスおよび／またはＰＤＣＣＨ指令ＲＡＣＨおよび／または競合解決をＳＣｅｌｌでモニターできない。ＵＥには、ｅＮＢによってＳＣｅｌｌにおけるセミパーシステント・スケジューリング・リソースを割り当てることができない。ＵＥには、ＳＣｅｌｌのＰＲＡＣＨリソースを割り当てることができない。ＵＥには、ＳＣｅｌｌのＰＵＣＣＨリソースを割り当てることができない。
【００３９】
ＰＳＣｅｌｌの特徴は、例えば、以下の１つ以上を含むことができる。ＰＳＣｅｌｌは、セキュリティおよびモビリティのアンカーセルとして使用できない。ＵＥは、無線リンク・モニタリングをＰＳＣｅｌｌで行うことが必要とされうる。ＰＳＣｅｌｌは、それ自体のグループ内の他のセル（単数または複数）に対するパス・ロス基準として使用できる。ＰＳＣｅｌｌは、それ自体のグループ内の他のセル（単数または複数）に対する上りリンク・タイミング基準として使用できる。ＰＳＣｅｌｌ上りリンク・タイミングは、ＰＳＣｅｌｌ下りリンク・タイミングを参照できる。ＰＳＣｅｌｌは、常にアクティブ化され、決して非アクティブ化できない。ＰＳＣｅｌｌをクロスキャリア・スケジューリングすることはできない。ＵＥは、ｅＮＢから送信されたシステム情報および／またはページング情報をＰＳＣｅｌｌで取得できない。ＵＥは、ランダムアクセスのためのランダムアクセスレスポンスおよび／またはＰＤＣＣＨ指令ＲＡＣＨおよび／または競合解決をＰＳＣｅｌｌでモニターできる。ＵＥには、ｅＮＢによってＰＳＣｅｌｌにおけるセミパーシステント・スケジューリング・リソースを割り当てることができない。ＵＥは、ＰＲＡＣＨリソースをＰＳＣｅｌｌで使用できる。ＵＥは、ＰＵＣＣＨリソースをＰＳＣｅｌｌで使用できる。
【００４０】
各グループにおけるＳＣｅｌｌのＰＵＳＣＨおよび／またはＳＲＳのための上りリンク送信タイミングは、同じグループにおけるＰＣｅｌｌと同じか、または同じグループにおけるＰＳＣｅｌｌの上りリンク送信タイミングにすることができる。ＰＣｅｌｌの共通検索空間に加えて、ＰＳＣｅｌｌが共通検索空間を有することができる。
【００４１】
ＰＳＣｅｌｌをクロスキャリア・スケジューリングすることはできない。これは、他のセルがＰＳＣｅｌｌをスケジューリングできないことを意味する。それに対して、ＰＳＣｅｌｌは、他のセルをスケジューリングできる。
【００４２】
ＰＳＣｅｌｌは、ＵＥ固有の明示的または暗黙的な無線リソース管理（ＲＲＣ）シグナリングによって指示できる。暗黙的なシグナリングの一例では、ランダムアクセスチャネルを用いて構成されたＳＣｅｌｌが、ＰＳＣｅｌｌであってもよい。
【００４３】
ＳＣｅｌｌが、ＰＣｅｌｌを含まないグループに属する場合には、ｐａｔｈｌｏｓｓＲｅｆｅｒｅｎｃｅ−ｒ１０（ｐＣｅｌｌ，ｓＣｅｌｌ）パラメータをｐａｔｈｌｏｓｓＲｅｆｅｒｅｎｃｅ−ｒ１１（ｐｓＣｅｌｌ，ｓＣｅｌｌ）パラメータによって置き換えることができる。ＰＣｅｌｌに対応するＰＵＣＣＨに加えて、ＰＳＣｅｌｌがＰＵＣＣＨを有することができる。グループにおけるセルに対応するハイブリッド自動再送要求肯定応答（ＨＡＲＱ−ＡＣＫ：ｈｙｂｒｉｄ  ａｕｔｏｍａｔｉｃ  ｒｅｐｅａｔ  ｒｅｑｕｅｓｔ  ａｃｋｎｏｗｌｅｄｇｅｍｅｎｔ）をこのグループにおけるＰＳＣｅｌｌ上で送信できる。
【００４４】
本明細書に開示されるシステムおよび方法の様々な様態に関するさらなる詳細が以下に与えられる。プライマリセル（ＰＣｅｌｌ）を含む１つ以上のサービングセルのグループに加えて、少なくとも１つのセカンダリセル（ＳＣｅｌｌ）を含む１つ以上のグループが導入される。各グループにおける１つ以上のサービングセルに対応する上りリンク送信は、同じ上りリンク送信タイミングを有することができる。
【００４５】
各グループは、上りリンク・タイミング基準として使用される１つの特定のセルを有することができる。ＰＣｅｌｌを含むグループでは、この特定のセルは、ＰＣｅｌｌとすることができる。ＰＣｅｌｌを含まないグループでは、この特定のセルは、プライマリＳＣｅｌｌまたはＰＳＣｅｌｌと呼ばれる、特定のＳＣｅｌｌとすることができる。
【００４６】
各グループにおけるＳＣｅｌｌのＰＵＳＣＨおよび／またはＳＲＳのための上りリンク送信タイミングは、（例えば、同じグループにある）対応するＰＣｅｌｌのための上りリンク送信タイミングと同じにすることができ、あるいは（例えば、同じグループにある）対応するＰＳＣｅｌｌのための上りリンク送信タイミングと同じにすることができる。これは、各サービングセルが下りリンクを有し、随意的に上りリンクを有することができるという複数サービングセルのコンセプトと整合しうる。そのうえ、各サービング下りリンク・キャリアと上りリンク・キャリアとは、１つのサービングセルに属することができる。
【００４７】
１つ以上のＵＥからのすべての信号は、同時に、あるいはＯＦＤＭシンボルにおけるサイクリックプレフィックス以内にｅＮＢに到達する必要がありうるので、上りリンク送信タイミングを調整することが必要であろう。３ＧＰＰリリース１０では、ＵＥは、すべてのサービングセルに対して同じ送信タイミングを使用する。その場合には、上りリンク送信タイミングを整合させるべきグループが１つしかないので、タイミングアドバンスコマンドがどのセルまたはセルのグループに対応するかを区別する必要はない。
【００４８】
ランダムアクセスレスポンス中のタイミングアドバンスコマンドは、ＵＥがランダムアクセスプリアンブルをＰＣｅｌｌまたはＰＳＣｅｌｌで送った後に、そのＰＣｅｌｌまたはＰＳＣｅｌｌでｅＮＢからＵＥへ送信できる。このランダムアクセスレスポンスは、ランダムアクセスレスポンスを含むＰＤＳＣＨをスケジューリングするために使用される識別子である、ランダムアクセス無線ネットワーク一時識別子（ＲＡ−ＲＮＴＩ：ｒａｎｄｏｍ  ａｃｃｅｓｓ  ｒａｄｉｏ  ｎｅｔｗｏｒｋ  ｔｅｍｐｏｒａｒｙ  ｉｄｅｎｔｉｆｉｅｒ）を含むＰＤＣＣＨによってスケジューリングできる。
【００４９】
受信されたランダムアクセスレスポンスがどのＰＣｅｌｌまたはＳＣｅｌｌに対するかは、ランダムアクセスレスポンスがどのサービングセルにスケジューリングされたかによって区別できる。例えば、ＵＥは、ランダムアクセスレスポンスがどのサービングセルにスケジューリングされたかを判定することによって、どのセル（例えば、ＰＣｅｌｌ、ＳＣｅｌｌなど）が受信されたランダムアクセスレスポンスに対応するかを判定できる。ランダムアクセスレスポンスがスケジューリングされたサービングセルは、ランダムアクセスレスポンスのためのＨＡＲＱエンティティ、ＰＤＣＣＨまたはＰＤＳＣＨを有するセルを識別することによって判定できる。ＰＣｅｌｌ下りリンク（ＤＬ）にスケジューリングされたランダムアクセスレスポンスは、ＰＣｅｌｌ上りリンクのための上りリンク（ＵＬ）送信タイミング調整に使用できる。ＰＳＣｅｌｌ下りリンク（ＤＬ）にスケジューリングされたランダムアクセレスポンスは、ＰＳＣｅｌｌ上りリンクのための上りリンク（ＵＬ）送信タイミング調整に使用できる。ｅＮＢからＵＥへのＰＳＣｅｌｌでのランダムアクセスを指令するためのＰＤＣＣＨ検出が、ＰＳＣｅｌｌ中であってもよく、ＰＳＣｅｌｌでのランダムアクセスのための競合解決が、ＰＳＣｅｌｌ中であってもよいことにも留意すべきである。
【００５０】
ｅＮＢがＵＥの上りリンク送信タイミングを変更したいときにいつでも、別のタイミングアドバンスコマンド（例えば、タイミングアドバンスコマンド媒体アクセス制御（ＭＡＣ）制御要素）をｅＮＢからＵＥへ送信することもできる。受信されたタイミングアドバンスコマンドがＰＣｅｌｌに対するものか、あるいはＰＳＣｅｌｌに対するものかは、タイミングアドバンスコマンドがどのサービングセルにスケジューリングされたかに基づいて区別できる。タイミングアドバンスコマンドがスケジューリングされたサービングセルは、タイミングアドバンスコマンドのためのＨＡＲＱエンティティ、ＰＤＣＣＨまたはＰＤＳＣＨを有するセルを識別することによって判定できる。留意すべきは、（ｅＮＢからいつでも送信できる）タイミングアドバンスコマンドＭＡＣ制御要素がランダムアクセスレスポンスと異なることである。ＰＣｅｌｌ下りリンクを含むグループにおける任意のサービングセルにスケジューリングされたタイミングアドバンスコマンドは、ＰＣｅｌｌ上りリンクのための上りリンク送信タイミング調整に使用できる。ＰＳＣｅｌｌ下りリンクを含むグループにおける任意のサービングセル（単数または複数）にスケジューリングされたタイミングアドバンスコマンドは、ＰＳＣｅｌｌ上りリンクのための上りリンク送信タイミング調整に使用できる。
【００５１】
別の構成では、タイミングアドバンスコマンドＭＡＣ制御要素、またはタイミングアドバンスコマンドＭＡＣ制御要素のＭＡＣヘッダーが、コマンドがどのグループに対応するかを指示できる。グループ指示は、対応するグループに含まれるＰＳＣｅｌｌのセルインデックスであってもよい。
【００５２】
典型的には、ＰＣｅｌｌに１つだけの共通検索空間があり、ＳＣｅｌｌには共通検索空間がない。ＵＥは、上位層のシグナリングによって構成されるような、１つ以上のアクティブ化されたサービングセルに関する制御情報を求めてＰＤＣＣＨ候補のセットをモニターできる。１つより多いサービングセルをＲＲＣシグナリングによって構成できて、ＭＡＣシグナリングによってサービングセルをアクティブ化または非アクティブ化できる。
【００５３】
検索空間の観点から、モニターすべきＰＤＣＣＨ候補のセットを定義できる。プライマリセル上には共通検索空間があり、プライマリセルおよび／またはセカンダリセル上にはＵＥ固有の検索空間がある。共通検索空間は、セル固有であり、かつプライマルセル上にだけありうる。ＵＥ固有の検索空間は、セル無線ネットワーク一時識別子、すなわちＣ−ＲＮＴＩ（Ｃｅｌｌ  ＲＮＴＩ）（例えば、ユーザ機器識別子（ＵＥＩＤ：ｕｓｅｒ  ｅｑｕｉｐｍｅｎｔ  ｉｄｅｎｔｉｆｉｅｒ））によって定義できて、各サービングセルのために用意できる。
【００５４】
共通検索空間では、様々な種類の情報またはデータを送信できる。例えば、共通検索空間では、システム情報またはページング情報、ランダムアクセス関連情報あるいは通常のＵＥデータをスケジューリングするためのＰＤＣＣＨを送信できる。ＵＥの物理層は、ＲＮＴＩを用いて上位層によって構成できる。ＵＥは、ＲＮＴＩによってスクランブルされた巡回冗長検査（ＣＲＣ：ｃｙｃｌｉｃ  ｒｅｄｕｎｄａｎｃｙ  ｃｈｅｃｋ）をもつＰＤＣＣＨをデコードできる。ＰＤＣＣＨによって伝えられる下りリンク制御情報は、添付されたＣＲＣを有しうる。ＣＲＣは、ＲＮＴＩによってスクランブルできる。例えば、ＣＲＣは、ＲＮＴＩとのＸＯＲがとられてもよい。無線ネットワーク一時識別子（ＲＮＴＩ）のいくつかの例は、システム情報ＲＮＴＩ（ＳＩ−ＲＮＴＩ：ｓｙｓｔｅｍ  ｉｎｆｏｒｍａｔｉｏｎ  ＲＮＴＩ）、ページングＲＮＴＩ（Ｐ−ＲＮＴＩ：ｐａｇｉｎｇ  ＲＮＴＩ）、セルＲＮＴＩ（Ｃ−ＲＮＴＩ）、ランダムアクセスＲＮＴＩ（ＲＡ−ＲＮＴＩ）、セミパーシステント・スケジューリングＣ−ＲＮＴＩ（ＳＰＳ  Ｃ−ＲＮＴＩ）、一時Ｃ−ＲＮＴＩ、送信電力制御物理上りリンク制御チャネルＲＮＴＩ（ＴＰＣ−ＰＵＣＣＨ−ＲＮＴＩ：ｔｒａｎｓｍｉｔ  ｐｏｗｅｒ  ｃｏｎｔｒｏｌ  ｐｈｙｓｉｃａｌ  ｕｐｌｉｎｋ  ｃｏｎｔｒｏｌ  ｃｈａｎｎｅｌ  ＲＮＴＩ）および送信電力制御物理上りリンク共有チャネルＲＮＴＩ（ＴＰＣ−ＰＵＳＣＨ−ＲＮＴＩ：ｔｒａｎｓｍｉｔ  ｐｏｗｅｒ  ｃｏｎｔｒｏｌ  ｐｈｙｓｉｃａｌ  ｕｐｌｉｎｋ  ｓｈａｒｅｄ  ｃｈａｎｎｅｌ  ＲＮＴＩ）を含む。いくつかの場合に、ＵＥは、ＲＮＴＩを（例えば、それがモニターされるように構成されている場合）モニターできる。ＰＤＣＣＨランダムアクセス関連スケジューリング情報にはＲＡ−ＲＮＴＩおよび一時Ｃ−ＲＮＴＩを使用できる。
【００５５】
しかしながら、複数のタイムアラインメントを有するためには、ＵＥがランダムアクセス手順をＰＳＣｅｌｌで行う必要がありうる。かくして、ＰＣｅｌｌにおける共有検索空間に加えて、ＰＳＣｅｌｌにおける共通検索空間でＰＤＣＣＨをモニターするために、ランダムアクセスチャネルをもつＳＣｅｌｌを用いて構成されたＵＥが必要とされうる。ＳＩ−ＲＮＴＩ、Ｐ−ＲＮＴＩおよびＳＰＳ  Ｃ−ＲＮＴＩは、ＰＣｅｌｌにおける共通検索空間でモニターすれば十分でありうるので、これらをＰＳＣｅｌｌでモニターする必要はないであろう。それゆえに、ＰＳＣｅｌｌにおける共通検索空間では、ＵＥによってＣ−ＲＮＴＩ、ＲＡ−ＲＮＴＩ、一時Ｃ−ＲＮＴＩ、ＴＰＣ−ＰＵＣＣＨ−ＲＮＴＩおよびＴＰＣ−ＰＵＳＣＨ−ＲＮＴＩがモニターされるとよい。
【００５６】
現在、ＰＣｅｌｌをクロスキャリア・スケジューリングすることはできない。これは、ＳＣｅｌｌのＰＤＣＣＨがＰＣｅｌｌのＰＤＳＣＨまたはＰＵＳＣＨをスケジューリングできないことを意味する。それに対して、ＰＣｅｌｌは、他のセルをスケジューリングできる。この理由は、ＰＣｅｌｌが常に接続状態にありえて、いずれにしてもＰＣｅｌｌの共通検索空間をＵＥによってモニターする必要がありうるということである。ＰＳＣｅｌｌについても、同様のコンセプトを用いることが有益でありうる。さらに、グループ間のタイミング差がクロスキャリア・スケジューリングを複雑にしうる。それゆえに、ＰＳＣｅｌｌをクロスキャリア・スケジューリングすることができない。言い換えれば、ＳＣｅｌｌのＰＤＣＣＨは、ＰＳＣｅｌｌのＰＤＳＣＨまたはＰＵＳＣＨをスケジューリングできない。それに対して、ＰＳＣｅｌｌは、他のセルをスケジューリングできる。
【００５７】
ＵＥ固有の明示的または暗黙的なＲＲＣシグナリングによって、ＰＳＣｅｌｌをｅＮＢからＵＥへ指示できる。暗黙的なシグナリングの一例では、ランダムアクセスチャネルを用いて構成されたＳＣｅｌｌがＰＳＣｅｌｌである。別の例では、ＰＳＣｅｌｌは、グループ構成における最下位のＳＣｅｌｌであってもよい。さらに別の例では、ＳＣｅｌｌ構成が上りリンク・タイミングのための基準セルを有し、この基準セルがＰＳＣｅｌｌである。例えば、セルインデックス＃０、＃１、＃２、＃３、＃４をもつセルをそれぞれＰＣｅｌｌ、ＳＣｅｌｌ＃１、ＳＣｅｌｌ＃２、ＳＣｅｌｌ＃３およびＳＣｅｌｌ＃４とすることができる。例を続けると、ＳＣｅｌｌ＃２は、上りリンク・タイミングのための基準セルとして、セルインデックス＃１を有することができて、これは、ＳＣｅｌｌ＃１がＳＣｅｌｌ＃２のためのＰＳＣｅｌｌであることを意味する。ＳＣｅｌｌ＃３は、上りリンク・タイミングのための基準セルとしてセルインデックス＃０を有しても、あるいは上りリンク・タイミングのための基準セル・パラメータを有さなくてもよく、これは、ＳＣｅｌｌ＃３がＰＣｅｌｌを含むグループに属することを意味する。
【００５８】
リリース１０では、ＲＲＣシグナリングによって構成可能でありうるパス・ロス基準セルとして、各ＳＣｅｌｌは、ＰＣｅｌｌまたはそのＳＣｅｌｌ自体を使用できる。ＳＣｅｌｌがＰＣｅｌｌをパス・ロス基準セルとして使用する場合、これは、クロスキャリア・パス・ロス基準を示す。ＳＣｅｌｌがＳＣｅｌｌをパス・ロス基準セルとして使用する場合、これは、非クロスキャリア・パス・ロス基準を示す。言い換えれば、ＰＣｅｌｌは、他のセル（単数または複数）に対するパス・ロス基準セルとして使用できるが、ＳＣｅｌｌは、他のセル（単数または複数）に対するパス・ロス基準セルとして使用できない。ＳＣｅｌｌのパス・ロス測定用の基準としてどのＰＣｅｌｌまたはＳＣｅｌｌが使用されるかを指示するＲＲＣパラメータ「ｐａｔｈｌｏｓｓＲｅｆｅｒｅｎｃｅ−ｒ１０」を使用できる。（ｅＮＢからＵＥへ送信できる）このＲＲＣパラメータ「ｐａｔｈｌｏｓｓＲｅｆｅｒｅｎｃｅ−ｒ１０」を各ＳＣｅｌｌ構成に含むことができる。
【００５９】
グループ間で異なった上りリンク送信タイミングを使用することは、各グループが異なったパス・ロスを有してもよいことを意味しうる。ＳＣｅｌｌが属するグループがＰＣｅｌｌを含まない場合、ＰＣｅｌｌとＳＣｅｌｌとの間で選択することは有用ではありえない。ＵＥが複数の上りリンク・タイムアラインメントを用いて構成された場合、各ＳＣｅｌｌ構成におけるＳＣｅｌｌのパス・ロス測定用の基準として、どのＰＳＣｅｌｌまたはＳＣｅｌｌが使用されるかを指示する「ｐａｔｈｌｏｓｓＲｅｆｅｒｅｎｃｅ−ｒ１１」パラメータを使用できる。言い換えれば、ＰＳＣｅｌｌは、それ自体のグループ内の他のセル（単数または複数）のためのパス・ロス基準セルとして使用できる。それゆえに、ＳＣｅｌｌがＰＣｅｌｌを含まないグループに属する場合には、パラメータ「ｐａｔｈｌｏｓｓＲｅｆｅｒｅｎｃｅ−ｒ１０（ｐＣｅｌｌ，ｓＣｅｌｌ）」を「ｐａｔｈｌｏｓｓＲｅｆｅｒｅｎｃｅ−ｒ１１（ｐｓＣｅｌｌ，ｓＣｅｌｌ）」パラメータによって置き換えることができる。別の構成では、ＰＣｅｌｌ、ＰＳＣｅｌｌおよびＳＣｅｌｌからの選択を利用できる（例えば、「ｐａｔｈｌｏｓｓＲｅｆｅｒｅｎｃｅ−ｒ１１（ｐＣｅｌｌ，ｐｓＣｅｌｌ，ｓＣｅｌｌ）」パラメータを使用できる）。ｐａｔｈｌｏｓｓＲｅｆｅｒｅｎｃｅ−ｒ１１パラメータは、ｅＮＢからＵＥへ送られることができる。
【００６０】
複数の上りリンク・タイミング調整を行うために、ＵＥは、１つより多い送信機を有する必要がありうる。リリース１０では、キャリアアグリゲーションがＵＥ送信機の実装に依存しないように構築される。しかしながら、ｅＮＢは、複数の上りリンク・タイムアラインメントをサポートすることが、ＵＥにとって可能かどうかを知る必要がありうる。ＵＥは、ある帯域の組み合わせにおいて複数の上りリンク・タイミング調整をサポートするその能力をｅＮＢに知らせること、および／または上りリンク・タイミング調整グループの最大サポート可能数をｅＮＢに知らせることができる。このようにして、ｅＮＢは、ＵＥの送信機実装に関するいくつかの情報を有することができる。典型的には、ＰＵＣＣＨは、上りリンク送信電力の軽減のために、ＰＣｅｌｌにだけ割り当てることが可能である。しかしながら、ＵＥが複数の上りリンク・タイムアラインメントを用いて構成された場合、ｅＮＢは、ＰＵＣＣＨをＰＳＣｅｌｌに割り当てることができる。ＰＵＣＣＨ上の周期的チャネル品質インジケータ、プリコーディング・マトリックス・インジケータおよび／またはランク・インジケータ（ＣＱＩ／ＰＭＩ／ＲＩ：ｃｈａｎｎｅｌ  ｑｕａｌｉｔｙ  ｉｎｄｉｃａｔｏｒ／ｐｒｅｃｏｄｉｎｇ  ｍａｔｒｉｘ  ｉｎｄｉｃａｔｏｒ／ｒａｎｋ  ｉｎｄｉｃａｔｏｒ）レポートは、ＲＲＣメッセージを使用してそれらのリソースを準静的に割り当てることができるので、ＰＳＣｅｌｌにおけるＰＵＣＣＨへマッピングされるように修正できる。留意すべきは、本明細書に開示されるシステムおよび方法が、周波数分割複信（ＦＤＤ：ｆｒｅｑｕｅｎｃｙ−ｄｉｖｉｓｉｏｎ  ｄｕｐｌｅｘｉｎｇ）システムにも時分割複信（ＴＤＤ：ｔｉｍｅ−ｄｉｖｉｓｉｏｎ  ｄｕｐｌｅｘｉｎｇ）システムにも適用できることである。特にＴＤＤシステムでは、各グループが下りリンクのためのサブフレームと上りリンクのためのサブフレームとを定義する、異なった上りリンク−下りリンク構成を有することができる。少なくともＴＤＤシステムでは、各グループにとってＰＵＣＣＨを有することが有益でありうる。
【００６１】
ハイブリッド自動再送要求肯定応答（ＨＡＲＱ−ＡＣＫ）（例えば、肯定応答または否定応答（ＡＣＫ／ＮＡＣＫ））は、ＰＳＣｅｌｌにおけるＰＵＣＣＨへマッピングすることもできる。ＨＡＲＱ−ＡＣＫは、１つ以上のサービングセルの各グループに基づいて発生できる。言い換えれば、グループにおけるセルに対応するＨＡＲＱ−ＡＣＫ（単数または複数）は、グループにおけるＰＣｅｌｌまたはＰＳＣｅｌｌ上で送信できる。このアプローチは、ＨＡＲＱプロセスを各グループに分割できることから、グループ間のタイミング差に起因するバッファーリング問題の取り扱いを容易にできるので有益でありうる。
【００６２】
本明細書に開示されるシステムおよび方法のいくつかの他の利点は、複数の上りリンク・タイムアラインメントを必要とするシナリオにおいて、ｅＮＢおよびＵＥが良好に動作しうることである。本明細書に開示されるシステムおよび方法の別の利点は、異なった物理タイミングをもつ複数のキャリアのために、ｅＮＢが、ＵＥにリソースを割り当てることができることである。本明細書に開示されたシステムおよび方法のさらに別の利点は、ＵＥおよびｅＮＢを簡単に実装できることである。留意すべきは、本明細書に開示されるシステムおよび方法が、周波数分割複信（ＦＤＤ）システム間、または時分割複信（ＴＤＤ）システム間、あるいはさらにＦＤＤシステムとＴＤＤシステムとの間のキャリアアグリゲーションに適用されうることである。
【００６３】
本明細書に開示されるシステムおよび方法に従って、上りリンク（ＵＬ）および／または下りリンク（ＤＬ）送信のために、（複数のセル上の送信、キャリアアグリゲーション、プライマリセル（ＰＣｅｌｌ）および１つ以上のセカンダリセル（ＳＣｅｌｌ）上の送信とも呼ばれる）複数のキャリアコンポーネント上の送信を使用できる。
【００６４】
次に、同様の参照番号が機能的に同様の要素を示す図を参照して、様々な構成が記載される。本明細書に一般的に記載され、図に示されるシステムおよび方法は、多種多様に異なった構成に配置され、かつ設計されうるであろう。かくして、図に表現されるような、いくつかの構成に関する以下のより詳細な記載は、請求される範囲を限定することは意図されず、単にシステムおよび方法を代表するに過ぎない。本明細書では、用語「複数」は、２つまたはそれ以上を示しうる。例えば、複数の要素は、２つまたはそれ以上の要素を指す。
【００６５】
図１は、マルチグループ通信のためのシステムおよび方法を実装できるユーザ機器（ＵＥ）１０２および１つ以上のｅｖｏｌｖｅｄ  Ｎｏｄｅ  Ｂ（ｅＮＢ）１６０の一構成を示すブロックダイアグラムである。ＵＥ１０２は、１つ以上のアンテナ１２２ａ〜ｎを使用してｅｖｏｌｖｅｄ  Ｎｏｄｅ  Ｂ（ｅＮＢ）１６０と通信する。例えば、ＵＥ１０２は、１つ以上のアンテナ１２２ａ〜ｎを使用してｅＮＢ１６０へ電磁信号を送信し、かつｅＮＢ１６０から電磁信号を受信する。ｅＮＢ１６０は、１つ以上のアンテナ１８０ａ〜ｎを使用してＵＥ１０２と通信する。留意すべきは、いくつかの構成においては、ｅＮＢ１６０が、Ｎｏｄｅ  Ｂ、ｈｏｍｅ  ｅｖｏｌｖｅｄ  Ｎｏｄｅ  Ｂ（ＨｅＮＢ）あるいは他の種類の基地局であってもよいことである。
【００６６】
ＵＥ１０２およびｅＮＢ１６０は、相互に通信するために１つ以上のセル（例えば、チャネル、キャリアコンポーネントなど）１１９、１２１を使用できる。例えば、ＵＥ１０２およびｅＮＢ１６０は、１つ以上のチャネル（例えば、物理上りリンク制御チャネル（ＰＵＣＣＨ）、物理上りリンク共有チャネル（ＰＵＳＣＨ）、物理下りリンク制御チャネル（ＰＤＣＣＨ）など）を送るためにセル１１９、１２１を使用できる。ＰＵＣＣＨは、３ＧＰＰ仕様書に準拠した制御チャネルの一例である。他の種類のチャネルも使用できる。
【００６７】
本明細書に開示されるシステムおよび方法に従って、通信のためにセル１１９、１２１の複数の種類、およびセル１１９、１２１の複数のグループを使用できる。本明細書では、用語「グループ」は、１つ以上のエンティティのグループを示すことができる。プライマリセル（ＰＣｅｌｌ）は、３ＧＰＰ仕様書に従ったプライマリセルとすることができる。セカンダリセル（ＳＣｅｌｌ）は、３ＧＰＰ仕様書に従ったセカンダリセルとすることができる。ＰＣｅｌｌを含む１つ以上のセルのグループをＰＣｅｌｌグループとすることができる。ＰＣｅｌｌグループのセルは、ＰＣｅｌｌグループ・セル１１９と呼ぶことができる。かくして、ＰＣｅｌｌグループは、少なくともＰＣｅｌｌを含む。ＰＣｅｌｌグループは、追加的に１つ以上のＳＣｅｌｌを含んでもよい。
【００６８】
ＰＣｅｌｌを含まない、セルの１つ以上の他のグループは、それぞれ「非ＰＣｅｌｌ」グループとすることができる。非ＰＣｅｌｌグループは、１つ以上のＳＣｅｌｌを含むことができる。非ＰＣｅｌｌグループにおける１つ以上のセルは、非ＰＣｅｌｌグループ・セル（単数または複数）１２１と呼ぶことができる。
【００６９】
一構成において、セル１１９、１２１は、サイトに従ってグループに分けることができる。より具体的には、特定のサイト（例えば、ｅＮＢ１６０、リピータなど）から送信されるすべてのセル１１９、１２１を１つのグループにすることができる。例えば、ＰＣｅｌｌグループは、第１のサイト（例えば、ｅＮＢ１６０またはリピータ）から送信できて、一方で非ＰＣｅｌｌグループは、第２サイト（例えば、別個のリモート・レディオ・ヘッド（ＲＲＨ：ｒｅｍｏｔｅ  ｒａｄｉｏ  ｈｅａｄ）または別個のリピータなど）から送信できる。例として、ＰＣｅｌｌグループは、第１の位置における第１のｅＮＢ１６０から送信できて、一方で非ＰＣｅｌｌグループは、第２の位置における第２のリモート・レディオ・ヘッドから送信できる。リモート・レディオ・ヘッド（ＲＲＨ）またはリピータが別個の送信機１１７および／または受信機１７８であっても、単一のｅＮＢ１６０によってなお複数のセルを提供できる。別の例では、ＰＣｅｌｌグループは、第１の位置における第１のリピータから送信できて、一方で非ＰＣｅｌｌグループは、第２の位置における第２のリピータから送信できる。この場合に、ＰＣｅｌｌグループおよび非ＰＣｅｌｌグループは、同じサイトから、あるいは別個のサイトから送信されうる。
【００７０】
ＵＥ１０２は、１つ以上のトランシーバ１１８、１つ以上の復調器１１４、１つ以上のデコーダ１０８、１つ以上のエンコーダ１５０、１つ以上の変調器１５４およびＵＥマルチグループ・オペレーションズ・モジュール１２４を含むことができる。例えば、ＵＥ１０２では１つ以上の受信および／または送信経路を使用できる。構成に依存して複数の並列要素１１８、１０８、１１４、１５０、１５４を使用できるが、便宜上、単一のトランシーバ１１８、デコーダ１０８、復調器１１４、エンコーダ１５０、および変調器１５４だけが示される。
【００７１】
トランシーバ１１８は、１つ以上の受信機１２０および１つ以上の送信機１５８を含むことができる。１つ以上の受信機１２０は、１つ以上のアンテナ１２２ａ〜ｎを使用してｅＮＢ１６０から信号を受信できる。例えば、受信機１２０は、１つ以上の受信信号１１６を生成するために、信号を受信してダウンコンバートできる。１つ以上の受信信号１１６を復調器１１４に提供できる。１つ以上の送信機１５８は、１つ以上のアンテナ１２２ａ〜ｎを使用して信号をｅＮＢ１６０へ送信できる。例えば、１つ以上の送信機１５８は、１つ以上の変調信号１５６をアップコンバートして送信できる。
【００７２】
復調器１１４は、１つ以上の復調信号１１２を生成するために、１つ以上の受信信号１１６を復調できる。１つ以上の復調信号１１２をデコーダ１０８に提供できる。ＵＥ１０２は、信号をデコードするためにデコーダ１０８を使用できる。デコーダ１０８は、１つ以上のデコード信号１０６、１１０を生成できる。例えば、第１のＵＥデコード信号１０６は、受信されたペイロード・データ１０４を備えることができる。第２のＵＥデコード信号１１０は、オーバーヘッド・データおよび／または制御データを備えることができる。例えば、第２のＵＥデコード信号１１０は、１つ以上のオペレーションを行うためにＵＥマルチグループ・オペレーションズ・モジュール１２４によって使用されうるデータを提供できる。
【００７３】
本明細書では、用語「モジュール」は、特定の要素またはコンポーネントが、ソフトウェアあるいはハードウェアとソフトウェアとの組み合わせで実装できることを意味しうる。しかしながら、留意すべきは、本明細書に「モジュール」として示されるいずれの要素も、代わりにハードウェアで実装できることである。例えば、ＵＥマルチグループ・オペレーションズ・モジュール１２４は、ハードウェア、ソフトウェアまたは両方の組み合わせで実装できる。
【００７４】
一般に、ＵＥマルチグループ・オペレーションズ・モジュール１２４は、ＵＥ１０２が１つ以上のセル１１９、１２１の複数のグループを使用して１つ以上のｅＮＢ１６０と通信することを可能にする。ＵＥマルチグループ・オペレーションズ・モジュール１２４は、マルチグループ判定モジュール１２６、ＰＳＣｅｌｌ決定モジュール１２８、マルチグループ・タイミング・モジュール１３０、マルチグループ・モニタリング・モジュール１３２、マルチグループ・パス・ロス・モジュール１３４、マルチグループＰＵＣＣＨモジュール１３６およびマルチグループ・ハイブリッド自動再送要求（ＨＡＲＱ）モジュール１３８の１つ以上を含むことができる。
【００７５】
マルチグループ判定モジュール１２６は、ＵＥ１０２が１つ以上のｅＮＢ１６０と通信するために１つ以上のセル１１９、１２１の複数のグループを使用できるかどうかを判定するために、（例えば、第２のＵＥデコード信号１１０からの）受信信号情報を使用できる。例えば、この判定は、１つ以上のｅＮＢ１６０から受信されたシグナリングに基づくことができて、このシグナリングは、一方向に、あるいはＵＥ１０２から送られた信号に応答して送られたものである。
【００７６】
一構成において、ＵＥ１０２は、複数のセル１１９、１２１を検出できる。例えば、ＵＥ１０２は、１つ以上のｅＮＢ１６０がセル１１９、１２１へのアクセスを提供できるかどうかを検出するために、１つ以上の周波数帯をモニターできる。例として、ＵＥ１０２は、１つ以上のｅＮＢ１６０が通信のためにセル（単数または複数）１１９、１２１を提供できることを指示するブロードキャスト、タイミングまたはビーコン信号を１つ以上のｅＮＢ１６０から受信できる。別の例では、ＵＥ１０２が、信号またはメッセージ（例えば、検索信号またはメッセージ）を１つ以上のｅＮＢ１６０へ送信できる。そのときには１つ以上のｅＮＢ１６０が、ＵＥ１０２に応答して１つ以上のセル１１９、１２１を通信に使用できることを指示する信号を送ることができる。
【００７７】
マルチグループ判定モジュール１２６は、１つ以上のセル１１９、１２１の複数のグループを使用すべきかどうかを判定するために、追加または代わりの情報を使用できる。例えば、ＵＥ１０２は、チャネルまたはセル１１９、１２１の品質、ＵＥ１０２の能力、電池寿命、用途のタイプ（例えば、ストリーミング・メディア、音声通話、緊急事態など）および／または他の要因に基づいて、セル（単数または複数）１１９、１２１の複数のグループを使用すべきかどうかを判定できる。
【００７８】
マルチグループ判定モジュール１２６は、ＵＥ１０２のマルチグループ通信能力を１つ以上のｅＮＢ１６０に通知することもできる。例えば、ＵＥ１０２は、複数の上りリンク・タイミング調整を行うために、１つより多い送信機１５８を有する必要がありうる。リリース１０では、キャリアアグリゲーションがＵＥ送信機の実装に依存しないように構築される。しかしながら、ｅＮＢ１６０は、複数の上りリンク・タイムアラインメントをサポートすることがＵＥ１０２にとって可能かどうかを知る必要がありうる。ＵＥ１０２は、ある帯域の組み合わせにおいて複数の上りリンク・タイミング調整をサポートするその能力をｅＮＢ１６０に知らせる（例えば、メッセージまたは信号をｅＮＢ（単数または複数）１６０へ送る）ことができる、および／または上りリンク・タイミング調整グループの最大サポート可能数をｅＮＢに知らせることができる。このようにして、ｅＮＢ１６０は、ＵＥ１０２の送信機１５８実装に関するいくつかの情報を有することができる。
【００７９】
プライマリ・セカンダリセル（ＰＳＣｅｌｌ）決定モジュール１２８は、非ＰＣｅｌｌグループ・セル（単数または複数）１２１の１つ以上のグループのためのＰＳＣｅｌｌを決定できる。例えば、ＵＥ１０２は、１つ以上の非ＰＣｅｌｌグループ・セル１２１（例えば、非ＰＣｅｌｌグループ・セル（単数または複数）１２１のグループ）を使用して、１つ以上のｅＮＢ１６０と通信できる。非ＰＣｅｌｌグループ・セル（単数または複数）１２１は、１つ以上のＳＣｅｌｌを含むことができる。いくつかの構成では、各非ＰＣｅｌｌグループを、異なったサイト（例えば、ｅＮＢ１６０、リピータなど）を経由して送信することができる。ＰＳＣｅｌｌ決定モジュール１２８は、各非ＰＣｅｌｌグループのためのプライマリ・セカンダリセル（ＰＳＣｅｌｌ）を決定できる。
【００８０】
例えば、ＰＳＣｅｌｌ決定モジュール１２８は、ＵＥ固有の（明示的または暗黙的な）無線リソース管理（ＲＲＣ）シグナリングに基づいて、１つ以上のＰＳＣｅｌｌを決定できる。暗黙的なシグナリングの一例では、ランダムアクセスチャネル（ＲＡＣＨ）を用いて構成された（非ＰＣｅｌｌグループにおける）ＳＣｅｌｌが、対応する非ＰＣｅｌｌグループのためのＰＳＣｅｌｌであってもよい。別の例では、ＰＳＣｅｌｌは、（非ＰＣｅｌｌグループの）グループ構成における最下位のＳＣｅｌｌであってもよい。さらに別の例では、ＳＣｅｌｌ構成が上りリンク・タイミングのための基準セルを有し、この基準セルがＰＳＣｅｌｌである。例えば、セルインデックス＃０、＃１、＃２、＃３、＃４をもつセルをそれぞれＰＣｅｌｌ、ＳＣｅｌｌ＃１、ＳＣｅｌｌ＃２、ＳＣｅｌｌ＃３およびＳＣｅｌｌ＃４とすることができる。例を続けると、ＳＣｅｌｌ＃２は、上りリンク・タイミングのための基準セルとしてセルインデックス＃１を有することができて、これは、ＳＣｅｌｌ＃１がＳＣｅｌｌ＃２のためのＰＳＣｅｌｌであることを意味する。ＳＣｅｌｌ＃３は、上りリンク・タイミングのための基準セルとしてセルインデックス＃０を有しても、あるいは上りリンク・タイミングのための基準セル・パラメータを有さなくてもよく、これは、ＳＣｅｌｌ＃３がＰＣｅｌｌを含むグループに属することを意味する。
【００８１】
代わりに、ＰＳＣｅｌｌ決定モジュール１２８は、ＵＥ固有の明示的なＲＲＣシグナリングに基づいて、１つ以上のＰＳＣｅｌｌを決定できる。例えば、１つ以上のｅＮＢ１６０は、（１つ以上の非ＰＣｅｌｌグループのための）１つ以上のＰＳＣｅｌｌを明示的に識別するメッセージをＵＥ１０２へ送ることができる。
【００８２】
マルチグループ・タイミング・モジュール１３０は、１つ以上のグループのための送信タイミングを制御（例えば、調整）できる。例えば、マルチグループ・タイミング・モジュール１３０は、１つ以上の非ＰＣｅｌｌグループのための送信タイミングを調整できる。例として、マルチグループ・タイミング・モジュール１３０は、ＵＥ１０２から１つ以上のｅＮＢ１６０へ送信される非ＰＣｅｌｌグループ信号のタイミングを進めるか、または遅らせることができる。送信タイミングは、ＰＣｅｌｌグループと１つ以上の非ＰＣｅｌｌグループとの間で異なってもよい。加えて、または代わりに、送信タイミングは、別個の非ＰＣｅｌｌグループの間で異なってもよい。
【００８３】
一構成において、ＵＥ１０２は、タイミングアドバンスコマンドに基づいて、プライマリセル（ＰＣｅｌｌ）の物理上りリンク制御チャンル（ＰＵＣＣＨ）、物理上りリンク共有チャネル（ＰＵＳＣＨ）および／またはサウンディング基準信号（ＳＲＳ）のためのその上りリンク送信タイミングを調整できる。ランダムアクセスレスポンス中のタイミングアドバンスコマンドは、ＵＥ１０２がランダムアクセスプリアンブルを送った後に、ｅＮＢ１６０からＵＥ１０２へ送信できる。ｅＮＢ１６０がＵＥ１０２の上りリンク送信タイミングを変更したいときにいつでも、（タイミングアドバンスコマンドＭＡＣ要素を参照する）別のタイミングアドバンスコマンドをｅＮＢ１６０からＵＥ１０２へ送信することもできる。ＵＥ１０２の相対位置が、対応するｅＮＢ１６０に対して変化するにつれて、ＲＦ遅延の変化に対処するために、上りリンク送信タイミングを時々調整する必要がありうる。このようにして、ｅＮＢ１６０は、ＵＥからｅＮＢ１６０へのすべての信号が、同時に、あるいは直交周波数分割多重（ＯＦＤＭ）シンボルにおけるサイクリックプレフィックス以内にｅＮＢ１６０に到達するように規定できる。
【００８４】
ランダムアクセスレスポンスの場合には、上記のように１１ビットのタイミングアドバンスコマンドＴＡを使用できる。他の場合には、上記のように６ビットのタイミングアドバンスコマンドＴＡが現在のＮＴＡ値の調整を指示できる。
【００８５】
典型的には、セカンダリセル（ＳＣｅｌｌ）の物理上りリンク共有チャネル（ＰＵＳＣＨ）および／またはサウンディング基準信号（ＳＲＳ）のための上りリンク送信タイミングは、プライマリセル（ＰＣｅｌｌ）の上りリンク送信タイミングと同じにすることができる。しかしながら、異なった送信および／または受信サイト（例えば、異なったｅＮＢ１６０、ＲＲＨまたはリピータなど）を用いて、セル間のアグリゲーションが導入されることがありうる。この場合に、ＵＥ１０２は、各セルまたは１つ以上のセルのグループのために異なった上りリンク送信タイミングを有する必要がありうる。マルチグループ・タイミング・モジュール１３０は、１つ以上のグループ（例えば、ＰＣｅｌｌグループおよび／または１つ以上の非ＰＣｅｌｌグループ）のための送信タイミングを制御または調整できる。
【００８６】
一構成において、ＰＣｅｌｌグループにおける各ＳＣｅｌｌ１１９のＰＵＳＣＨおよび／またはＳＲＳのための上りリンク送信タイミングは、対応するＰＣｅｌｌのための上りリンク送信タイミングと同じにすることができる。本明細書に開示されるシステムおよび方法に従って、非ＰＣｅｌｌグループにおける各ＳＣｅｌｌ１２１のＰＵＳＣＨおよび／またはＳＲＳのための上りリンク送信タイミングは、対応するＰＳＣｅｌｌのための上りリンク送信タイミングと同じにすることができる。留意すべきは、各サービングセル１１９、１２１が下りリンクを有し、随意的に上りリンクを有しうることである。そのうえ、各サービング下りリンク・キャリアおよび上りリンク・キャリアは、１つのサービングセル１１９、１２１に属することができる。
【００８７】
ＵＥ１０２からの信号は、１つ以上の特定された時間に１つ以上のｅＮＢ１６０へ到達する必要がありうるので、上りリンク送信タイミングを調整することが必要であろう。例えば、ｅＮＢ１６０へ送信されたすべての信号は、同時に、あるいはＯＦＤＭシンボルにおけるサイクリックプレフィックス以内にｅＮＢ１６０に到達する必要がありうる。３ＧＰＰリリース１０では、ＵＥは、すべてのサービングセルのために同じ送信タイミングを使用する。その場合には、上りリンク送信タイミングを整合させるべきグループが１つしかないので、タイミングアドバンスコマンドがどのセルまたはセルのグループに対応するかを区別する必要はない。
【００８８】
ランダムアクセスレスポンス中のタイミングアドバンスコマンドは、ＵＥ１０２がランダムアクセスプリアンブルをＰＣｅｌｌまたはＰＳＣｅｌｌで送った後に、そのＰＣｅｌｌまたはＰＳＣｅｌｌでｅＮＢ１６０から送信され、ＵＥ１０２によって受信されることができる。このランダムアクセスレスポンスは、ランダムアクセスレスポンスを含むＰＤＳＣＨをスケジューリングするために使用される識別子である、ランダムアクセス無線ネットワーク一時識別子（ＲＡ−ＲＮＴＩ）を含むＰＤＣＣＨによってスケジューリングできる。
【００８９】
受信されたランダムアクセスレスポンスの対象であるＰＣｅｌｌまたはＳＣｅｌｌは、ランダムアクセスレスポンスがどのサービングセル１１９、１２１にスケジューリングされたかによって区別できる。例えば、マルチグループ・タイミング・モジュール１３０は、ランダムアクセスレスポンスがどのサービングセルにスケジューリングされたかを判定することによって、どのセル１１９、１２１（例えば、ＰＣｅｌｌ、ＳＣｅｌｌなど）が、受信されたランダムアクセスレスポンスに対応するかを判定できる。ランダムアクセスレスポンスがスケジューリングされたサービングセルは、ランダムアクセスレスポンスのためのＨＡＲＱエンティティ、ＰＤＣＣＨまたはＰＤＳＣＨを有するセル１１９、１２１を識別することによって判定できる。
【００９０】
一構成において、マルチグループ・タイミング・モジュール１３０は、かくしてランダムアクセスレスポンスのためのＨＡＲＱエンティティ、ＰＤＣＣＨまたはＰＤＳＣＨを有するセル１１９、１２１を識別することによって、どのセル１１９、１２１が、受信されたランダムアクセスレスポンスに対応するかを判定できる。ＰＣｅｌｌ下りリンク（ＤＬ）にスケジューリングされたランダムアクセスレスポンスは、ＰＣｅｌｌ上りリンクのための上りリンク（ＵＬ）送信タイミング調整に使用できる。ＰＳＣｅｌｌ下りリンク（ＤＬ）にスケジューリングされたランダムアクセスレスポンスは、ＰＳＣｅｌｌ上りリンクのための上りリンク（ＵＬ）送信タイミング調整に使用できる。例えば、マルチグループ・タイミング・モジュール１３０は、対応するタイミングアドバンスコマンドに基づいて、（１つ以上の非ＰＣｅｌｌグループにおける）１つ以上の非ＰＣｅｌｌグループ・セル１２１のための送信のタイミングを進めるか、または遅らせることができる。一構成において、非ＰＣｅｌｌグループにおけるＳＣｅｌｌ１２１の上りリンク送信タイミングは、そのグループにおけるＰＳＣｅｌｌの送信タイミングと一致するように調整できる。ｅＮＢからＵＥへのＰＳＣｅｌｌでのランダムアクセスを指令するためのＰＤＣＣＨ検出が、ＰＳＣｅｌｌ中であってもよく、ＰＳＣｅｌｌでのランダムアクセスのための競合解決が、ＰＳＣｅｌｌ中であってもよいことにも留意すべきである。
【００９１】
ｅＮＢ１６０がＵＥ１０２の上りリンク送信タイミングを変更したいときにいつでも、別のタイミングアドバンスコマンド（例えば、タイミングアドバンスコマンドＭＡＣ制御要素）をｅＮＢ１６０からＵＥ１０２へ送信できる。受信されたタイミングアドバンスコマンドがＰＣｅｌｌに対するものか、あるいはＰＳＣｅｌｌに対するものかは、タイミングアドバンスコマンドがどのサービングセル１１９、１２１にスケジューリングされたかに基づいて区別できる。タイミングアドバンスコマンドがスケジューリングされたサービングセル１１９、１２１は、タイミングアドバンスコマンドのためのＨＡＲＱエンティティ、ＰＤＣＣＨまたはＰＤＳＣＨを有するセルを識別することによって判定できる。例えば、マルチグループ・タイミング・モジュール１３０は、タイミングアドバンスコマンドのためのＨＡＲＱエンティティ、ＰＤＣＣＨまたはＰＤＳＣＨを有するセルを識別することによって、タイミングアドバンスコマンドがどのセル１１９、１２１（例えば、ＰＣｅｌｌ、ＰＳＣｅｌｌなど）に対するものかを判定できる。
【００９２】
ＰＣｅｌｌ下りリンクを含むグループ（例えば、ＰＣｅｌｌグループ）における任意のサービングセルにスケジューリングされたタイミングアドバンスコマンドは、ＰＣｅｌｌ上りリンクのための上りリンク送信タイミング調整に使用できる。ＰＣｅｌｌグループにおける任意のＳＣｅｌｌの送信タイミングは、ＰＣｅｌｌの送信タイミングと一致させることができる。
【００９３】
ＰＳＣｅｌｌ下りリンクを含むグループ（例えば、非ＰＣｅｌｌグループ）における任意のサービングセル（単数または複数）にスケジューリングされたタイミングアドバンスコマンドは、ＰＳＣｅｌｌ上りリンクのための上りリンク送信タイミング調整に使用できる。例えば、マルチグループ・タイミング・モジュール１３０は、対応するタイミングアドバンスコマンドに基づいて、（１つ以上の非ＰＣｅｌｌグループにおける）１つ以上の非ＰＣｅｌｌグループ・セル１２１のための送信のタイミングを進めるか、または遅らせることができる。非ＰＣｅｌｌグループにおける任意のＳＣｅｌｌ１２１の送信タイミングは、対応するＰＳＣｅｌｌのものと一致するように調整できる。
【００９４】
別の構成では、タイミングアドバンスコマンドＭＡＣ制御要素、またはタイミングアドバンスコマンドＭＡＣ制御要素のＭＡＣヘッダーが、コマンドがどのグループに対応するかを指示できる。グループ指示は、対応するグループに含まれるＰＳＣｅｌｌのセルインデックスであってもよい。
【００９５】
マルチグループ・モニタリング・モジュール１３２は、複数のグループのための共通検索空間をモニターするために使用できる。典型的には、ＰＣｅｌｌに１つだけの共通検索空間があり、ＳＣｅｌｌには共通検索空間がない。しかしながら、本明細書に開示されるシステムおよび方法に従って、１つ以上の追加的な共通検索空間を１つ以上の対応するＰＳＣｅｌｌ（単数または複数）で使用できる。ＵＥ１０２は、上位層のシグナリングによって構成されるような、１つ以上のアクティブ化されたサービングセル１１９、１２１に関する制御情報を求めてＰＤＣＣＨ候補のセットをモニターできる。１つより多いサービングセルをＲＲＣシグナリングによって構成することができて、ＭＡＣシグナリングによってサービングセルをアクティブ化または非アクティブ化できる。
【００９６】
検索空間の観点から、モニターすべきＰＤＣＣＨ候補のセットを定義できる。典型的には、プライマリセル（ＰＣｅｌｌ）１１９上に共通検索空間があり、ＰＣｅｌｌ１１９および／または１つ以上のＳＣｅｌｌ上にＵＥ固有の検索空間がある。この場合に、共通検索空間は、セル固有であってＰＣｅｌｌ上にだけありうる。ＵＥ固有の検索空間は、セル無線ネットワーク一時識別子またはＣ−ＲＮＴＩ（例えば、ユーザ機器識別子（ＵＥＩＤ））によって定義できて、各サービングセル１１９、１２１のために用意できる。
【００９７】
典型的に、共通検索空間では、様々な種類の情報またはデータを送信できる。例えば、共通検索空間では、システム情報またはページング情報、ランダムアクセス関連情報または通常のＵＥ１０２送信データ１４６をスケジューリングするためのＰＤＣＣＨを送信できる。ＵＥ１０２の物理層は、ＲＮＴＩを用いて上位層によって定義することができる。ＵＥ１０２は、ＲＮＴＩによってスクランブルされた巡回冗長検査（ＣＲＣ）をもつＰＤＣＣＨをデコードできる。ＰＤＣＣＨによって伝えられる下りリンク制御情報は、添付されたＣＲＣを有しうる。ＣＲＣは、ＲＮＴＩによってスクランブルできる。例えば、ＣＲＣは、ＲＮＴＩとのＸＯＲがとられてもよい。無線ネットワーク一時識別子（ＲＮＴＩ）のいくつかの例は、システム情報ＲＮＴＩ（ＳＩ−ＲＮＴＩ）、ページングＲＮＴＩ（Ｐ−ＲＮＴＩ）、セルＲＮＴＩ（Ｃ−ＲＮＴＩ）、ランダムアクセスＲＮＴＩ（ＲＡ−ＲＮＴＩ）、セミパーシステント・スケジューリングＣ−ＲＮＴＩ（ＳＰＳ  Ｃ−ＲＮＴＩ）、一時Ｃ−ＲＮＴＩ、送信電力制御物理上りリンク制御チャネルＲＮＴＩ（ＴＰＣ−ＰＵＣＣＨ−ＲＮＴＩ）および送信電力制御物理上りリンク共有チャネルＲＮＴＩ（ＴＰＣ−ＰＵＳＣＨ−ＲＮＴＩ）を含む。いくつかの場合には、ＵＥ１０２は、ＲＮＴＩを（例えば、それがモニターされるように構成されている場合）モニターできる。ＰＤＣＣＨランダムアクセス関連スケジューリング情報にはＲＡ−ＲＮＴＩおよび一時Ｃ−ＲＮＴＩを使用できる。
【００９８】
しかしながら、本明細書に開示されるシステムおよび方法に従い、かつ複数のタイムアラインメントを有するためには、ＵＥ１０２がランダムアクセス手順をＰＳＣｅｌｌ１２１で行う必要がありうる。かくして、ＰＣｅｌｌ１１９における共通検索空間に加えて、ＰＳＣｅｌｌ１２１における共通検索空間でＰＤＣＣＨをモニターするために、ランダムアクセスチャネル（ＲＡＣＨ）をもつＳＣｅｌｌを用いて構成されたＵＥ１０２が必要とされうる。ＳＩ−ＲＮＴＩ、Ｐ−ＲＮＴＩおよびＳＰＳ  Ｃ−ＲＮＴＩは、ＰＣｅｌｌ１１９における共通検索空間でモニターすれば十分でありうるので、これらをＰＳＣｅｌｌ１２１でモニターする必要はないであろう。それゆえに、ＰＳＣｅｌｌ１２１における共通探索空間では、マルチグループ・モニタリング・モジュール１３２によってＣ−ＲＮＴＩ、ＲＡ−ＲＮＴＩ、一時Ｃ−ＲＮＴＩ、ＴＰＣ−ＰＵＣＣＨ−ＲＮＴＩおよびＴＰＣ−ＰＵＳＣＨ−ＲＮＴＩがモニターされるとよい。
【００９９】
マルチグループ・パス・ロス・モジュール１３４は、１つ以上の非ＰＣｅｌｌグループに対する１つ以上のパス・ロス・インジケータを生成するために使用できる。一構成において、マルチグループ・パス・ロス・モジュール１３４は、ＰＣｅｌｌに対するパス・ロス・インジケータを生成するために追加的に使用できる。例えば、ＳＣｅｌｌ１２１が非ＰＣｅｌｌグループに属する場合に、マルチグループ・パス・ロス・モジュール１３４は、指定されたセル１２１に対応するパス・ロス・インジケータを生成できる。パス・ロスを測定するために使用されるセル１２１は、典型的なパス・ロス・パラメータ「ｐａｔｈｌｏｓｓＲｅｆｅｒｅｎｃｅ−ｒ１０（ｐＣｅｌｌ，ｓＣｅｌｌ）」ではなく、「ｐａｔｈｌｏｓｓＲｅｆｅｒｅｎｃｅ−ｒ１１（ｐｓＣｅｌｌ，ｓＣｅｌｌ）パラメータによって指定できる。
【０１００】
リリース１０では、例えば、ＲＲＣシグナリングによって構成可能でありうるパス・ロス基準セルとして、各ＳＣｅｌｌは、ＰＣｅｌｌまたはＳＣｅｌｌ自体を使用できる。ＳＣｅｌｌが、ＰＣｅｌｌをパス・ロス基準セルとして使用する場合、これは、クロスキャリア・パス・ロス基準を示す。ＳＣｅｌｌが、ＳＣｅｌｌをパス・ロス基準セルとして使用する場合、これは、非クロスキャリア・パス・ロス基準を示す。言い換えれば、ＰＣｅｌｌは、他のセル（単数または複数）に対するパス・ロス参照として使用できるが、ＳＣｅｌｌは、他のセル（単数または複数）に対するパス・ロス参照として使用できない。各ＳＣｅｌｌ構成におけるＳＣｅｌｌのパス・ロス測定用の基準としてどのＰＣｅｌｌまたはＳＣｅｌｌが使用されるかを指示するＲＲＣパラメータ「ｐａｔｈｌｏｓｓＲｅｆｅｒｅｎｃｅ−ｒ１０」を使用できる。（ｅＮＢからＵＥへ送信できる）このＲＲＣパラメータ「ｐａｔｈｌｏｓｓＲｅｆｅｒｅｎｃｅ−ｒ１０」を各ＳＣｅｌｌ構成に含むことができる。しかしながら、本明細書に開示されるシステムおよび方法に従って、グループ間で異なった上りリンク送信タイミングを使用することは、各グループが異なったパス・ロスを有してもよいことを意味しうる。ＳＣｅｌｌ１２１が属するグループがＰＣｅｌｌ１１９を含まない場合、ＰＣｅｌｌ１１９とＳＣｅｌｌ１２１との間で選択することは、有用ではありえない。ＵＥ１０２が複数の上りリンク・タイムアラインメントを用いて構成された場合、各ＳＣｅｌｌ構成におけるＳＣｅｌｌ１２１のパス・ロス測定用の基準としてどのＰＳＣｅｌｌ１２１またはＳＣｅｌｌ１２１が使用されるかを指示する「ｐａｔｈｌｏｓｓＲｅｆｅｒｅｎｃｅ−ｒ１１」パラメータを使用できる。それゆえに、ＳＣｅｌｌ１２１が非ＰＣｅｌｌグループに属する場合には、典型的なパラメータ「ｐａｔｈｌｏｓｓＲｅｆｅｒｅｎｃｅ−ｒ１０（ｐＣｅｌｌ、ｓＣｅｌｌ）」を「ｐａｔｈｌｏｓｓＲｅｆｅｒｅｎｃｅ−ｒ１１（ｐｓＣｅｌｌ、ｓＣｅｌｌ）」によって置き換えることができる。別の構成では、ＰＣｅｌｌ、ＰＳＣｅｌｌおよびＳＣｅｌｌからの選択を利用できる（例えば、「ｐａｔｈｌｏｓｓＲｅｆｅｒｅｎｃｅ−ｒ１１（ｐＣｅｌｌ、ｐｓＣｅｌｌ、ｓＣｅｌｌ」パラメータを使用できる）。ｐａｔｈｌｏｓｓＲｅｆｅｒｅｎｃｅ−ｒ１１パラメータは、ｅＮＢからＵＥへ送られることができる。
【０１０１】
マルチグループＰＵＣＣＨモジュール１３６は、１つ以上の非ＰＣｅｌｌグループに対応する１つ以上のＰＵＣＣＨを構成できる。例えば、ＰＣｅｌｌ１１９に対応するＰＵＣＣＨに加えて、ＰＳＣｅｌｌ１２１がＰＵＣＣＨを有することができる。典型的には、ＰＵＣＣＨは、上りリンク送信電力の軽減のためにＰＣｅｌｌ１１９にだけ割り当てることが可能である。しかしながら、ＵＥ１０２が複数の上りリンク・タイムアラインメントを用いて構成された場合、ｅＮＢ１６０は、ＰＵＣＣＨをＰＳＣｅｌｌに割り当てることができる。ＰＵＣＣＨ上の周期的チャネル品質インジケータ、プリコーディング・マトリックス・インジケータおよび／またはランク・インジケータ（ＣＱＩ／ＰＭＩ／ＲＩ）リポートは、ＲＲＣメッセージを使用してそれらのリソースを準静的に割り当てることができるので、ＰＳＣｅｌｌ１２１におけるＰＵＣＣＨへマッピングされるように修正できる。
【０１０２】
マルチグループＨＡＲＱモジュール１３８は、１つ以上の非ＰＣｅｌｌグループに対する１つ以上のＡＣＫ／ＮＡＣＫを発生できる。例えば、グループにおける非ＰＣｅｌｌグループ・セル１２１に対応するハイブリッド自動再送要求肯定応答（ＨＡＲＱ−ＡＣＫ）をグループにおけるＰＳＣｅｌｌ１２１上で送信できる。
【０１０３】
ハイブリッド自動再送要求肯定応答（ＨＡＲＱ−ＡＣＫ）は、ＰＳＣｅｌｌ１２１におけるＰＵＣＣＨへ随意的にマッピングできる。ＨＡＲＱ−ＡＣＫは、１つ以上のサービングセル１２１の各グループに基づいて発生できる。いくつかの構成では、グループにおけるセル１１９、１２１に対応するＨＡＲＱ−ＡＣＫ（単数または複数）をグループにおけるＰＣｅｌｌ１１９またはＰＳＣｅｌｌ１２１上で送信できる。このアプローチは、ＨＡＲＱプロセスを各グループに分割できるので、グループ間のタイミング差に起因するバッファーリング問題の取り扱いが容易になりうる。
【０１０４】
ＵＥマルチグループ・オペレーションズ・モジュール１２４は、情報１４２をエンコーダ１５０に提供できる。この情報１４２は、エンコーダ１５０に対する命令および／またはコード化すべきデータを含むことができる。例えば、ＵＥマルチグループ・オペレーションズ・モジュール１２４は、送信タイミングをシフトするようにエンコーダ１５０に命令する、１つ以上の非ＰＣｅｌｌグループのためのコード化速度および／またはタイプに関してエンコーダ１５０に命令する、ならびに／または１つ以上の非ＰＣｅｌｌ  ＰＵＣＣＨへの送信データ１４６のマッピングに関してエンコーダ１５０に命令することができる。加えて、または代わりに、情報１４２は、コード化すべきデータ、例えば、ＵＥ１０２のマルチグループ能力、１つ以上の非ＰＣｅｌｌグループに対するＡＣＫ／ＮＡＣＫ、および／または１つ以上の非ＰＣｅｌｌグループに対する１つ以上のパス・ロス・インジケータを指示するメッセージを含むことができる。
【０１０５】
エンコーダ１５０は、送信データ１４６および／またはＵＥマルチグループ・オペレーションズ・モジュール１２４によって提供された他の情報１４２をコード化できる。例えば、データ１４６および／または他の情報１４２をコード化することは、誤り検出および／または訂正コーディング、送信のための空間、時間および／または周波数リソースへのデータのマッピング（例えば、時空間ブロック・コーディング（ＳＴＢＣ：ｓｐａｃｅ−ｔｉｍｅ  ｂｌｏｃｋ  ｃｏｄｉｎｇ））などを伴うことができる。エンコーダ１５０は、コード化されたデータ１５２を変調器１５４に提供できる。
【０１０６】
ＵＥマルチグループ・オペレーションズ・モジュール１２４は、情報１４４を変調器１５４に提供できる。この情報１４４は、変調器１５４に対する命令を含むことができる。例えば、ＵＥマルチグループ・オペレーションズ・モジュール１２４は、送信タイミングをシフトするように変調器１５４に命令する、および／または１つ以上の非ＰＣｅｌｌグループのための変調型（例えば、コンステレーション・マッピング）に関して変調器１５４に命令することができる。変調器１５４は、１つ以上の変調信号１５６を１つ以上の送信機１５８に提供するために、コード化されたデータ１５２を変調できる。
【０１０７】
ＵＥマルチグループ・オペレーションズ・モジュール１２４は、情報１４０を１つ以上の送信機１５８に提供できる。この情報１４０は、１つ以上の送信機１５８に対する命令を含むことができる。例えば、ＵＥマルチグループ・オペレーションズ・モジュール１２４は、１つ以上の非ＰＣｅｌｌグループのための送信タイミングをシフトするように、１つ以上の送信機１５８に命令できる。１つ以上の送信機１５８は、１つ以上のｅＮＢ１６０へ変調信号（単数または複数）１５６をアップコンバートして送信できる。留意すべきは、複数の上りリンク・タイミング調整を行うために、ＵＥ１０２が１つより多い送信機１５８を有する必要がありうることである。
【０１０８】
１つ以上のｅＮＢ１６０のそれぞれは、１つ以上のトランシーバ１７６、１つ以上の復調器１７２、１つ以上のデコーダ１６６、１つ以上のエンコーダ１０９、１つ以上の変調器１１３およびｅＮＢグループ・オペレーションズ・モジュール１８２を含むことができる。例えば、ｅＮＢ１６０では１つ以上の受信および／または送信経路を使用できる。便宜上、単一のトランシーバ１７６、デコーダ１６６、復調器１７２、エンコーダ１０９および変調器１１３だけが示されるが、構成に依存して複数の並列要素１７６、１６６、１７２、１０９、１１３を使用できる。
【０１０９】
トランシーバ１７６は、１つ以上の受信機１７８および１つ以上の送信機１１７を含むことができる。１つ以上の受信機１７８は、１つ以上のアンテナ１８０ａ〜ｎを使用して信号をＵＥ１０２から受信できる。例えば、受信機１７８は、１つ以上の受信信号１７４を生成するために、信号を受信してダウンコンバートできる。１つ以上の受信信号１７４は、復調器１７２に提供されることができる。１つ以上の送信機１１７は、１つ以上のアンテナ１８０ａ〜ｎを使用して信号をＵＥ１０２へ送信できる。例えば、１つ以上の送信機１１７は、１つ以上の変調信号１１５をアップコンバートして送信できる。
【０１１０】
復調器１７２は、１つ以上の復調信号１７０を生成するために、１つ以上の受信信号１７４を復調できる。１つ以上の復調信号１７０は、デコーダ１６６に提供されることができる。ｅＮＢ１６０は、信号をデコードするためにデコーダ１６６を使用できる。デコーダ１６６は、１つ以上のデコード信号１６４、１６８を生成できる。例えば、第１のｅＮＢデコード信号１６４は、受信されたペイロード・データ１６２を備えることができる。第２のｅＮＢデコード信号１６８は、オーバーヘッド・データおよび／または制御データを備えることができる。例えば、第２のＵＥデコード信号１６８は、１つ以上のオペレーションを行うために、ｅＮＢグループ・オペレーションズ・モジュール１８２によって使用されうるデータを提供できる。
【０１１１】
一般に、ｅＮＢグループ・オペレーションズ・モジュール１８２は、ｅＮＢ１６０が、１つ以上のセル１１９、１２１の複数のグループを使用しているＵＥ１０２と通信することを可能にする。ｅＮＢグループ・オペレーションズ・モジュール１８２は、グループ送信モジュール１９６、ＰＳＣｅｌｌ指定モジュール１９４、グループ・タイミング・モジュール１８６、グループ・スケジューリング・モジュール１９２、グループ・パス・ロス・モジュール１９０、グループＰＵＣＣＨモジュール１８４およびマルチグループ・ハイブリッド自動再送要求（ＨＡＲＱ）モジュール１８８の１つ以上を含むことができる。
【０１１２】
グループ送信モジュール１９６は、ＵＥ１０２のグループ送信能力を判定できる。例えば、グループ送信モジュール１９６は、ＵＥ１０２が１つ以上のｅＮＢ１６０と通信するために１つ以上のセル１１９、１２１の複数のグループを使用できるかどうかを判定するために、（例えば、第２のＵＥデコード信号１６８からの）受信信号情報を使用できる。上記のように、ＵＥ１０２は、複数の送信タイミングアラインメントを使用するために、複数の送信機１５８を有する必要がありうる。例として、受信信号情報は、（ある帯域の組み合わせにおいて）複数のタイミング調整を行うことがＵＥ１０２にとって可能かどうかを指示できる、および／または上りリンク・タイミング調整グループの最大サポート可能数を指示できる。この判定は、ＵＥ１０２から受信されたシグナリングに基づくことができて、このシグナリングは、一方向に、あるいはｅＮＢ１６０から送られた信号に応答して送られたものである。
【０１１３】
プライマリ・セカンダリセル（ＰＳＣｅｌｌ）指定モジュール１９４は、非ＰＣｅｌｌグループ・セル（単数または複数）１２１の１つ以上のグループのためのＰＳＣｅｌｌを指定できる。例えば、ｅＮＢ１６０は、１つ以上の非ＰＣｅｌｌグループ・セル（単数または複数）１２１を使用してＵＥ１０２と通信できる。非ＰＣｅｌｌグループ・セル（単数または複数）１２１は、１つ以上のＳＣｅｌｌを含むことができる。ｅＮＢ１６０は、１つ以上の非ＰＣｅｌｌグループ（例えば、非ＰＣｅｌｌグループ・セル（単数または複数）１２１のグループ）を使用して通信できる。いくつかの構成では、各非ＰＣｅｌｌグループは、異なったサイト（例えば、ＲＲＨ、リピータなど）を経由して送信できる。ＰＳＣｅｌｌ指定モジュール１９４は、１つ以上の非ＰＣｅｌｌグループのためのプライマリ・セカンダリセル（ＰＳＣｅｌｌ）を指定するＵＥへのメッセージを発生させる、および／または送ることができる。
【０１１４】
例えば、ＰＳＣｅｌｌ指定モジュール１９４は、ＵＥ固有の（明示的または暗黙的な）無線リソース管理（ＲＲＣ）シグナリングを使用して１つ以上のＰＳＣｅｌｌを指定できる。暗黙的なシグナリングの一例では、ランダムアクセスチャネル（ＲＡＣＨ）を用いて構成された（非ＰＣｅｌｌグループにおける）ＳＣｅｌｌが、対応する非ＰＣｅｌｌグループのためのＰＳＣｅｌｌであってもよい。別の例では、ＰＳＣｅｌｌは、（非ＰＣｅｌｌグループの）グループ構成における最下位のＳＣｅｌｌであってもよい。さらに別の例では、ＳＣｅｌｌ構成が上りリンク・タイミングのための基準セルを有し、この基準セルがＰＳＣｅｌｌである。例えば、セルインデックス＃０、＃１、＃２、＃３、＃４をもつセルをそれぞれＰＣｅｌｌ、ＳＣｅｌｌ＃１、ＳＣｅｌｌ＃２、ＳＣｅｌｌ＃３およびＳＣｅｌｌ＃４とすることができる。例を続けると、ＳＣｅｌｌ＃２は、上りリンク・タイミングのための基準セルとしてセルインデックス＃１を有することができて、これは、ＳＣｅｌｌ＃１がＳＣｅｌｌ＃２のためのＰＳＣｅｌｌであることを意味する。ＳＣｅｌｌ＃３は、上りリンク・タイミングのための基準セルとしてセルインデックス＃０を有しても、あるいは上りリンク・タイミングのための基準セル・パラメータを有さなくてもよく、これは、ＳＣｅｌｌ＃３がＰＣｅｌｌを含むグループに属することを意味する。
【０１１５】
代わりに、ＰＳＣｅｌｌ指定モジュール１９４は、ＵＥ固有の明示的なＲＲＣシグナリングを使用して１つ以上のＰＳＣｅｌｌを指定できる。例えば、ｅＮＢ１６０は、（１つ以上の非ＰＣｅｌｌグループのための）１つ以上のＰＳＣｅｌｌを明示的に識別するメッセージをＵＥ１０２へ送ることができる。
【０１１６】
グループ・タイミング・モジュール１８６は、１つ以上のグループのための送信タイミングを管理できる。例えば、グループ・タイミング・モジュール１８６は、１つ以上の非ＰＣｅｌｌグループのための送信タイミングを調整するために、タイミング調整メッセージ（例えば、タイミングアドバンスコマンド）をＵＥ１０２へ送ることができる。例として、ＵＥ１０２は、ｅＮＢ１６０から送られた１つ以上のタイミングアドバンスコマンドに基づいて、ｅＮＢ１６０に対応するＵＥ１０２から送信される非ＰＣｅｌｌグループ信号のタイミングを進めるか、または遅らせることができる。送信タイミングは、ＰＣｅｌｌグループと１つ以上の非ＰＣｅｌｌグループとの間で異なってもよい。加えて、または代わりに、送信タイミングは、別個の非ＰＣｅｌｌグループ間で異なってもよい。
【０１１７】
一構成において、ＵＥ１０２は、ｅＮＢ１６０からのタイミングアドバンスコマンド（例えば、メッセージ）に基づいて、プライマリセル（ＰＣｅｌｌ）の物理上りリンク制御チャネル（ＰＵＣＣＨ）、物理上りリンク共有チャネル（ＰＵＳＣＨ）および／またはサウンディング基準信号（ＳＲＳ）のためのその上りリンク送信タイミングを調整できる。ランダムアクセスレスポンス中のタイミングアドバンスコマンドは、ＵＥ１０２がランダムアクセスプリアンブルを（ｅＮＢ１６０へ）送った後に、ｅＮＢ１６０からＵＥ１０２へ送信できる。ｅＮＢ１６０がＵＥ１０２の上りリンク送信タイミングを変更したいときにいつでも、（タイミングアドバンスコマンドＭＡＣ要素を参照する）別のタイミングアドバンスコマンドもｅＮＢ１６０からＵＥ１０２へ送信される。ＵＥ１０２の相対位置が、対応するｅＮＢ１６０に対して変化するにつれて、ＲＦ遅延の変化に対処するために、上りリンク送信タイミングを時々調整する必要がありうる。このようにして、ｅＮＢ１６０は、ＵＥからｅＮＢ１６０へのすべての信号が、同時に、あるいは直交周波数分割多重（ＯＦＤＭ）シンボルにおけるサイクリックプレフィックス以内にｅＮＢ１６０に到達するように規定できる。
【０１１８】
ランダムアクセスレスポンスの場合には、上記のように１１ビットのタイミングアドバンスコマンドＴＡをｅＮＢ１６０から送信できる。他の場合には、上記のように６ビットのタイミングアドバンスコマンドＴＡをｅＮＢ１６０から送信できて、現在のＮＴＡ値の調整を指示できる。
【０１１９】
典型的には、セカンダリセル（ＳＣｅｌｌ）の物理上りリンク共有チャネル（ＰＵＳＣＨ）および／またはサウンディング基準信号（ＳＲＳ）のための上りリンク送信タイミングは、プライマリセル（ＰＣｅｌｌ）の上りリンク送信タイミングと同じにすることができる。しかしながら、異なった送信および／または受信サイト（例えば、異なったｅＮＢ、ＲＲＨまたはリピータなど）を用いて、セル間のアグリゲーションが導入されることがありうる。この場合には、ｅＮＢ１６０は、各セルまたは１つ以上のセルのグループのために異なった上りリンク送信タイミングを有する必要がありうる。グループ・タイミング・モジュール１８６は、１つ以上のグループ（例えば、ＰＣｅｌｌグループおよび／または１つ以上の非ＰＣｅｌｌグループ）のための送信タイミングを制御または調整するために、コマンドを発生して送ることができる。
【０１２０】
ランダムアクセスレスポンス中のタイミングアドバンスコマンドは、ＵＥ１０２がランダムアクセスプリアンブルをＰＣｅｌｌまたはＰＳＣｅｌｌで送った後に、そのＰＣｅｌｌまたはＰＳＣｅｌｌでｅＮＢ１６０から送信され、ＵＥ１０２によって受信されることができる。このランダムアクセスレスポンスは、ランダムアクセスレスポンスを含むＰＤＳＣＨをスケジューリングするために使用される識別子である、ランダムアクセス無線ネットワーク一時識別子（ＲＡ−ＲＮＴＩ）を含むＰＤＣＣＨによってスケジューリングできる。ランダムアクセスレスポンスに対するＰＣｅｌｌまたはＳＣｅｌｌは、ランダムアクセスレスポンスがどのサービングセル１１９，１２１にスケジューリングされたかによって指示できる。ランダムアクセスレスポンスがスケジューリングされたサービングセルは、ランダムアクセスレスポンスのためのＨＡＲＱエンティティ、ＰＤＣＣＨまたはＰＤＳＣＨを有するセル１１９、１２１によって指示できる。
【０１２１】
ｅＮＢ１６０がＵＥ１０２の上りリンク送信タイミングを変更したいときにいつでも、別のタイミングアドバンスコマンド（例えば、タイミングアドバンスコマンドＭＡＣ要素）をｅＮＢ１６０からＵＥ１０２へ送信できる。受信されたタイミングアドバンスコマンドがＰＣｅｌｌに対するものか、あるいはＰＳＣｅｌｌに対するものかは、タイミングアドバンスコマンドがどのサービングセル１１９、１２１にスケジューリングされたかに基づいて指示できる。例えば、タイミングアドバンスコマンドがどのセル１１９、１２１（例えば、ＰＣｅｌｌ、ＰＳＣｅｌｌなど）に対するものかは、タイミングアドバンスコマンドのためのＨＡＲＱエンティティ、ＰＤＣＣＨまたはＰＤＳＣＨを有するセルによって指示できる。
【０１２２】
いくつかの構成では、ｅＮＢ１６０は、コマンドがどのグループに対応するかを指示できるタイミングアドバンスコマンドＭＡＣ制御要素、またはタイミングアドバンスコマンドＭＡＣ制御要素のＭＡＣヘッダーを使用できる。グループ指示は、対応するグループに含まれるＰＳＣｅｌｌのセルインデックスであってもよい。
【０１２３】
グループ・スケジューリング・モジュール１９２は、セル１１９、１２１の１つ以上のグループのための通信をスケジューリングするために使用できる。例えば、グループ・スケジューリング・ブロック／モジュール１９２は、ランダムアクセスレスポンスをＵＥ１０２へ送ることによって、通信リソースをＵＥ１０２に割り当てることができる。上述の通り、ランダムアクセスレスポンスは、グループ・タイミング・モジュール１８６によって発生されるような、タイミングアドバンスコマンドも含むことができる。いくつかの事例では、ＰＤＣＣＨを使用してスケジューリング情報をＵＥ１０２へ送ることができる。
【０１２４】
例えば、システム情報またはページング情報をスケジューリングするためのＰＤＣＣＨをｅＮＢ１６０によって送信できる。ＵＥ１０２の物理層は、ＲＮＴＩを用いて上位層によって構成されることができる。ＰＤＣＣＨによって伝えられる下りリンク制御情報は、添付されたＣＲＣを有しうる。ｅＮＢ１６０は、ＲＮＴＩを使用してＣＲＣをスクランブルできる。例えば、ＣＲＣは、ＲＮＴＩとのＸＯＲがとられてもよい。ＰＤＣＣＨランダムアクセス関連スケジューリング情報にはＲＡ−ＲＮＴＩおよび一時Ｃ−ＲＮＴを使用できる。上記のように、ＰＳＣｅｌｌをクロスキャリア・スケジューリングすることはできないが、１つ以上のＳＣｅｌｌをスケジューリングできる。
【０１２５】
１つ以上の非ＰＣｅｌｌグループに対して１つ以上のパス・ロス・パラメータを管理するために、グループ・パス・ロス・モジュール１９０を使用できる。例えば、ＳＣｅｌｌ１２１が非ＰＣｅｌｌグループに属する場合に、グループ・パス・ロス・モジュール１９０は、パス・ロス基準として非ＰＣｅｌｌグループ・セル１２１を指定するために、典型的なパス・ロス・パラメータ（例えば、ｐａｔｈｌｏｓｓＲｅｆｅｒｅｎｃｅ−ｒ１０（ｐＣｅｌｌ，ｓＣｅｌｌ））ではなく、パス・ロス・パラメータ（例えば、ｐａｔｈｌｏｓｓＲｅｆｅｒｅｎｃｅ−ｒ１１（ｐｓＣｅｌｌ，ｓＣｅｌｌ）を発生できる。パス・ロス・パラメータは、パス・ロスを測定するためにＵＥ１０２によって使用されるセルを指定できる。
【０１２６】
グループＰＵＣＣＨモジュール１８４は、１つ以上の非ＰＣｅｌｌグループに対応する１つ以上のＰＵＣＣＨを割り当てるために使用できる。例えば、ＰＣｅｌｌ１１９に対応するＰＵＣＣＨに加えて、ＰＳＣｅｌｌ１２１がＰＵＣＣＨを有することができる。典型的には、ＰＵＣＣＨは、上りリンク送信電力の軽減のためにＰＣｅｌｌ１１９にだけ割り当てることが可能である。しかしながら、ＵＥ１０２が複数の上りリンク・タイムアラインメントを用いて構成された場合、ｅＮＢ１６０は、ＰＵＣＣＨをＰＳＣｅｌｌ１２１に割り当てることができる。
【０１２７】
グループＨＡＲＱモジュール１８８は、１つ以上の非ＰＣｅｌｌグループに対する１つ以上のＡＣＫ／ＮＡＣＫを受信できる。ｅＮＢ１６０は、１つ以上のＡＣＫ／ＮＡＣＫを使用して、ＵＥ１０２によって正しく受信されなかった情報を再送信できる。グループにおける非ＰＣｅｌｌグループ・セル１２１に対応するＡＣＫ／ＮＡＣＫは、グループにおけるＰＳＣｅｌｌ１２１上でｅＮＢ１６０によって受信できる。ＡＣＫ／ＮＡＣＫ（単数または複数）は、ＰＳＣｅｌｌ１２１におけるＰＵＣＣＨへ随意的にマッピングできる。いくつかの構成では、グループにおけるセル１１９、１２１に対応するＨＡＲＱ−ＡＣＫ（単数または複数）をグループにおけるＰＣｅｌｌ１１９またはＰＳＣｅｌｌ１２１上で受信できる。このアプローチは、ＨＡＲＱプロセスを各グループに分割できて、グループ間のタイミング差に起因するバッファーリング問題の取り扱いを容易にできるので、有益でありうる。
【０１２８】
ｅＮＢグループ・オペレーションズ・モジュール１８２は、情報１０１をエンコーダ１０９に提供できる。この情報１０１は、エンコーダ１０９に対する命令および／またはコード化すべきデータを含むことができる。例えば、ｅＮＢグループ・オペレーションズ・モジュール１８２は、１つ以上の非ＰＣｅｌｌのためのコード化速度および／またはタイプに関してエンコーダ１０９に命令できる、および／または１つ以上の非ＰＣｅｌｌ  ＰＵＣＣＨへの送信データ１０５のマッピングに関してエンコーダ１０９に命令できる。加えて、または代わりに、情報１０１は、コード化すべきデータ、例えば、タイミングアドバンスコマンド、スケジューリング情報、チャネル割り当ておよび／または他の制御情報を指示するメッセージを含むことができる。
【０１２９】
エンコーダ１０９は、送信データ１０５、および／またはｅＮＢグループ・オペレーションズ・モジュール１８２によって提供された他の情報１０１をコード化できる。例えば、データ１０５および／または他の情報１０１をコード化することは、誤り検出および／または訂正コーディング、送信のための空間、時間および／または周波数リソースへのデータのマッピング（例えば、時空間ブロック・コーディング（ＳＴＢＣ））などを伴うことができる。エンコーダ１０９は、コード化されたデータ１１１を変調器１１３に提供できる。送信データ１０５は、ＵＥ１０２へ中継されるべきネットワークデータを含むことができる。
【０１３０】
ｅＮＢグループ・オペレーションズ・モジュール１８２は、情報１０３を変調器１１３に提供できる。この情報１０３は、変調器１１３に対する命令を含むことができる。例えば、ｅＮＢグループ・オペレーションズ・モジュール１８２は、１つ以上の非ＰＣｅｌｌグループのための変調型（例えば、コンステレーション・マッピング）に関して変調器１１３に命令できる。変調器１１３は、１つ以上の変調信号１１５を１つ以上の送信器１１７に提供するために、コード化されたデータ１１１を変調できる。
【０１３１】
ｅＮＢグループ・オペレーションズ・モジュール１８２は、情報１９８を１つ以上の送信機１１７に提供できる。この情報１９８は、１つ以上の送信機１１７に対する命令を含むことができる。例えば、ｅＮＢグループ・オペレーションズ・モジュール１８２は、１つ以上の非ＰＣｅｌｌグループ・セル（単数または複数）１２１を形成するように１つ以上の送信機１１７に命令できる。１つ以上の送信器１１７は、ＵＥ１０２への変調信号（単数または複数）１１５をアップコンバートして送信できる。
【０１３２】
図２は、ＵＥ１０２上でマルチグループ通信を行うための方法２００の一構成を示すフローダイアグラムである。ＵＥ１０２は、複数のセル１１９、１２１を検出２０２できる。例えば、ＵＥ１０２は、１つ以上のセル１１９、１２１の複数のグループを通信のために使用できることを指示する同調信号、ビーコン、メッセージなどを１つ以上のｅＮＢ１６０から受信できる。加えて、または代わりに、ＵＥ１０２は、１つ以上のｅＮＢ１６０と通信するのをＵＥ１０２が求めていることを指示する信号またはメッセージ（例えば、アクセス要求、認証情報など）を１つ以上のｅＮＢ１６０へ送ることができる。この場合に、１つ以上のｅＮＢ１６０は、ＵＥ１０２が１つ以上のｅＮＢ１６０と通信するのを許可する信号を送ることによって応答できる。
【０１３３】
ＵＥ１０２は、通信するためにセル１１９、１２１の複数のグループを使用すべきかどうかを判定２０４できる。ＵＥ１０２がセル１１９、１２１の複数のグループを使用して通信しないと判定２０４した場合、ＵＥ１０２は、セル１１９の単一のグループを使用して通信２０６できる。いくつかの構成では、ＵＥ１０２がセル１１９、１２１の複数のグループを使用して通信することが可能でない場合、あるいは他の理由（例えば、低電池電力、非ＰＣｅｌｌグループでの低チャネル品質など）から、ＵＥ１０２は、セル１１９、１２１の複数のグループを使用して通信しないと判定２０４してもよい。
【０１３４】
ＵＥ１０２が、セル１１９、１２１の複数のグループを使用して通信すると判定２０４した場合、ＵＥ１０２は、各非ＰＣｅｌｌグループのためのＰＳＣｅｌｌを決定２０８できる。例えば、ＵＥ１０２は、１つ以上の非ＰＣｅｌｌグループ・セル１２１（例えば、非ＰＣｅｌｌグループ・セル（単数または複数）１２１のグループ）を使用して、１つ以上のｅＮＢ１６０と通信できる。非ＰＣｅｌｌグループ・セル（単数または複数）１２１は、１つ以上のＳＣｅｌｌを含むことができる。いくつかの構成では、各非ＰＣｅｌｌグループは、異なったサイト（例えば、ｅＮＢ１６０、ＲＲＨ，リピータなど）から送信できる。ＰＳＣｅｌｌ決定モジュール１２８は、各非ＰＣｅｌｌグループのためのプライマリ・セカンダリセル（ＰＳＣｅｌｌ）を決定できる。
【０１３５】
例えば、ＵＥ１０２は、ＵＥ固有の（明示的または暗黙的な）無線リソース管理（ＲＲＣ）シグナリングに基づいて１つ以上のＰＳＣｅｌｌを決定２０８できる。暗黙的なシグナリングの一例では、ランダムアクセスチャネル（ＲＡＣＨ）を用いて構成された（非ＰＣｅｌｌグループにおける）ＳＣｅｌｌが、対応する非ＰＣｅｌｌグループのためのＰＳＣｅｌｌとして決定２０８されてもよい。別の例では、ＰＳＣｅｌｌは、（非ＰＣｅｌｌグループの）グループ構成における最下位のＳＣｅｌｌとして決定２０８されてもよい。さらに別の例では、ＳＣｅｌｌ構成が上りリンク・タイミングのための基準セルを有し、この基準セルがＰＳＣｅｌｌである。例えば、セルインデックス＃０、＃１、＃２、＃３、＃４をもつセルをそれぞれＰＣｅｌｌ、ＳＣｅｌｌ＃１、ＳＣｅｌｌ＃２、ＳＣｅｌｌ＃３およびＳＣｅｌｌ＃４とすることができる。例を続けると、ＳＣｅｌｌ＃２は、上りリンク・タイミングのための基準セルとしてセルインデックス＃１を有することができて、これは、ＳＣｅｌｌ＃１がＳＣｅｌｌ＃２のためのＰＳＣｅｌｌであることを意味する。ＳＣｅｌｌ＃３は、上りリンク・タイミングのための基準セルとしてセルインデックス＃０を有しても、あるいは上りリンク・タイミングのための基準セル・パラメータを有さなくてもよく、これは、ＳＣｅｌｌ＃３がＰＣｅｌｌを含むグループに属することを意味する。
【０１３６】
代わりに、ＵＥ１０２は、ＵＥ固有の明示的なＲＲＣシグナリングに基づいて、１つ以上のＰＳＣｅｌｌを決定２０８できる。例えば、ＵＥ１０２は、（１つ以上の非ＰＣｅｌｌグループのための）１つ以上のＰＳＣｅｌｌを明示的に識別するメッセージを１つ以上のｅＮＢ１６０から受信できる。
【０１３７】
ＵＥ１０２は、送信タイミングを調整すべきかどうかを判定２１０できる。例えば、ＵＥ１０２が１つ以上のタイミングアドバンスコマンドを１つ以上のｅＮＢ１６０から受信した場合、ＵＥ１０２は、上りリンク送信タイミングを調整すると判定２１０できる。しかしながら、ＵＥ１０２がタイミングアドバンスコマンドを受信しなかった場合、ＵＥ１０２は、上りリンク送信タイミングを調整しないと判定２１０できる。
【０１３８】
ＵＥ１０２が上りリンク送信タイミングを調整すると判定２１０した場合、次にＵＥ１０２は、セル１１９、１２１のグループのための上りリンク・タイミングを調整するために、タイミングアドバンスコマンドを使用２１２できる。例えば、ＵＥ１０２は、１つ以上の非ＰＣｅｌｌグループのための送信タイミングを調整できる。例として、ＵＥ１０２は、時間遅延または前進の量を特定するタイミングアドバンスコマンドを使用２１２することによって、ＵＥ１０２から１つ以上のｅＮＢ１６０へ送信される非ＰＣｅｌｌグループ信号のタイミングを進めるか、または遅らせることができる。送信タイミングは、ＰＣｅｌｌグループと１つ以上の非ＰＣｅｌｌグループとの間で異なってもよい。加えて、または代わりに、送信タイミングは、別個の非ＰＣｅｌｌグループ間で異なってもよい。
【０１３９】
一構成において、ＵＥ１０２は、受信されたタイミングアドバンスコマンドを使用２１２することによって、プライマリセル（ＰＣｅｌｌ）の物理上りリンク制御チャネル（ＰＵＣＣＨ）、物理上りリンク共有チャネル（ＰＵＳＣＨ）および／またはサウンディング基準信号（ＳＲＳ）のためのその上りリンク送信タイミングを調整できる。ランダムアクセスレスポンス中で受信されるタイミングアドバンスコマンドは、ＵＥ１０２がランダムアクセスプリアンブルを送った後に、ｅＮＢ  １０６からＵＥ１０２へ送信できる。ｅＮＢ１６０がＵＥ１０２の上りリンク送信タイミングを変更したいときにいつでも、（タイミングアドバンスコマンドＭＡＣ要素を参照する）別に受信されるタイミングアドバンスコマンドをｅＮＢ１６０からＵＥ１０２へ送信できる。
【０１４０】
ランダムアクセスレスポンスの場合には、上記のように１１ビットのタイミングアドバンスコマンドＴＡを使用できる。他の場合には、上記のように６ビットのタイミングアドバンスコマンドＴＡが現在のＮＴＡ値の調整を指示できる。
【０１４１】
典型的には、セカンダリセル（ＳＣｅｌｌ）の物理上りリンク共有チャネル（ＰＵＳＣＨ）および／またはサウンディング基準信号（ＳＲＳ）のための上りリンク送信タイミングは、プライマリセル（ＰＣｅｌｌ）のものと同じにすることができる。しかしながら、異なった送信および／または受信サイト（例えば、異なったｅＮＢ、ＲＲＨまたはリピータなど）を用いて、セル間のアグリゲーションが導入されることがありうる。この場合には、ＵＥ１０２は、各セルまたは１つ以上のセルのグループのための異なった上りリンク送信タイミングを有する必要がありうる。ＵＥ１０２は、１つ以上のグループ（例えば、ＰＣｅｌｌグループおよび／または１つ以上の非ＰＣｅｌｌグループ）のための送信タイミングを制御または調整できる。
【０１４２】
一構成において、ＰＣｅｌｌグループにおける各ＳＣｅｌｌ１１９のＰＵＳＣＨおよび／またはＳＲＳのための上りリンク送信タイミングは、対応するＰＣｅｌｌのための上りリンク送信タイミングと同じにすることができる。本明細書に開示されるシステムおよび方法に従って、非ＰＣｅｌｌグループにおける各ＳＣｅｌｌ１２１のＰＵＳＣＨおよび／またはＳＲＳのための上りリンク送信タイミングは、対応するＰＳＣｅｌｌのための上りリンク送信タイミングと同じにすることができる。
【０１４３】
ＵＥ１０２がランダムアクセスプリアンブルをＰＣｅｌｌまたはＰＳＣｅｌｌで送った後に、そのＰＣｅｌｌまたはＰＳＣｅｌｌでｅＮＢ１６０から送信されてＵＥ１０２によって受信される、ランダムアクセスレスポンス中のタイミングアドバンスコマンドを使用２１２できる。このランダムアクセスレスポンスは、ランダムアクセスレスポンスを含むＰＤＳＣＨをスケジューリングするために使用される識別子である、ランダムアクセス無線ネットワーク一時識別子（ＲＡ−ＲＮＴＩ）を含むＰＤＣＣＨによってスケジューリングできる。
【０１４４】
受信されたランダムアクセスレスポンスに対するＰＣｅｌｌまたはＳＣｅｌｌは、ランダムアクセスレスポンスがどのサービングセル１１９、１２１にスケジューリングされたかによって区別できる。例えば、ＵＥ１０２は、ランダムアクセスレスポンスがどのサービングセルにスケジューリングされたかを判定することによって、どのセル１１９、１２１（例えば、ＰＣｅｌｌ、ＳＣｅｌｌなど）が、受信されたランダムアクセスレスポンスに対応するかを判定できる。ランダムアクセスレスポンスがスケジューリングされたサービングセルは、ランダムアクセスレスポンスのためのＨＡＲＱエンティティ、ＰＤＣＣＨまたはＰＤＳＣＨを有するセル１１９、１２１を識別することによって判定できる。
【０１４５】
一構成において、ＵＥ１０２は、かくしてランダムアクセスレスポンスのためのＨＡＲＱエンティティ、ＰＤＣＣＨまたはＰＤＳＣＨを有するセル１１９，１２１を識別することによって、どのセル１１９、１２１が受信されたランダムアクセスレスポンスに対応するかを判定できる。ＰＣｅｌｌ下りリンク（ＤＬ）にスケジューリングされたランダムアクセスレスポンスは、ＰＣｅｌｌ上りリンクのための上りリンク（ＵＬ）送信タイミング調整に使用できる。ＰＳＣｅｌｌ下りリンク（ＤＬ）にスケジューリングされたランダムアクセスレスポンスは、ＰＳＣｅｌｌ上りリンクのための上りリンク（ＵＬ）送信タイミング調整に使用できる。例えば、ＵＥ１０２は、対応するタイミングアドバンスコマンドに基づいて、（１つ以上の非ＰＣｅｌｌグループにおける）１つ以上の非ＰＣｅｌｌグループ・セル１２１のための送信のタイミングを進めるか、または遅らせることができる。一構成において、非ＰＣｅｌｌグループにおけるＳＣｅｌｌ１２１の送信タイミングは、そのグループにおけるＰＳＣｅｌｌの送信タイミングと一致するように調整できる。
【０１４６】
ｅＮＢ１６０がＵＥ１０２の上りリンク送信タイミングを変更したいときにいつでも、別に受信されるタイミングアドバンスコマンド（例えば、タイミングアドバンスコマンドＭＡＣ要素）をｅＮＢ１６０からＵＥ１０２へ送信できる。受信されたタイミングアドバンスコマンドがＰＣｅｌｌに対するものか、あるいはＰＳＣｅｌｌに対するものかは、タイミングアドバンスコマンドがどのサービングセル１１９、１２１にスケジューリングされたかに基づいて区別できる。タイミングアドバンスコマンドがスケジューリングされたサービングセル１１９，１２１は、タイミングアドバンスコマンドのためのＨＡＲＱエンティティ、ＰＤＣＣＨまたはＰＤＳＣＨを有するセルを識別することによって決定できる。例えば、ＵＥ１０２は、タイミングアドバンスコマンドのためのＨＡＲＱエンティティ、ＰＤＣＣＨまたはＰＤＳＣＨを有するセルを識別することによって、タイミングアドバンスコマンドがどのセル１１９、１２１（例えば、ＰＣｅｌｌ、ＰＳＣｅｌｌなど）に対するものかを判定できる。
【０１４７】
ＰＣｅｌｌ下りリンク（例えば、ＰＣｅｌｌグループ）を含むグループにおける任意のサービングセルにスケジューリングされたタイミングアドバンスコマンドは、ＰＣｅｌｌ上りリンクのための上りリンク送信タイミング調整に使用２１２できる。ＰＣｅｌｌグループにおける任意のＳＣｅｌｌの送信タイミングは、ＰＣｅｌｌの送信タイミングに一致するとよい。
【０１４８】
ＰＳＣｅｌｌ下りリンク（例えば、非ＰＣｅｌｌグループ）を含むグループにおける任意のサービングセル（単数または複数）にスケジューリングされたタイミングアドバンスコマンドは、ＰＳＣｅｌｌ上りリンクのための上りリンク送信タイミング調整に使用２１２できる。例えば、ＵＥ１０２は、対応するタイミングアドバンスコマンドに基づいて、（１つ以上の非ＰＣｅｌｌグループにおける）１つ以上の非ＰＣｅｌｌグループ・セル１２１のための送信のタイミングを進めるか、または遅らせることができる。非ＰＣｅｌｌグループにおける任意のＳＣｅｌｌ１２１の送信タイミングは、対応するＰＳＣｅｌｌの送信タイミングと一致するように調整できる。
【０１４９】
別の構成では、タイミングアドバンスコマンドＭＡＣ制御要素、またはタイミングアドバンスコマンドＭＡＣ制御要素のＭＡＣヘッダーが、コマンドがどのグループに対応するかを指示できる。グループ指示は、対応するグループに含まれるＰＳＣｅｌｌセルのセルインデックスであってもよい。
【０１５０】
ＵＥ１０２が送信タイミングを調整すると判定２１０するかどうかにかかわらず、ＵＥ１０２は、非ＰＣｅｌｌグループにおける基準セル１２１を指定するパス・ロス・パラメータが受信されたかどうかを判定２１４できる。例えば、ＵＥ１０２が「ｐａｔｈｌｏｓｓＲｅｆｅｒｅｎｃｅ−ｒ１１（ｐｓＣｅｌｌ、ｓＣｅｌｌ）」パラメーラを受信した場合、次にＵＥ１０２は、非ＰＣｅｌｌグループにおける基準セル１２１を指定するパス・ロス・パラメータが受信されたと判定２１４できる。しかしながら、例えば、ＵＥ１０２がいかなるパス・ロス・パラメータも受信しない（あるいは例えば、「ｐａｔｈｌｏｓｓＲｅｆｅｒｅｎｃｅ−ｒ１０（ｐＣｅｌｌ、ｓＣｅｌｌ）」を受信した）場合、次にＵＥ１０２は、非ＰＣｅｌｌグループにおける基準セル１２１を指定するいかなるパス・ロス・パラメータも受信されないと判定２１４できる。
【０１５１】
ＵＥ１０２が非ＰＣｅｌｌグループにおける基準セル１２１を指定するパス・ロス・パラメータが受信されたと判定２１４した場合、次にＵＥ１０２は、基準セル１２１に基づいてパス・ロスを決定２１６できる。例えば、ＵＥ１０２は、指定されたセル１２１に対して受信された信号強度を決定できて、受信された信号強度に基づいてパス・ロスを決定２１６できる。例として、ＵＥ１０２は、パス・ロスを決定２１６するために、（ｅＮＢ１６０によって指示されるような）送信信号強度から受信信号強度を引くことができる。いくつかの構成では、ＵＥ１０２は、パス・ロスを指示すべくｅＮＢ１６０へ送信するためのパス・ロス・インジケータを発生できる。
【０１５２】
ＵＥ１０２が非ＰＣｅｌｌグループにおける基準セル１２１を指定するパス・ロス・パラメータが受信されたと判定２１４するかどうかにかかわらず、ＵＥ１０２は、複数のグループを使用して１つ以上のｅＮＢ１６０と通信２１８できる。例えば、ＵＥ１０２は、１つ以上のＰＣｅｌｌグループ・セル１１９および１つ以上の非ＰＣｅｌｌグループ・セル１２１を使用して、１つ以上のｅＮＢ１６０へ情報を送信できる、および／またはそれから情報を受信できる。
【０１５３】
図３は、本明細書に開示されるシステムおよび方法に従って使用できる、ＵＥマルチグループ・オペレーションズ・モジュール３２４の一構成を示すブロックダイアグラムである。一般に、ＵＥマルチグループ・オペレーションズ・モジュール３２４は、ＵＥ１０２が１つ以上のセル１１９、１２１の複数のグループを使用して１つ以上のｅＮＢ１６０と通信することを可能にする。ＵＥマルチグループ・オペレーションズ・モジュール３２４は、マルチグループ判定モジュール３２６、ＰＳＣｅｌｌ決定モジュール３２８、マルチグループ・タイミング・モジュール３３０およびマルチグループ・パス・ロス・モジュール３３４の１つ以上を含むことができる。
【０１５４】
マルチグループ判定ブロック／モジュール３２６は、マルチグループ制御情報３３１を発生できる。マルチグループ通信を可能にするために、マルチグループ制御情報３３１のいくつか、またはすべてが、ＵＥ１０２によって提供され、使用される、および／または１つ以上のｅＮＢへ送信されることができる。
【０１５５】
マルチグループ判定モジュール３２６は、ＵＥ１０２が１つ以上のセル１１９、１２１の複数のグループを使用できるかどうかを判定するために、受信信号情報３２３を使用できる。例えば、この判定は、１つ以上のｅＮＢ１６０から受信されたシグナリングに基づくことができて、このシグナリングは、一方向に、あるいはＵＥ１０２から送られた信号に応答して送られたものである。
【０１５６】
一構成において、ＵＥ１０２は、複数のセル１１９、１２１を検出できる。例えば、ＵＥ１０２は、１つ以上のｅＮＢ１６０がセル１１９、１２１へのアクセスを提供できるかどうかを検出するために、受信信号情報３２３（例えば、１つ以上の周波数帯域）をモニターできる。例として、ＵＥ１０２は、１つ以上のｅＮＢ１６０が通信のためにセル（単数または複数）１１９、１２１を提供できることを指示するブロードキャスト、タイミングまたはビーコン信号を１つ以上のｅＮＢ１６０から受信できる。別の例では、ＵＥ１０２は、信号またはメッセージ（例えば、検索信号またはメッセージ）を１つ以上のｅＮＢ１６０へ送信できる。１つ以上のｅＮＢ１６０は、次にＵＥ１０２に応答して、通信のために１つ以上のセル１１９、１２１を使用できることを指示する信号を送ることができる。
【０１５７】
マルチグループ判定モジュール３２６は、１つ以上のセル１１９、１２１の複数のグループを使用すべきかどうかを判定するために、追加または代わりの情報を使用できる。例えば、ＵＥ１０２は、チャネルまたはセル１１９、１２１の品質、ＵＥ１０２の能力、電池寿命、用途のタイプ（例えば、ストリーミング・メディア、音声通話、緊急事態など）および／または他の要因に基づいて、セル（単数または複数）１１９、１２１の複数のグループを使用すべきかどうかを判定できる。マルチグループ制御情報３３１は、マルチグループ通信を使用すべきかどうかを指示できる。この指示は、ＵＥ１０２がセル１１９、１２１の複数のグループを使用できるようにするために、ＵＥ１０２に提供されうる。
【０１５８】
マルチグループ判定モジュール３２６は、ＵＥ１０２のマルチグループ通信能力を１つ以上のｅＮＢ１６０に通知することもできる。例えば、ＵＥ１０２は、複数の上りリンク・タイミング調整を行うために、１つより多い送信機１５８を有する必要がありうる。マルチグループ制御情報３３１は、ある帯域の組み合わせにおいて複数の上りリンク・タイミング調整をサポートするＵＥ  １２０の能力をｅＮＢ１６０に知らせるために送信されることができる、および／または上りリンク・タイミング調整グループの最大サポート可能数をｅＮＢ１６０に知らせることができる。
【０１５９】
プライマリ・セカンダリセル（ＰＳＣｅｌｌ）決定モジュール３２８は、非ＰＣｅｌｌグループ・セル（単数または複数）１２１の１つ以上のグループのためのＰＳＣｅｌｌを決定できる。一構成において、ＰＳＣｅｌｌ決定ブロック／モジュール３２８は、ＰＳＣｅｌｌ情報３３３を生成するために、ＰＳＣｅｌｌ指定情報３２５を使用できる。ＰＳＣｅｌｌ情報３３３は、各非ＰＣｅｌｌグループのためのプライマリ・セカンダリセル（ＰＳＣｅｌｌ）を指示できる。
【０１６０】
例えば、ＰＳＣｅｌｌ決定モジュール３２８は、ＰＳＣｅｌｌ指定情報３２５に基づいてＰＳＣｅｌｌ情報３３３を生成できる。一構成において、ＰＳＣｅｌｌ指定情報３２５は、ＵＥ固有の（明示的または暗黙的な）無線リソース管理（ＲＲＣ）シグナリングであってもよい。暗黙的なシグナリングの一例では、ランダムアクセスチャネル（ＲＡＣＨ）を用いて構成された（非ＰＣｅｌｌグループにおける）ＳＣｅｌｌが、対応する非ＰＣｅｌｌグループのためのＰＳＣｅｌｌとして決定されてもよい。別の例では、ＰＳＣｅｌｌは、（非ＰＣｅｌｌグループの）グループ構成における最下位のＳＣｅｌｌであってもよい。さらに別の例では、ＳＣｅｌｌ構成が上りリンク・タイミングのための基準セルを有し、この基準セルがＰＳＣｅｌｌである。例えば、セルインデックス＃０、＃１、＃２、＃３、＃４をもつセルをそれぞれＰＣｅｌｌ、ＳＣｅｌｌ＃１、ＳＣｅｌｌ＃２、ＳＣｅｌｌ＃３およびＳＣｅｌｌ＃４とすることができる。例を続けると、ＳＣｅｌｌ＃２は、上りリンク・タイミングのための基準セルとしてセルインデックス＃１を有することができて、これは、ＳＣｅｌｌ＃１がＳＣｅｌｌ＃２のためのＰＳＣｅｌｌであることを意味する。ＳＣｅｌｌ＃３は、上りリンク・タイミングのための基準セルとしてセルインデックス＃０を有しても、あるいは上りリンク・タイミングのための基準セル・パラメータを有さなくてもよく、これは、ＳＣｅｌｌ＃３がＰＣｅｌｌを含むグループに属することを意味する。
【０１６１】
代わりに、ＰＳＣｅｌｌ決定モジュール３２８は、明示的なＰＳＣｅｌｌ指定情報３２５（例えば、ＵＥ固有の明示的なＲＲＣシグナリング）に基づいて、１つ以上のＰＳＣｅｌｌを決定できる。例えば、１つ以上のｅＮＢ１６０は、（１つ以上の非ＰＣｅｌｌグループのための）１つ以上のＰＳＣｅｌｌを明示的に識別するメッセージをＵＥ１０２へ送ることができる。この場合に、ＰＳＣｅｌｌ決定モジュール３２８は、１つ以上の指定されたＰＳＣｅｌｌをＰＳＣｅｌｌ情報３３３に指示できる。
【０１６２】
マルチグループ・タイミング・モジュール３３０は、１つ以上のタイミングアドバンスコマンド３２７に基づいて、１つ以上のグループのための送信タイミングを制御（例えば、調整）できる。マルチグループ・タイミング・モジュール３３０は、１つ以上のタイミング調整３３５を生成できる。例えば、タイミング調整（単数または複数）３３５は、１つ以上の非ＰＣｅｌｌグループのための送信タイミングを調整できる。例として、タイミング調整３３５は、ＵＥ１０２から１つ以上のｅＮＢ１６０へ送信される非ＰＣｅｌｌグループ信号のタイミングを進めるか、または遅らせるために、タイミングアドバンスコマンド（単数または複数）３２７を使用できる。
【０１６３】
マルチグループ・タイミング・モジュール３３０は、図１にマルチグループ・タイミング・モジュール１３０に関連して記載されたようにタイミングを調整できる。例えば、タイミングアドバンスコマンド３２７は、ランダムアクセスレスポンスに含まれてもよく、あるいはＭＡＣ要素であってもよい。上記のように、マルチグループ・タイミング・モジュール３３０は、タイミングアドバンスコマンド３２７がどのセル（単数または複数）１１９、１２１に対応するかを判定できる。
【０１６４】
次にマルチグループ・タイミング・モジュール３３０は、タイミングアドバンスコマンド（単数または複数）３２７によって指示される量だけ１つ以上のセル１１９、１２１の送信タイミングを進めるか、または遅らせるために、１つ以上のタイミング調整（単数または複数）３３５を発生できる。例えば、タイミング調整（単数または複数）３３５は、ＰＣｅｌｌ上りリンク無線フレーム（およびＰＣｅｌｌグループにおける任意のＳＣｅｌｌ１１９に対応する任意の上りリンク無線フレーム）が、ある時間量だけＰＣｅｌｌ下りリンク無線フレームより先行するように調整されなければならないことを指示できる。加えて、または代わりに、タイミング調整（単数または複数）３３５は、ＰＳＣｅｌｌ上りリンク無線フレーム（および対応するＰＳＣｅｌｌグループにおける任意のＳＣｅｌｌ１２１に対応する任意の上りリンク無線フレーム）が、ＰＳＣｅｌｌ下りリンク無線フレームよりある時間量だけ先行するように調整されなければならないことを指示できる。
【０１６５】
マルチグループ・パス・ロス・モジュール３３４は、１つ以上の非ＰＣｅｌｌグループのためのパス・ロス情報３２９に基づいて、１つ以上のパス・ロス・インジケータ３３７を生成するために使用できる。一構成において、マルチグループ・パス・ロス・モジュール３３４は、ＰＣｅｌｌグループのためのパス・ロス情報３２９に基づいて、パス・ロス・インジケータ３３７を生成するために追加的に使用できる。例えば、ＳＣｅｌｌ１２１が非ＰＣｅｌｌグループに属する場合に、マルチグループ・パス・ロス・モジュール３３４は、指定されたセル１２１に対応するパス・ロス・インジケータ３３７を生成できる。パス・ロスを測定するために使用されるセル１２１は、パス・ロス情報３２９（例えば、典型的なパス・ロス・パラメータ「ｐａｔｈｌｏｓｓＲｅｆｅｒｅｎｃｅ−ｒ１０（ｐＣｅｌｌ，ｓＣｅｌｌ）」ではなく、「ｐａｔｈｌｏｓｓＲｅｆｅｒｅｎｃｅ−ｒ１１（ｐｓＣｅｌｌ，ｓＣｅｌｌ）」パラメータ）によって指定できる。
【０１６６】
ＵＥ１０２が複数の上りリンク・タイムアラインメントを用いて構成された場合、各ＳＣｅｌｌ構成におけるＳＣｅｌｌ１２１に対するパス・ロス測定用の基準として、どのＰＳＣｅｌｌ１２１またはＳＣｅｌｌ１２１が使用されるかを指示する「ｐａｔｈｌｏｓｓＲｅｆｅｒｅｎｃｅ−ｒ１１」パラメータをパス・ロス情報３２９に含めることができる。それゆえに、ＳＣｅｌｌ１２１が非ＰＣｅｌｌグループに属する場合には、典型的なパラメータ「ｐａｔｈｌｏｓｓＲｅｆｅｒｅｎｃｅ−ｒ１０（ｐＣｅｌｌ、ｓＣｅｌｌ）」を「ｐａｔｈｌｏｓｓＲｅｆｅｒｅｎｃｅ−ｒ１１（ｐｓＣｅｌｌ、ｓＣｅｌｌ）」パラメータによって置き換えることができる。別の構成では、（例えば、パス・ロス情報３２９によって指示されるように）ＰＣｅｌｌ、ＰＳＣｅｌｌおよびＳＣｅｌｌからの選択を利用できる。より具体的には、ＰＣｅｌｌ、ＰＳＣｅｌｌおよびＳＣｅｌｌからの選択が利用できる（例えば、「ｐａｔｈｌｏｓｓＲｅｆｅｒｅｎｃｅ−ｒ１１（ｐＣｅｌｌ、ｐｓＣｅｌｌ、ｓＣｅｌｌ」パラメータを使用できる）。ｐａｔｈｌｏｓｓＲｅｆｅｒｅｎｃｅ−ｒ１１パラメータは、ｅＮＢからＵＥへ送られることができる。
【０１６７】
図４は、ＵＥ１０２上でマルチグループ通信を行うための方法４００のより具体的な構成を示すフローダイアグラムである。ＵＥ１０２は、複数のセル１１９、１２１を検出４０２できる。例えば、ＵＥ１０２は、上掲の図２のステップ２０２に関連して記載されたように複数のセル１１９、１２１を検出４０２できる。
【０１６８】
ＵＥ１０２は、複数の上りリンク・タイムアラインメントの能力を指示する情報を１つ以上のｅＮＢ１６０へ送信４０４できる。例えば、ＵＥ１０２は、複数タイムアラインメントを使用することがＵＥ１０２にとって可能なことを指示するメッセージまたは信号を１つ以上のｅＮＢ１６０へ送信４０４できる。例として、これは、ＵＥ１０２が複数の送信機１５８を有することを指示できる。
【０１６９】
ＵＥ１０２は、通信するためにセル１１９、１２１の複数のグループを使用すべきかどうかを判定４０６できる。例えば、これは、上掲の図２のステップ２０４に関連して記載されたように行うことができる。ＵＥ１０２が、セル１１９、１２１の複数のグループを使用して通信しないと判定４０６した場合、ＵＥ１０２は、セル１１９の単一のグループを使用して通信４０８できる。
【０１７０】
ＵＥ１０２が、セル１１９、１２１の複数のグループを使用して通信すると判定４０６した場合、ＵＥ１０２は、各非ＰＣｅｌｌグループのためのＰＳＣｅｌｌ１２１を決定４１０できる。これは、上掲の図２のステップ２０８に関連して記載されたように行うことができる。
【０１７１】
ＵＥ１０２は、１つ以上のグループのそれぞれに対して共通検索空間をモニター４１２できる。典型的には、ＰＣｅｌｌに１つだけの共通検索空間があり、ＳＣｅｌｌには共通検索空間がない。しかしながら、本明細書に開示されるシステムおよび方法に従って、１つ以上の追加的な共通検索空間を１つ以上の対応するＰＳＣｅｌｌ（単数または複数）で使用できる。ＵＥ１０２は、上位層のシグナリングによって構成されるような、１つ以上のアクティブ化されたサービングセル１１９、１２１に関する制御情報を求めてＰＤＣＣＨ候補のセットをモニター４１２できる。１つより多いサービングセル１１９、１２１が、ＲＲＣシグナリングによって構成できて、ＭＡＣシグナリングによってサービングセルをアクティブ化または非アクティブ化できる。
【０１７２】
検索空間の観点から、モニター４１２すべきＰＤＣＣＨ候補のセットを定義できる。典型的には、プライマリセル（ＰＣｅｌｌ）１１９上に共通検索空間があり、ＰＣｅｌｌ１１９および／または１つ以上のＳＣｅｌｌ上にＵＥ固有の検索空間がある。この場合には、共通検索空間は、セル固有であってＰＣｅｌｌ上にだけありうる。ＵＥ固有の検索空間は、セル無線ネットワーク一時識別子またはＣ−ＲＮＴＩ（例えば、ユーザ機器識別子（ＵＥＩＤ）によって定義できて、各サービングセル１１９、１２１のために用意できる。
【０１７３】
典型的に、共通検索空間では、様々な種類の情報またはデータを送信できる。例えば、共通検索空間では、システム情報またはページング情報、ランダムアクセス関連情報あるいは通常のＵＥ１０２送信データ１４６をスケジューリングするためのＰＤＣＣＨを送信できる。ＵＥ１０２の物理層は、ＲＮＴＩを用いて上位層によって構成されることができる。ＵＥ１０２は、ＲＮＴＩによってスクランブルされた巡回冗長検査（ＣＲＣ）をもつＰＤＣＣＨをデコードできる。ＰＤＣＣＨによって伝えられる下りリンク制御情報は、添付されたＣＲＣを有しうる。ＣＲＣは、ＲＮＴＩによってスクランブルできる。例えば、ＣＲＣは、ＲＮＴＩとのＸＯＲがとられてもよい。いくつかの場合には、ＵＥ１０２は、ＲＮＴＩを（例えば、それがモニターされるように構成されている場合）モニター４１２できる。ＰＤＣＣＨランダムアクセス関連スケジューリング情報にはＲＡ−ＲＮＴＩおよび一時Ｃ−ＲＮＴＩを使用できる。
【０１７４】
しかしながら、本明細書に開示されるシステムおよび方法に従って、かつ複数のタイムアラインメントを有するためには、ＵＥ１０２がランダムアクセス手順をＰＳＣｅｌｌ１２１で行う必要がありうる。かくして、ランダムアクセスチャネル（ＲＡＣＨ）をもつＳＣｅｌｌを用いて構成されたＵＥ１０２は、ＰＣｅｌｌ１１９における共通検索空間に加えて、ＰＳＣｅｌｌ１２１における共通検索空間でＰＤＣＣＨをモニター４１２することが必要とされうる。ＳＩ−ＲＮＴＩ、Ｐ−ＲＮＴＩおよびＳＰＳ  Ｃ−ＲＮＴＩは、ＰＣｅｌｌ１１９における共通検索空間でモニター４１２すれば十分でありうるので、これらをＰＳＣｅｌｌ１２１でモニターする必要はないであろう。それゆえに、ＰＳＣｅｌｌ１２１における共通検索空間では、マルチグループ・モニタリング・モジュール１３２によってＣ−ＲＮＴＩ、ＲＡ−ＲＮＴＩ、一時Ｃ−ＲＮＴＩ、ＴＰＣ−ＰＵＣＣＨ−ＲＮＴＩおよびＴＰＣ−ＰＵＳＣＨ−ＲＮＴＩがモニター４１２されるとよい。
【０１７５】
ＵＥ１０２は、ｅＮＢ１６０によって割り当てられた場合、１つ以上の非ＰＣｅｌｌグループのためのＰＵＣＣＨを随意的に構成４１４できる。例えば、ＰＣｅｌｌ１１９に対応するＰＵＣＣＨに加えて、ＰＳＣｅｌｌ１２１がＰＵＣＣＨを有することができる。典型的には、ＰＵＣＣＨは、上りリンク送信電力の軽減のためにＰＣｅｌｌ１１９にだけ割り当てることが可能である。しかしながら、ＵＥ１０２が複数の上りリンク・タイムアラインメントを用いて構成された場合、ｅＮＢ１６０は、ＰＵＣＣＨをＰＳＣｅｌｌ１２１に割り当てることができる。例えば、ＵＥ１０２は、１つ以上の非ＰＣｅｌｌグループのためのＰＵＣＣＨを割り当てるメッセージまたはコマンドを１つ以上のｅＮＢ１６０から受信できる。ＵＥ１０２は、それに応じて、１つ以上のｅＮＢ１６０によって指示されるような、１つ以上の非ＰＣｅｌｌグループのためのＰＵＣＣＨを構成４１４すること（例えば、確立する、そこで制御信号を送ることなど）ができる。留意すべきは、ＰＵＣＣＨ上の周期的チャネル品質インジケータ、プリコーディング・マトリックス・インジケータおよび／またはランク・インジケータ（ＣＱＩ／ＰＭＩ／ＲＩ）レポートは、ＲＲＣメッセージを使用してそれらのリソースを準静的に割り当てることができるので、ＰＳＣｅｌｌ１２１におけるＰＵＣＣＨへマッピングされるように修正できることである。
【０１７６】
ＵＥ１０２は、送信タイミングを調節すべきかどうかを判定４１６できる。例えば、ＵＥ１０２が１つ以上のタイミングアドバンスコマンドを１つ以上のｅＮＢ１６０から受信した場合、ＵＥ１０２は、送信タイミングを調整すると判定４１６できる。しかしながら、ＵＥ１０２がいかなる送信タイミングコマンドも受信しなかった場合、ＵＥ１０２は、送信タイミングを調整しないと判定４１６できる。
【０１７７】
ＵＥ１０２が送信タイミングを調整すると判定４１６した場合、次にＵＥ１０２は、セル１１９、１２１のグループのための上りリンク・タイミングを調整するために、タイミングアドバンスコマンドを使用４１８できる。例えば、これは、上掲の図２のステップ２１２に関連して記載されたように行うことができる。
【０１７８】
ＵＥ１０２が送信タイミングを調整すると判定４１６するかどうかにかかわらず、ＵＥ１０２は、非ＰＣｅｌｌグループにおける基準セル１２１を指定するパス・ロス・パラメータが受信されたかどうかを判定４２０できる。例えば、これは、上掲の図２のステップ２１４に関連して記載されたように行うことができる。
【０１７９】
ＵＥ１０２が非ＰＣｅｌｌグループにおける基準セル１２１を指定するパス・ロス・パラメータが受信されたと判定４２０した場合、次にＵＥ１０２は、基準セル１２１に基づいてパス・ロスを決定４２２できる。例えば、これは、上掲の図２のステップ２１６に関連して記載されたように行うことができる。ＵＥ１０２は、パス・ロス・インジケータを送信４２４できる。例えば、ＵＥ１０２は、決定４２２されたパス・ロスに基づいて、パス・ロス・インジケータを発生できる。パス・ロス・インジケータは、基準セルに対してＵＥ１０２によって測定されるようなパス・ロスを特定できる。ＵＥ１０２は、このパス・ロス・インジケータをｅＮＢ１６０へ送信４２４できる。
【０１８０】
ＵＥ１０２が非ＰＣｅｌｌグループにおける基準セル１２１を指定するパス・ロス・パラメータが受信されたと判定４２０するかどうかにかかわらず、ＵＥ１０２は、各非ＰＣｅｌｌグループのためのＰＳＣｅｌｌ上で、１つ以上のＨＡＲＱ−ＡＣＫ（単数または複数）（例えば、ＡＣＫ／ＮＡＣＫ）を随意的に送信４２６できる。例えば、１つ以上のサービングセル１２１の各グループに基づいてＨＡＲＱ−ＡＣＫメッセージ（例えば、１つ以上のＡＣＫ／ＮＡＣＫ）を発生できる。例として、規定量のデータ（例えば、パケット）が誤って受信された（そして例えば、回復できない）ときに、ＵＥ１０２は、否定応答（ＮＡＣＫ）を発生させて、送信４２６できる。加えて、または代わりに、ＵＥ１０２は、正しく受信された指定量のデータ（例えば、パケット）に対して肯定応答（ＡＣＫ）を発生させて、送信４２６できる。いくつかの構成では、グループにおけるＰＳＣｅｌｌ上で、グループにおけるセル１２１に対応するＨＡＲＱ−ＡＣＫ（単数または複数）を送信４２６できる。随意的に、ＰＣｅｌｌ１１９上で、ＰＣｅｌｌグループにおけるセル１１９に対応するＨＡＲＱ−ＡＣＫ（単数または複数）を送信できる。少なくとも１つの非ＰＣｅｌｌグループに対してＰＵＣＣＨが構成４１４された場合には、ＰＳＣｅｌｌ１２１におけるＰＵＣＣＨへＨＡＲＱ−ＡＣＫメッセージ（例えば、１つ以上のＡＣＫ／ＮＡＣＫ）を随意的にマッピングできる。
【０１８１】
ＵＥ１０２は、複数のグループを使用して１つ以上のｅＮＢ１６０と通信４２８できる。例えば、ＵＥ１０２は、１つ以上のＰＣｅｌｌグループ・セル１１９および１つ以上の非ＰＣｅｌｌグループ・セル１２１を使用して、１つ以上のｅＮＢ１６０へ情報を送信できる、および／またはそれらから情報を受信できる。
【０１８２】
図５は、本明細書に開示されるシステムおよび方法に従って使用できる、ＵＥマルチグループ・オペレーションズ・モジュール５２４の別の構成を示すブロックダイアグラムである。一般に、ＵＥマルチグループ・オペレーションズ・モジュール５２４は、ＵＥ１０２が１つ以上のセル１１９、１２１の複数のグループを使用して１つ以上のｅＮＢ１６０と通信することを可能にしうる。ＵＥマルチグループ・オペレーションズ・モジュール５２４は、マルチグループ判定モジュール５２６、ＰＳＣｅｌｌ決定モジュール５２８、マルチグループ・タイミング・モジュール５３０、マルチグループ・モニタリング・モジュール５３２、マルチグループ・パス・ロス・モジュール５３４、マルチグループＰＵＣＣＨモジュール５３６およびマルチグループＨＡＲＱモジュール５３８の１つ以上を含むことができる。
【０１８３】
マルチグループ判定ブロック／モジュール５２６は、マルチグループ制御情報５３１を発生できる。マルチグループ制御情報５３１のいくつかは、マルチグループ通信を可能にするためにＵＥ１０２によって使用される、および／または１つ以上のｅＮＢ１６０へ送信されることができる。マルチグループ判定モジュール５２６は、受信信号情報５２３を使用することもできる。例えば、マルチグループ判定モジュール５２６は、上掲の図３に関連して記載されたマルチグループ判定モジュール３２６と同様に動作できる。
【０１８４】
プライマリ・セカンダリセル（ＰＳＣｅｌｌ）決定モジュール５２８は、非ＰＣｅｌｌグループ・セル（単数または複数）１２１の１つ以上のグループのためのＰＳＣｅｌｌを決定できる。一構成において、ＰＳＣｅｌｌ決定ブロック／モジュール５２８は、ＰＳＣｅｌｌ情報５３３を生成するために、ＰＳＣｅｌｌ指定情報５２５を使用できる。ＰＳＣｅｌｌ情報５３３は、各非ＰＣｅｌｌグループのためのプライマリ・セカンダリセル（ＰＳＣｅｌｌ）を指示できる。例えば、ＰＳＣｅｌｌ決定モジュール５２８は、上掲の図３に関連して記載されたＰＳＣｅｌｌ決定モジュール３２８と同様に動作できる。
【０１８５】
マルチグループ・タイミング・モジュール５３０は、１つ以上のタイミングアドバンスコマンド５２７に基づいて、１つ以上のグループのための上りリンク送信タイミングを制御（例えば、調整）できる。マルチグループ・タイミング・モジュール５３０は、１つ以上のタイミング調整５３５を生成できる。例えば、タイミング調整（単数または複数）５３５は、１つ以上の非ＰＣｅｌｌグループのための送信タイミングを調整できる。例えば、タイミング調整５３５は、ＵＥ１０２から１つ以上のｅＮＢ１６０へ送信される非ＰＣｅｌｌグループ信号のタイミングを進めるか、または遅らせるために、タイミングアドバンスコマンド（単数または複数）５２７を使用できる。マルチグループ・タイミング・モジュール５３０は、上掲の図３に関連して記載されたマルチグループ・タイミング・モジュール３３０と同様にタイミングを調整できる。
【０１８６】
マルチグループ・モニタリング・モジュール５３２は、複数のグループに対して共通検索空間をモニターするために使用できる。例えば、マルチグループ・モニタリング・モジュール５３２は、マルチグループ制御情報５４５を生成するために、下りリンク情報５３９（例えば、１つ以上のＰＤＣＣＨ候補）を使用できる。本明細書に開示されるシステムおよび方法に従って、１つ以上の追加的な共通検索空間を１つ以上の対応するＰＳＣｅｌｌ（単数または複数）で使用できる。ＵＥ１０２は、上位層のシグナリングによって構成されるような、１つ以上のアクティブ化されたサービングセル１１９、１２１に関する制御情報を求めてＰＤＣＣＨ候補のセットをモニターできる。１つより多いサービングセル１１９、１２１が、ＲＲＣシグナリングによって構成できて、ＭＡＣシグナリングによってサービングセルをアクティブ化または非アクティブ化できる。
【０１８７】
検索空間の観点から、モニターすべきＰＤＣＣＨ候補のセット（例えば、下りリンク情報５３９）を定義できる。典型的には、プライマリセル（ＰＣｅｌｌ）１１９上に共通検索空間があり、ＰＣｅｌｌ１１９および／または１つ以上のＳＣｅｌｌ上にＵＥ固有の検索空間がある。この場合には、共通検索空間は、セル固有であってＰＣｅｌｌ１１９上にだけありうる。ＵＥ固有の検索空間は、セル無線ネットワーク一時識別子またはＣ−ＲＮＴＩ（例えば、ユーザ機器識別子（ＵＥＩＤ））によって定義できて、各サービングセル１１９、１２１のために用意できる。
【０１８８】
共通検索空間では、様々な種類の情報またはデータを送信できる。例えば、共通検索空間では、システム情報またはページング情報、ランダムアクセス関連情報あるいは通常のＵＥ１０２送信データ１４６をスケジューリングするためのＰＤＣＣＨを送信できる。マルチグループ・モニタリング・モジュール５３２によって発生したマルチグループ制御情報５４５は、かかる情報（例えば、システム情報またはページング情報のスケジューリング、ランダムアクセス関連情報など）を識別するか、または含むことができる。１つ以上のグループ（例えば、非ＰＣｅｌｌグループ）に対して通信を制御するために、このマルチグループ制御情報５４５を使用できる。
【０１８９】
ＵＥ１０２の物理層は、ＲＮＴＩを用いて上位層によって構成することができる。ＵＥ１０２は、ＲＮＴＩによってスクランブルされた巡回冗長検査（ＣＲＣ）をもつＰＤＣＣＨをデコードできる。ＰＤＣＣＨによって伝えられる下りリンク（制御）情報５３９は、添付されたＣＲＣを有しうる。ＣＲＣは、ＲＮＴＩによってスクランブルできる（かつＵＥ１０２によってスクランブルを解除できる）。例えば、ＣＲＣは、ＲＮＴＩとのＸＯＲがとられてもよい。いくつかの場合には、ＵＥ１０２は、ＲＮＴＩを（例えば、それがモニターされるように構成されている場合）モニターできる。ＰＤＣＣＨランダムアクセス関連スケジューリング情報にはＲＡ−ＲＮＴＩおよび一時Ｃ−ＲＮＴＩを使用できる。
【０１９０】
本明細書に開示されるシステムおよび方法に従い、かつ複数のタイムアラインメントを有するためには、ＵＥ１０２がランダムアクセス手順をＰＳＣｅｌｌ１２１で行う必要がありうる。かくして、ランダムアクセスチャネル（ＲＡＣＨ）をもつＳＣｅｌｌを用いて構成されたＵＥ１０２は、ＰＣｅｌｌ１１９における共通探索空間に加えて、ＰＳＣｅｌｌ１２１における共通探索空間でＰＤＣＣＨをモニターすることが必要とされうる。ＳＩ−ＲＮＴＩ、Ｐ−ＲＮＴＩおよびＳＰＳ  Ｃ−ＲＮＴＩは、ＰＣｅｌｌ１１９における共通検索空間でモニターすれば十分でありうるので、これらをＰＳＣｅｌｌ１２１でモニターする必要はないであろう。それゆえに、ＰＳＣｅｌｌ１２１における共通探索空間では、マルチグループ・モニタリング・モジュール５３２によって、（下りリンク情報５３９に生じうる）Ｃ−ＲＮＴＩ、ＲＡ−ＲＮＴＩ、一時Ｃ−ＲＮＴＩ、ＴＰＣ−ＰＵＣＣＨ−ＲＮＴＩおよびＴＰＣ−ＰＵＳＣＨ−ＲＮＴＩがモニターされるとよい。
【０１９１】
マルチグループ・パス・ロス・モジュール５３４は、１つ以上の非ＰＣｅｌｌグループのためのパス・ロス情報５２９に基づいて、１つ以上のパス・ロス・インジケータ５３７を生成するために使用できる。一構成において、マルチグループ・パス・ロス・モジュール５３４は、ＰＣｅｌｌグループのためのパス・ロス情報５２９に基づいて、パス・ロス・インジケータ５３７を生成するために追加的に使用できる。例えば、マルチグループ・パス・ロス・モジュール５３４は、上掲の図３に関連して記載されたマルチグループ・パス・ロス・モジュール３３４と同様に動作できる。
【０１９２】
マルチグループＰＵＣＣＨモジュール５３６は、１つ以上の非ＰＣｅｌｌグループに対応する１つ以上のＰＵＣＣＨを構成できる。例えば、マルチグループＰＵＣＣＨモジュール５３６は、割り当て情報５４１に基づいて、ＰＵＣＣＨ構成情報５４７を発生できる。例として、ＰＣｅｌｌ１１９に対応するＰＵＣＣＨに加えて、ＰＳＣｅｌｌ１２１がＰＵＣＣＨを有することができる。典型的に、ＰＵＣＣＨは、上りリンク送信電力の軽減のためにＰＣｅｌｌ１１９にだけ割り当てることが可能である。しかしながら、ＵＥ１０２が複数の上りリンク・タイムアラインメントを用いて構成された場合、ｅＮＢ１６０は、ＰＵＣＣＨをＰＳＣｅｌｌ１２１に割り当てることができる。より具体的に、ＵＥ１０２は、１つ以上のＰＵＣＣＨを確立するためのコマンドまたは要求を指示する割り当て情報５４１を１つ以上のｅＮＢ１６０から受信できる。マルチグループＰＵＣＣＨモジュール５３６は、割り当て情報５４１に基づいて、ＵＥ１０２が１つ以上のｅＮＢ１６０との１つ以上のＰＵＣＣＨを確立することを可能にするＰＵＣＣＨ構成情報５４７（例えば、チャネル情報、タイミング情報など）を提供できる。ＰＵＣＣＨ上の周期的チャネル品質インジケータ、プリコーディング・マトリックス・インジケータおよび／またはランク・インジケータ（ＣＱＩ／ＰＭＩ／ＲＩ）レポートは、ＲＲＣメッセージを使用してそれらのリソースを準静的に割り当てることができるので、ＰＳＣｅｌｌ１２１におけるＰＵＣＣＨへマッピングされるように修正できる。
【０１９３】
マルチグループＨＡＲＱモジュール５３８は、誤り情報５４３に基づいて、１つ以上の非ＰＣｅｌｌグループに対する１つ以上のグループＡＣＫ／ＮＡＣＫ  ５４９を発生できる。誤り情報５４３は、１つ以上のｅＮＢ１６０から正しく受信されなかった、および／または復元できなかった情報を特定できる。マルチグループＨＡＲＱモジュール５３８は、誤って受信されたか、または復元できない情報に対応する１つ以上のグループＡＣＫ／ＮＡＣＫ  ５４９を発生できる。グループＡＣＫ／ＮＡＣＫ  ５４９は、１つ以上の特定のセルに対応しうる（例えば、マッピングされることができる）。例えば、グループにおける非ＰＣｅｌｌグループ・セル１２１に対応するハイブリッド自動再送要求肯定応答（ＨＡＲＱ−ＡＣＫ）をグループにおけるＰＳＣｅｌｌ１２１上で送信できる。
【０１９４】
ハイブリッド自動再送要求肯定応答（ＨＡＲＱ−ＡＣＫ）は、ＰＳＣｅｌｌ１２１におけるＰＵＣＣＨへ随意的にマッピングできる。ＨＡＲＱ−ＡＣＫは、１つ以上のサービングセル１２１の各グループに基づいて発生できる。いくつかの構成では、グループにおけるセル１１９、１２１に対応するＨＡＲＱ−ＡＣＫ（単数または複数）（例えば、ＡＣＫ／ＮＡＣＫ）をグループにおけるＰＣｅｌｌ１１９またはＰＳＣｅｌｌ１２１上で送信できる。
【０１９５】
図６は、ｅＮＢ１６０上でマルチグループ通信を行うための方法６００の一構成を示すフローダイアグラムである。ｅＮＢ１６０は、ＵＥ１０２の複数の上りリンク・タイムアラインメントの能力を指示する情報を随意的に受信６０２できる。例えば、ｅＮＢ１６０は、複数の上りリンク送信タイミングアラインメントを使用することがＵＥ１０２にとって可能なことを指示する情報またはメッセージをＵＥ１０２から受信できる。より具体的には、この情報またはメッセージは、ある帯域の組み合わせにおいて複数の上りリンク・タイミング調整をサポートするＵＥ１０２の能力をｅＮＢ１６０に知らせることができる、および／または上りリンク・タイミング調整グループの最大サポート可能数をｅＮＢ１６０に知らせることができる。いくつかの構成では、ｅＮＢ１６０は、複数の上りリンク・タイミング調整をサポートすることがＵＥ１０２にとって可能かどうかをＵＥ１０２に最初に問い合わせる（例えば、ＵＥ１０２へメッセージを送る）ことができる。
【０１９６】
ｅＮＢ１６０は、１つ以上のＰＳＣｅｌｌを指示する無線リソース管理（ＲＲＣ）シグナリングを送信６０４できる。例えば、ｅＮＢ１６０は、ＵＥ固有の（明示的または暗黙的な）無線リソース管理（ＲＲＣ）シグナリングを送ることによって、１つ以上のＰＳＣｅｌｌを指定できる。暗黙的なシグナリングの一例では、ランダムアクセスチャネル（ＲＡＣＨ）を用いて構成された（非ＰＣｅｌｌグループにおける）ＳＣｅｌｌが、対応する非ＰＣｅｌｌグループのためのＰＳＣｅｌｌであってもよい。この例では、ＲＡＣＨを指示または指定するシグナリングが、ＵＥ１０２へのＰＳＣｅｌｌ指定を指示できる。別の例では、ＰＳＣｅｌｌは、（非ＰＣｅｌｌグループの）グループ構成における最下位のＳＣｅｌｌであってもよい。かくして、例として、ＳＣｅｌｌ順位を設定するために使用できるｅＮＢ１６０からのシグナリングが、ＰＳＣｅｌｌを指示してもよい。さらに別の例では、ＳＣｅｌｌ構成が上りリンク・タイミングのための基準セルを有し、この基準セルがＰＳＣｅｌｌである。例えば、セルインデックス＃０、＃１、＃２、＃３、＃４をもつセルをそれぞれＰＣｅｌｌ、ＳＣｅｌｌ＃１、ＳＣｅｌｌ＃２、ＳＣｅｌｌ＃３およびＳＣｅｌｌ＃４とすることができる。例を続けると、ＳＣｅｌｌ＃２は、上りリンク・タイミングのための基準セルとしてセルインデックス＃１を有することができて、これは、ＳＣｅｌｌ＃１がＳＣｅｌｌ＃２のためのＰＳＣｅｌｌであることを意味する。ＳＣｅｌｌ＃３は、上りリンク・タイミングのための基準セルとしてセルインデックス＃０を有しても、あるいは上りリンク・タイミングのための基準セル・パラメータを有さなくてもよく、これは、ＳＣｅｌｌ＃３がＰＣｅｌｌを含むグループに属することを意味する。
【０１９７】
代わりに、ｅＮＢ１６０は、ＵＥ固有の明示的なＲＲＣシグナリングを使用して１つ以上のＰＳＣｅｌｌを指定できる。例えば、ｅＮＢ１６０は、（１つ以上の非ＰＣｅｌｌグループのための）１つ以上のＰＳＣｅｌｌを明示的に識別するメッセージをＵＥ１０２へ送ることができる。
【０１９８】
ｅＮＢ１６０は、タイミングを調整すべきかどうかを判定６０６できる。一構成において、ｅＮＢ１６０は、上りリンク・タイミングを調整すべきかどうかを判定するために、ＵＥ１０２から送られた信号またはメッセージ（例えば、ランダムアクセス要求など）を使用できる。例えば、ｅＮＢ１６０は、ＵＥ１０２からの１つ以上の上りリンク送信が、ある時間フレームまたはスケジュール以内に到着するかどうかを判定できる。ＵＥ１０２からの上りリンク送信がある時間フレーム以内にあるように整合または同期されない場合、ｅＮＢ１６０は、タイミングを調整すると判定６０６できる。しかしながら、ＵＥ１０２からの上りリンク送信がタイムフレーム以内にある場合、ｅＮＢ１６０は、タイミングを調整しないと判定６０６できる。いくつかの構成において、タイムフレームは、直交周波数分割多重（ＯＦＤＭ）シンボルにおけるサイクリックプレフィックスの観点から定義できる。加えて、または代わりに、タイムフレームは、下りリンク無線フレームと上りリンク線無線フレームとの間の時間差の観点から特定できる。用語「同期させる」およびその変形は、時間の正確なアラインメントを示しても、あるいは示さなくてもよいが、複数事象または相互からある時間の範囲内に生じる複数事象の重なりを示しうることに留意すべきである。
【０１９９】
ｅＮＢ１６０がタイミングを調整すると判定６０６した場合、ｅＮＢ１６０は、１つ以上のタイミングアドバンスコマンドを送信６０８できる。例えば、ｅＮＢ１６０は、１つ以上の非ＰＣｅｌｌグループのための送信タイミングを調整するために、タイミングアドバンスコマンドをＵＥ１０２へ送信できる。これによって、ＵＥ  １２０では、ｅＮＢ１６０に対応するＵＥ１０２から送信される非ＰＣｅｌｌグループ信号のタイミングを、ｅＮＢ１６０から送られた１つ以上のタイミングアドバンスコマンドに基づいて、進めるか、または遅らせることができる。
【０２００】
ランダムアクセスレスポンス中のタイミングアドバンスコマンドは、ＵＥ１０２がランダムアクセスプリアンブルを（ｅＮＢ１６０へ）送った後に、ｅＮＢ１６０からＵＥ１０２へ送信６０８できる。ｅＮＢ１６０がＵＥ１０２の上りリンク送信タイミングを変更したいときにいつでも、（タイミングアドバンスコマンドＭＡＣ要素を参照する）別のタイミングアドバンスコマンドをｅＮＢ１６０からＵＥ１０２へ送信６０８できる。ＵＥ１０２の相対位置が、対応するｅＮＢ１６０に対して変化するにつれて、ＲＦ遅延の変化に対処するために、上りリンク送信タイミングを時々調整する必要がありうる。このようにして、ｅＮＢ１６０は、ＵＥからｅＮＢ１６０へのすべての信号が、ほぼ同時に、あるいは直交周波数分割多重（ＯＦＤＭ）シンボルにおけるサイクリックプレフィックス以内にｅＮＢ１６０に到達するように規定できる。タイミングアドバンスコマンドの一構成は、以下のように与えられる。
【０２０１】
ランダムアクセスレスポンスの場合には、１１ビットのタイミングアドバンスコマンドＴＡが、ＴＡ＝０、１、２、．．．、１２８２のインデックス値によってＮＴＡ値を指示できて、タイムアラインメントの量は、ＮＴＡ＝ＴＡ×１６によって与えられる。
【０２０２】
他の場合には、６ビットのタイミングアドバンスコマンドＴＡが、ＴＡ＝０、１、２、．．．、６３のインデックス値によって、現在のＮＴＡ値（ＮＴＡ，ｏｌｄと示される）から新しいＮＴＡ値（ＮＴＡ，ｎｅｗと示される）への調整を指示できて、ＮＴＡ，ｎｅｗ＝ＮＴＡ，ｏｌｄ＋（ＴＡ−３１）×１６である。この場合、正または負の量によるＮＴＡ値の調整が指示するのは、それぞれ与えられた量、上りリンク送信タイミングを進めるか、または遅らせることである。
【０２０３】
ｅＮＢ１６０がタイミングを調整すると判定６０６するかどうかにかかわらず、ｅＮＢ１６０は、１つ以上のセル・グループを使用して制御情報を随意的に送信６１０できる。例えば、ｅＮＢ１６０は、セル１１９，１２１の１つ以上のグループのために通信をスケジューリングできる。例として、ｅＮＢ１６０は、ランダムアクセスレスポンスをＵＥ１０２へ送ることによって、通信リソースをＵＥ１０２に割り当てることができる。いくつかの事例では、ＰＤＣＣＨを使用してスケジューリング情報をＵＥ１０２へ送ることができる。
【０２０４】
例えば、システム情報またはページング情報をスケジューリングするためのＰＤＣＣＨをｅＮＢ１６０によって送信できる。ＵＥ１０２の物理層は、ＲＮＴＩを用いて上位層によって構成することができる。ＰＤＣＣＨによって伝えられる下りリンク制御情報は、添付されたＣＲＣを有しうる。ｅＮＢ１６０は、ＲＮＴＩを使用してＣＲＣをスクランブルできる。例えば、ＣＲＣは、ＲＮＴＩとのＸＯＲがとられてもよい。ＰＤＣＣＨランダムアクセス関連スケジューリング情報にはＲＡ−ＲＮＴＩおよび一時Ｃ−ＲＮＴＩを使用できる。
【０２０５】
一構成では、ＰＳＣｅｌｌをクロスキャリア・スケジューリングすることができない。これは、他のセルがＰＳＣｅｌｌをスケジューリングできないことを意味する。それに対して、ＰＳＣｅｌｌは、他のセルをスケジューリングできる。かくして、例えば、ｅＮＢ１６０は、ＰＳＣｅｌｌを使用して１つ以上のＳＣｅｌｌおよび／またはＰＳＣｅｌｌをスケジューリングできる。しかしながら、ｅＮＢ１６０は、別個のＳＣｅｌｌを使用してＰＳＣｅｌｌをスケジューリングすることはできない。
【０２０６】
ｅＮＢ１６０は、１つ以上のパス・ロス・パラメータを随意的に送信６１２できる。これは、例えば、１つ以上の非ＰＣｅｌｌグループに対して行うことができる。一構成において、ｅＮＢ１６０は、１つ以上の非ＰＣｅｌｌグループに対して１つ以上のパス・ロス・パラメータを管理できる。例えば、ＳＣｅｌｌ１２１が非ＰＣｅｌｌグループに属する場合に、ｅＮＢ１６０は、パス・ロス基準として非ＰＣｅｌｌグループ・セル１２１を指定するために、典型的なパス・ロス・パラメータ（例えば、ｐａｔｈｌｏｓｓＲｅｆｅｒｅｎｃｅ−ｒ１０（ｐＣｅｌｌ，ｓＣｅｌｌ））ではなく、パス・ロス・パラメータ（例えば、ｐａｔｈｌｏｓｓＲｅｆｅｒｅｎｃｅ−ｒ１１（ｐｓＣｅｌｌ，ｓＣｅｌｌ）を発生できる。ｅＮＢ１６０は、このパス・ロス・パラメータをＵＥ１０２へ送信６１２できる。パス・ロス・パラメータは、パス・ロスを測定するためにＵＥ１０２によって使用されるセルを指定できる。
【０２０７】
ｅＮＢ１６０は、１つ以上のパス・ロス・インジケータを随意的に受信６１４できる。例えば、ｅＮＢ１６０は、送信６１２されたパス・ロス・パラメータによって指定された基準セルに対応しＵＥ１０２によって測定されるようなパス・ロスを指示するパス・ロス・インジケータを（ＵＥ１０２から）受信できる。ｅＮＢ１６０は、パス・ロス・インジケータを使用して、ＵＥ１０２への送信を調整する（例えば、信号に対する増幅を増加または減少させる）ことができる。
【０２０８】
ｅＮＢ１６０は、ＰＳＣｅｌｌのためのＰＵＣＣＨを随意的に割り当てる６１６ことができる。例えば、ｅＮＢ１６０は、１つ以上の非ＰＣｅｌｌグループに対応する１つ以上のＰＵＣＣＨを割り当てる６１６ことができる。例えば、ＰＣｅｌｌ１１９に対応するＰＵＣＣＨに加えて、ＰＳＣｅｌｌ１２１がＰＵＣＣＨを有することができる。例として、ＵＥ１０２が複数の上りリンク・タイムアラインメントを用いて構成された場合、ｅＮＢ１６０は、ＰＳＣｅｌｌ１２１にＰＵＣＣＨを割り当てることができる。一構成において、ｅＮＢ１６０は、（ＰＳＣｅｌｌ１２１に）ＰＵＣＣＨを確立することをＵＥ１０２に命じるかまたは要求する構成メッセージまたは要求をＵＥ１０２へ送る。
【０２０９】
ｅＮＢ１６０は、１つ以上のＡＣＫ／ＮＡＣＫを（例えば、１つ以上の非ＰＣｅｌｌグループのための）１つ以上のＰＳＣｅｌｌ上で随意的に受信６１８できる。グループにおける非ＰＣｅｌｌグループ・セル１２１に対応するＡＣＫ／ＮＡＣＫは、グループにおけるＰＳＣｅｌｌ１２１上でｅＮＢ１６０によって受信６１８できる。ＡＣＫ／ＮＡＣＫ（単数または複数）は、ＰＳＣｅｌｌ１２１におけるＰＵＣＣＨへ随意的にマッピングできる。いくつかの構成では、グループにおけるセル１１９、１２１に対応するＨＡＲＱ−ＡＣＫ（単数または複数）をグループにおけるＰＣｅｌｌ１１９またはＰＳＣｅｌｌ１２１上で受信できる。ｅＮＢ１６０は、ＵＥ１０２によって正しく受信されなかった情報を再送信するために、１つ以上のＡＣＫ／ＮＡＣＫを使用できる。
【０２１０】
ｅＮＢ１６０は、１つ以上のセル・グループを使用してＵＥ１０２と通信６２０できる。例えば、ｅＮＢ１６０は、１つ以上のＰＣｅｌｌグループ・セル１１９および１つ以上の非ＰＣｅｌｌグループ・セル１２１を使用して、ＵＥ１０２に対して情報を送信および／または受信できる。
【０２１１】
図７は、ｅＮＢ１６０上でマルチグループ通信を可能にするために使用できるｅＮＢグループ・オペレーションズ・モジュール７８２の一構成を示すブロックダイアグラムである。一般に、ｅＮＢグループ・オペレーションズ・モジュール７８２は、ｅＮＢ１６０が、１つ以上のセル１１９、１２１の複数のグループを使用しているＵＥ１０２と通信することを可能にできる。ｅＮＢグループ・オペレーションズ・モジュール７８２は、グループ送信モジュール７９６、ＰＳＣｅｌｌ指定モジュール７９４、グループ・タイミング・モジュール７８６、グループ・スケジューリング・モジュール７９２、グループ・パス・ロス・モジュール７９０、グループＰＵＣＣＨモジュール７８４およびグループ・ハイブリッド自動再送要求（ＨＡＲＱ）モジュール７８８の１つ以上を含むことができる。
【０２１２】
グループ送信モジュール７９６は、ＵＥ１０２のグループ送信能力を判定できる。例えば、グループ送信モジュール７９６は、１つ以上のｅＮＢ１６０と通信するためにＵＥ１０２が１つ以上のセル１１９、１２１の複数のグループを使用できるかどうかを判定するために、受信信号情報７０７を使用できる。上記のように、ＵＥ１０２は、複数の送信タイミングアラインメントを使用するために、複数の送信機を有する必要がありうる。例として、受信信号情報７０７は、（ある帯域の組み合わせにおいて）複数のタイミング調整がＵＥ１０２にとって可能かどうかを指示できる、および／または上りリンク・タイミング調整グループの最大サポート可能数を指示できる。この判定は、ＵＥ１０２から受信されたシグナリングに基づくことができて、このシグナリングは、一方向に、あるいはｅＮＢ１６０から送られた信号に応答して送られたものである。
【０２１３】
グループ送信モジュール７９６は、マルチグループ通信をサポートすることがＵＥ１０２にとって可能かどうかのその判定に基づいて、グループ構成情報７５７を発生できる。グループ構成情報７５７は、ＵＥ１０２との通信を構成するために使用できる。例として、グループ構成情報７５７は、ＵＥ１０２との追加の情報チャネル（単数または複数）（例えば、セル１２１）を確立すべきかどうか、ＰＳＣｅｌｌ指定情報を送るべきかどうかなどを判定するために使用できる。
【０２１４】
プライマリ・セカンダリセル（ＰＳＣｅｌｌ）指定モジュール７９４は、非ＰＣｅｌｌグループ・セル（単数または複数）１２１の１つ以上のグループのためのＰＳＣｅｌｌを指定できる。例えば、ｅＮＢ１６０は、ＰＳＣｅｌｌとして特定のＳＣｅｌｌを指定するＰＳＣｅｌｌ指定情報７５９を発生できる。いくつかの場合および／または構成において、ＰＳＣｅｌｌ指定情報７５９は、ＵＥ１０２から受信されたグループ通信要求７５１に基づいて発生できる。例えば、ランダムアクセス要求に応答してＰＳＣｅｌｌ指定情報７５９をＵＥ１０２へ送ることができる。代わりに、ｅＮＢ１６０は、ＵＥ１０２へのＰＳＣｅｌｌ指定情報７５９を一方向に発生させて送ることができる。
【０２１５】
例えば、ＰＳＣｅｌｌ指定モジュール７９４は、ＵＥ固有の（明示的または暗黙的な）無線リソース管理（ＲＲＣ）シグナリングを使用して、１つ以上のＰＳＣｅｌｌを指定できる。暗黙的なシグナリングの一例では、ランダムアクセスチャネル（ＲＡＣＨ）を用いて構成された（非ＰＣｅｌｌグループにおける）ＳＣｅｌｌが、対応する非ＰＣｅｌｌグループのためのＰＳＣｅｌｌとして暗黙的に指定されてもよい。別の例では、ＰＳＣｅｌｌは、（非ＰＣｅｌｌグループの）グループ構成における最下位のＳＣｅｌｌとして指定されてもよい。さらに別の例では、ＳＣｅｌｌ構成が上りリンク・タイミングのための基準セルを有し、この基準セルがＰＳＣｅｌｌである。例えば、セルインデックス＃０、＃１、＃２、＃３、＃４をもつセルをそれぞれＰＣｅｌｌ、ＳＣｅｌｌ＃１、ＳＣｅｌｌ＃２、ＳＣｅｌｌ＃３およびＳＣｅｌｌ＃４とすることができる。例を続けると、ＳＣｅｌｌ＃２は、上りリンク・タイミングのための基準セルとしてセルインデックス＃１を有することができて、これは、ＳＣｅｌｌ＃１が、ＳＣｅｌｌ＃２のためのＰＳＣｅｌｌであることを意味する。ＳＣｅｌｌ＃３は、上りリンク・タイミングのための基準セルとしてセルインデックス＃０を有しても、あるいは上りリンク・タイミングのための基準セル・パラメータを有さなくてもよく、これは、ＳＣｅｌｌ＃３がＰＣｅｌｌを含むグループに属することを意味する。
【０２１６】
代わりに、ＰＳＣｅｌｌ指定モジュール７９４は、ＵＥ固有の明示的なＲＲＣシグナリングを使用して、１つ以上のＰＳＣｅｌｌを指定できる。例えば、ｅＮＢ１６０は、（１つ以上の非ＰＣｅｌｌグループのための）１つ以上のＰＳＣｅｌｌを明示的に識別するＰＳＣｅｌｌ指定情報７５９をＵＥ１０２へ送ることができる。
【０２１７】
グループ・タイミング・モジュール７８６は、１つ以上のグループのために送信タイミングを管理できる。例えば、グループ・タイミング・モジュール７８６は、１つ以上の非ＰＣｅｌｌグループのための送信タイミングを調整するために、タイミングアドバンスコマンド７６１をＵＥ１０２へ送ることができる。例として、ｅＮＢ１０２は、与えられた時間と受信された上りリンク無線フレームとの間の時間差を指示するタイミング情報７５３をＵＥ１０２から得ることができる。この差に基づいて、ｅＮＢ１０２は、１つ以上のタイミングアドバンスコマンド７６１を発生できる。ｅＮＢ１６０は、１つ以上のタイミングアドバンスコマンド７６１を送信できる。例えば、グループ・タイミング・モジュール７８６は、１つ以上の非ＰＣｅｌｌグループのための送信タイミングを調整するために、タイミングアドバンスコマンド７６１をＵＥ１０２へ送信できる。これによって、ＵＥ  １０２は、ｅＮＢ１６０に対応するＵＥ１０２から送信される非ＰＣｅｌｌグループ信号のタイミングを、ｅＮＢ１６０から送られた１つ以上のタイミングアドバンスコマンド７６１に基づいて、進めるか、または遅らせることができる。
【０２１８】
ランダムアクセスレスポンス中のタイミングアドバンスコマンド７６１は、ＵＥ１０２がランダムアクセスプリアンブル（例えば、グループ通信要求７５１）をｅＮＢ  １６０へ送った後に、ｅＮＢ  １６０からＵＥ１０２へ送信できる。ｅＮＢ１６０がＵＥ１０２の上りリンク送信タイミングを変更したいときにいつでも、（タイミングアドバンスコマンドＭＡＣ要素を参照する）別のタイミングアドバンスコマンド７６１をｅＮＢ１６０からＵＥ１０２へ送信できる。ＵＥ１０２の相対位置が、対応するｅＮＢ１６０に対して変化するにつれて、ＲＦ遅延の変化に対処するために、上りリンク送信タイミングを時々調整することがありうる。このようにして、ｅＮＢ１６０は、ＵＥからｅＮＢ１６０へのすべての信号が、ほぼ同時に、あるいは直交周波数分割多重（ＯＦＤＭ）シンボルにおけるサイクリックプレフィックス以内に、ｅＮＢ１６０に到達するように規定できる。タイミングアドバンスコマンド７６１の一構成は、以下のように与えられる。
【０２１９】
ランダムアクセスレスポンスの場合には、１１ビットのタイミングアドバンスコマンドＴＡ７６１が、ＴＡ＝０、１、２、．．．、１２８２のインデックス値によってＮＴＡ値を指示できて、タイムアラインメントの量は、ＮＴＡ＝ＴＡ×１６によって与えられる。
【０２２０】
他の場合には、６ビットのタイミングアドバンスコマンドＴＡ７６１が、ＴＡ＝０、１、２、．．．、６３のインデックス値によって現在のＮＴＡ値（ＮＴＡ，ｏｌｄと示される）から新しいＮＴＡ値（ＮＴＡ，ｎｅｗと示される）への調整を指示できて、ＮＴＡ，ｎｅｗ＝ＮＴＡ，ｏｌｄ＋（ＴＡ−３１）×１６である。この場合、正または負の量によるＮＴＡ値の調整が指示するのは、それぞれ与えられた量だけ上りリンク送信タイミングを進めるか、または遅らせることである。
【０２２１】
グループ・スケジューリング・モジュール７９２は、セル１１９、１２１の１つ以上のグループのための通信をスケジューリングするために使用できる。例えば、グループ・スケジューリング・ブロック／モジュール７９２は、ランダムアクセスレスポンスをＵＥ１０２へ送ることによって通信リソースをＵＥ１０２へ割り当てる、マルチグループ制御情報７６３を発生できる。これは、グループ通信要求７５１（例えば、ランダムアクセス要求）に応答して行うことができる。いくつかの事例では、ＰＤＣＣＨを使用してスケジューリング情報（例えば、マルチグループ制御情報７６３）をＵＥ１０２へ送ることができる。
【０２２２】
例えば、システム情報またはページング情報をスケジューリングするための（例として、マルチグループ制御情報７６３を含む）ＰＤＣＣＨをｅＮＢ１６０によって送信できる。ＵＥ１０２の物理層は、ＲＮＴＩを用いて上位層によって構成することができる。ＰＤＣＣＨによって伝えられるマルチグループ（下りリンク）制御情報７６３は、添付されたＣＲＣを有しうる。ｅＮＢ１６０は、ＲＮＴＩを使用してＣＲＣをスクランブルできる。例えば、ＣＲＣは、ＲＮＴＩとのＸＯＲをとられてもよい。ＰＤＣＣＨランダムアクセス関連スケジューリング情報にはＲＡ−ＲＮＴＩおよび一時Ｃ−ＲＮＴＩを使用できる。
【０２２３】
一構成では、ＰＳＣｅｌｌをクロスキャリア・スケジューリングすることはできない。これは、他のセルがＰＳＣｅｌｌをスケジューリングできないことを意味する。それに対して、ＰＳＣｅｌｌは、他のセルをスケジューリングできる。かくして、例えば、ｅＮＢ１６０は、ＰＳＣｅｌｌを使用して１つ以上のＳＣｅｌｌおよび／またはＰＳＣｅｌｌをスケジューリングするために、マルチグループ構成情報７６３を使用できる。しかしながら、ｅＮＢ１６０は、別個のＳＣｅｌｌを使用してＰＳＣｅｌｌをスケジューリングすることはできない。
【０２２４】
１つ以上の非ＰＣｅｌｌグループに対する１つ以上のパス・ロス・パラメータを管理するために、グループ・パス・ロス・モジュール７９０を使用できる。例えば、ＳＣｅｌｌ１２１が非ＰＣｅｌｌグループに属する場合に、グループ・パス・ロス・モジュール７９０は、パス・ロス基準として非ＰＣｅｌｌグループ・セル１２１を指定するために、典型的なパス・ロス・パラメータ（例えば、ｐａｔｈｌｏｓｓＲｅｆｅｒｅｎｃｅ−ｒ１０（ｐＣｅｌｌ，ｓＣｅｌｌ））ではなく、１つ以上のパス・ロス・パラメータ７６５（例えば、ｐａｔｈｌｏｓｓＲｅｆｅｒｅｎｃｅ−ｒ１１（ｐｓＣｅｌｌ，ｓＣｅｌｌ）を発生できる。１つ以上のパス・ロス・パラメータ７６５は、ＵＥ１０２へ送信できる。パス・ロス・パラメータ７６５は、パス・ロスを測定するためにＵＥ１０２によって使用されるセルを指定できる。
【０２２５】
グループＰＵＣＣＨモジュール７８４は、１つ以上の非ＰＣｅｌｌグループに対応する１つ以上のＰＵＣＣＨを割り当てる、ＰＵＣＣＨ構成情報７６７を発生させるために使用できる。例えば、ＰＣｅｌｌ１１９に対応するＰＵＣＣＨに加えて、ＰＳＣｅｌｌ１２１がＰＵＣＣＨを有することができる。典型的には、ＰＵＣＣＨは、上りリンク送信電力の軽減のためにＰＣｅｌｌ１１９にだけ割り当てることが可能である。しかしながら、ＵＥ１０２が複数の上りリンク・タイムアラインメントを用いて構成された場合、ｅＮＢ１６０は、ＰＵＣＣＨ構成情報７６７をＵＥ１０２へ送ることによって、ＰＵＣＣＨをＰＳＣｅｌｌ１２１に割り当てることができる。
【０２２６】
グループＨＡＲＱモジュール７８８は、１つ以上の非ＰＣｅｌｌグループに対する１つ以上のＡＣＫ／ＮＡＣＫ７５５を受信できる。ｅＮＢ１６０は、ＵＥ１０２によって正しく受信されなかった情報を再送信するために、１つ以上のＡＣＫ／ＮＡＣＫ７５５を使用できる。例えば、グループＨＡＲＱモジュール７８８は、再送信情報７６９を発生できる。再送信情報７６９は、ＵＥ１０２へ再送信されるべきデータを特定できる。
【０２２７】
グループにおける非ＰＣｅｌｌグループ・セル１２１に対応するＡＣＫ／ＮＡＣＫ７５５は、ｅＮＢ１６０によってグループにおけるＰＳＣｅｌｌ１２１上で受信できる。ＡＣＫ／ＮＡＣＫ（単数または複数）７５５は、ＰＳＣｅｌｌ１２１におけるＰＵＣＣＨへ随意的にマッピングできる。いくつかの構成では、グループにおけるセル１１９、１２１に対応するＨＡＲＱ−ＡＣＫ（単数または複数）７５５をグループにおけるＰＣｅｌｌ１１９またはＰＳＣｅｌｌ１２１上で受信できる。
【０２２８】
図８は、上りリンク送信タイミングの一例を示すダイアグラムである。ＵＥ１０２からの上りリンク無線フレーム番号ｉ８７５の送信は、対応する下りリンク無線フレームｉ８７１のＵＥ１０２での開始のＮＴＡ×ＴＳ秒８７３前に開始できる。但し、０≦ＮＴＡ≦２０５１２およびＴＳ＝１／（１５０００×２０４８）秒である。言い換えれば、ＵＥ１０２は、対応する下りリンク無線フレームｉ８７１を受信するＮＴＡ×ＴＳ秒８７３前に上りリンク無線フレームｉ８７５を送信し始めるとよい。
【０２２９】
図９は、上りリンク送信タイミングの別の例を示すダイアグラムである。１つ以上のＳＣｅｌｌの（例えば、ＰＵＳＣＨおよび／またはＳＲＳのための）上りリンク送信タイミングは、ＰＣｅｌｌと同じである。図９に示されるように、ＵＥ１０２からのＰＣｅｌｌ上りリンク無線フレーム番号ｉ９７９の送信は、対応するＰＣｅｌｌ下りリンク無線フレームｉ９７７のＵＥ１０２での開始のＮＴＡ×ＴＳ秒９８１前に開始できる。ＵＥ１０２からの１つ以上のＳＣｅｌｌ上りリンク無線フレーム番号ｉ９８５ａ〜ｃの送信は、ＰＣｅｌｌ下りリンク無線フレームｉ９７７のＵＥ１０２での開始のＮＴＡ×ＴＳ秒９８１前に開始できる。図９に見られるように、下りリンク無線フレーム番号ｉ９８３ａ〜ｃは、タイミングが変動してもよい。
【０２３０】
図１０は、配備シナリオの一例を示すブロックダイアグラムである。この例では、２つのｅＮＢ１０６０ａ〜ｂがいずれもＵＥ１００２と通信できる。ｅＮＢ  Ａ１０６０ａは、ＵＥ１００２と通信するための１つ以上のアンテナ１０８０ａ〜ｍを含むことができる。ｅＮＢ  Ｂ１０６０ｂは、ＵＥ１００２と通信するための１つ以上のアンテナ１０８０ｎ〜ｚを含むことができる。ＵＥ１００２は、ｅＮＢ  Ａ１０６０ａおよびｅＮＢ  Ｂ１０６０ｂと通信するためのアンテナ１０２２ａ〜ｎを含むことができる。この例では、ＵＥ１００２は、２つのノンコロケーテッド・サイト（例えば、ｅＮＢ１０６０ａ〜ｂ）と複数のキャリア上で通信できる。図示されるように、各通信経路１０８７ａ〜ｂは、異なった伝搬環境にありうる。これは、経路Ａ１０８７ａおよび経路Ｂ１０８７ｂ上の通信フレームに対して上りリンク送信タイミングに差をもたらしうる。一構成において、セルまたはチャネルの１つのグループを経路Ａ１０８７ａ上に確立できる一方で、セルまたはチャネルの別のグループを経路Ｂ１０８７ｂ上に確立できる。図１０に示されるシナリオは、リモート・アンテナまたはリモート・レディオ・ヘッドで同様に生じうるであろう。
【０２３１】
図１１は、配備シナリオの別の例を示すブロックダイアグラムである。この例では、ｅＮＢ  １１６０は、複数の信号を使用してＵＥ  １１０２と通信できる。ｅＮＢ  １１６０は、リピータＡおよびＢ  １１８９ａ〜ｂを経由してＵＥ１１０２と通信するために、１つ以上のアンテナ１１８０ａ〜ｎを含むことができる。リピータＡ  １１８９ａは、ｅＮＢ  １１６０および／またはＵＥ  １１０２と通信するために１つ以上のアンテナ１１９１ａ〜ｍを含むことができる。リピータＢ  １１８９ｂは、ｅＮＢ  １１６０および／またはＵＥ  １１０２と通信するために１つ以上のアンテナ１１９１ｎ〜ｚを含むことができる。ＵＥ  １１０２は、リピータＡおよびＢ  １１８９ａ〜ｂを経由してｅＮＢ  １１６０と通信するためにアンテナ１１２２ａ〜ｎを含むことができる。この例では、ＵＥ  １１０２は、経路ＡおよびＢ１１８７ａ〜ｂを通してｅＮＢ  １１６０と通信できる。図示されるように、各通信経路１１８７ａ〜ｂは、異なった伝搬環境にありうる。これは、経路Ａ  １１８７ａおよび経路Ｂ  １１８７ｂ上の通信フレームに対して上りリンク送信タイミングに差をもたらしうる。例えば、異なったコンポーネントキャリアは、リピータ１１８９ａ〜ｂの異なった周波数選択性ゆえに、経路Ａ  １１８７ａと経路Ｂ  １１８７ｂとの間で実質的に異なった伝搬環境になりえ、それゆえに異なった飛行時間になりうるであろう。一構成において、セルまたはチャネルの１つのグループを経路Ａ１１８７ａ上に確立できる一方で、セルまたはチャネルの別のグループを経路Ｂ１１８７ｂ上に確立できる。
【０２３２】
図１２は、複数のセル・グループ１２９３ａ〜ｂでの上りリンク送信タイミングの一例を示すダイアグラムである。この例では、グループＡ  １２９３ａがＰＣｅｌｌ１２９５およびＳＣｅｌｌ１  １２９７ａを含むことが分かる。さらに、グループＢ１２９３ｂは、ＰＳＣｅｌｌ（例えば、ＳＣｅｌｌ２）１２９７ｂ、ＳＣｅｌｌ３  １２９７ｃおよびＳＣｅｌｌ４  １２９７ｄを含む。グループＡ１２９３ａでは、ＳＣｅｌｌ１  １２９７ａの（例えば、ＰＵＳＣＨおよび／またはＳＲＳのための）上りリンク送信タイミング１２９９ａは、グループＡ１２９３ａにおける対応するＰＣｅｌｌ１２９５のための上りリンク送信タイミング１２９９ａと同じにすることができる。より具体的には、ＳＣｅｌｌ１上りリンク無線フレームｉ１２８５のための上りリンク送信タイミング１２９９ａは、ＰＣｅｌｌ上りリンク無線フレームｉ１２７９の上りリンク送信タイミング１２９９ａに整合できる（例えば、ほぼ一致するように調整できる）。図１２に示されるように、ＰＣｅｌｌ上りリンク無線フレームｉ１２７９の送信タイミング１２９９ａは、ＰＣｅｌｌ下りリンク無線フレームｉ１２７７に基づく。ＳＣｅｌｌ１下りリンク無線フレームｉ１２８３のタイミングは、変動してもよい。
【０２３３】
グループＢ  １２９３ｂでは、ＳＣｅｌｌ３  １２９７ｃの（例えば、ＰＵＳＣＨおよび／またはＳＲＳのための）上りリンク送信タイミング１２９９ｂは、グループＢ１２９３ｂにおける対応するＰＳＣｅｌｌ（ＳＣｅｌｌ２）１２９７ｂのための上りリンク送信タイミング１２９９ｂと同じにすることができる。より具体的には、ＳＣｅｌｌ３上りリンク無線フレームｉ１２０４ｂのための上りリンク送信タイミング１２９９ｂは、ＰＳＣｅｌｌ（ＳＣｅｌｌ２）上りリンク無線フレームｉ１２０４ａの上りリンク送信タイミング１２９９ｂに整合できる（例えば、ほぼ一致するように調整できる）。図１２に示されるように、ＰＳＣｅｌｌ（ＳＣｅｌｌ２）上りリンク無線フレームｉ１２０４ａの送信タイミング１２９９ｂは、ＰＳＣｅｌｌ（ＳＣｅｌｌ２）下りリンク無線フレームｉ１２０２ａに基づく。ＳＣｅｌｌ３下りリンク無線フレームｉ１２０２ｂ、およびＳＣｅｌｌ４下りリンク無線フレームｉ１２０２ｃのためのタイミングは、変動してもよい。図１２に示されるように、複数のサービングセルのコンセプトは、各サービングセル１２９５、１２９７ａ〜ｄが、それぞれの下りリンク１２７７、１２８３、１２０２ａ〜ｃを有し、随意的にそれぞれの上りリンク１２７９、１２８５、１２０４ａ〜ｂを有してもよいとすることができる。各サービング下りリンク・キャリアおよび上りリンク・キャリアは、１つのサービングセル１２９５、１２９７ａ〜ｄに属することができる。
【０２３４】
図１３は、ランダムアクセスレスポンス１３１４、１３１６における上りリンク送信タイミング調整１３１８、１３２０の一例を示すダイアグラムである。この例では、２つのグループ１３９３ａ〜ｂが示される。グループＡ１３９３ａは、ＰＣｅｌｌ下りリンク１３０６、ＰＣｅｌｌ上りリンク１３０８、ＳＣｅｌｌ１下りリンク１３１０ａおよびＳＣｅｌｌ１上りリンク１３１２ａを含む。ＰＣｅｌｌ下りリンク１３０６は、ＰＣｅｌｌ上りリンク１３０８およびＳＣｅｌｌ上りリンク１３１２ａ上のタイミング調整１３１８に使用されるランダムアクセスレスポンス１３１４を含む。
【０２３５】
この例では、グループＢ１３９３ｂは、ＰＳＣｅｌｌ（ＳＣｅｌｌ２）下りリンク１３１０ｂ、ＰＳＣｅｌｌ（ＳＣｅｌｌ２）上りリンク１３１２ｂ、ＳＣｅｌｌ３下りリンク１３１０ｃ、ＳＣｅｌｌ３上りリンク１３１２ｃおよびＳＣｅｌｌ４下りリンク１３１０ｄを含む。ＰＳＣｅｌｌ（ＳＣｅｌｌ２）下りリンク１３１０ｂは、ＰＳＣｅｌｌ（ＳＣｅｌｌ２）上りリンク１３１２ｂおよびＳＣｅｌｌ３上りリンク１３１２ｃ上のタイミング調整１３２０に使用されるランダムアクセスレスポンス１３１６を含む。
【０２３６】
ランダムアクセスレスポンス１３１４、１３１６中のタイミングアドバンスコマンドは、ＵＥ１０２がランダムアクセスプリアンブルをＰＣｅｌｌ下りリンク１３０６またはＰＳＣｅｌｌ下りリンク１３１０ｂで送った後に、ＰＣｅｌｌ下りリンク１３０６またはＰＳＣｅｌｌ下りリンク１３１０ｂでｅＮＢ１６０からＵＥ１０２へ送信できる。ランダムアクセスレスポンス１３１４、１３１６は、ランダムアクセスレスポンス１３１４、１３１６を含むＰＤＳＣＨをスケジューリングするために使用される識別子である、ランダムアクセス無線ネットワーク一時識別子（ＲＡ−ＲＮＴＩ）を含むＰＤＣＣＨによってスケジューリングできる。
【０２３７】
受信されたランダムアクセスレスポンス１３１４、１３１６が対応する、ＰＣｅｌｌ上りリンク１３０８またはＳＣｅｌｌ上りリンク１３１２ａ〜ｃは、ランダムアクセスレスポンス１３１４、１３１６が、どのサービングまたは下りリンク・セル１３０６、１３１０ａ〜ｄにスケジューリングされたかに従って区別できる。例えば、ＵＥは、ランダムアクセスレスポンス１３１４、１３１６がどのサービングセル下りリンク１３０６、１３１０ｂにスケジューリングされたかを判定することによって、どのセル上りリンク１３０８、１３１２ａ〜ｃが、受信されたランダムアクセスレスポンス１３１４、１３１６に対応するかを判定できる。ランダムアクセスレスポンス１３１４、１３１６がスケジューリングされたサービングセル下りリンク１３０６、１３１０ｂは、ランダムアクセスレスポンスのためのＨＡＲＱエンティティ、ＰＤＣＣＨまたはＰＤＳＣＨを有するセル下りリンク１３０６、１３１０ｂを識別することによって判定できる。ＰＣｅｌｌ下りリンク１３０６にスケジューリングされたランダムアクセスレスポンス１３１４は、同じグループ１３９３ａにおけるＰＣｅｌｌ上りリンク１３０８のため、および任意の他のＳＣｅｌｌ（単数または複数）１３１２ａのための上りリンク送信タイミング調整１３１８に使用できる。ＰＳＣｅｌｌ下りリンク１３１０ｂにスケジューリングされたランダムアクセスレスポンス１３１６は、同じグループ１３９３ｂにおけるＰＳＣｅｌｌ上りリンク１３１２ｂおよび任意の他のＳＣｅｌｌ（単数または複数）１３１２ｃのための上りリンク送信タイミング調整１３２０に使用できる。
【０２３８】
図１４は、タイミングアドバンスコマンドＭＡＣ制御要素１４２２、１４２４、１４２６、１４２８、１４３０からの上りリンク送信タイミング調整１４３２、１４３４、１４３６、１４３８、１４４０の一例を示すダイアグラムである。この例では、２つのグループ１４９３ａ〜ｂが示される。グループＡ  １４９３ａは、ＰＣｅｌｌ下りリンク１４０６、ＰＣｅｌｌ上りリンク１４０８、ＳＣｅｌｌ１下りリンク１４１０ａおよびＳＣｅｌｌ１上りリンク１４１２ａを含む。ＰＣｅｌｌ下りリンク１４０６は、ＰＣｅｌｌ上りリンク１４０８およびＳＣｅｌｌ１上りリンク１４１２ａ上のタイミング調整１４３２に使用できるタイミングアドバンスコマンドＭＡＣ制御要素１４２２を含む。ＳＣｅｌｌ１下りリンク１４１０ａは、ＰＣｅｌｌ上りリンク１４０８およびＳＣｅｌｌ１上りリンク１４１２ａ上のタイミング調整１４３４に使用できるタイミングアドバンスコマンドＭＡＣ制御要素１４２４を含む。
【０２３９】
この例では、グループＢ１４９３ｂは、ＰＳＣｅｌｌ（ＳＣｅｌｌ２）下りリンク１４１０ｂ、ＰＳＣｅｌｌ（ＳＣｅｌｌ２）上りリンク１４１２ｂ、ＳＣｅｌｌ３下りリンク１４１０ｃ、ＳＣｅｌｌ３上りリンク１４１２ｃおよびＳＣｅｌｌ４下りリンク１４１０ｄを含む。ＰＳＣｅｌｌ（ＳＣｅｌｌ２）下りリンク１４１０ｂは、ＰＳＣｅｌｌ（ＳＣｅｌｌ２）上りリンク１４１２ｂおよびＳＣｅｌｌ３上りリンク１４１２ｃ上のタイミング調整１４３６に使用できるタイミングアドバンスコマンドＭＡＣ制御要素１４２６を含む。ＳＣｅｌｌ３下りリンク１４１０ｃは、ＰＳＣｅｌｌ（ＳＣｅｌｌ２）上りリンク１４１２ｂおよびＳＣｅｌｌ３上りリンク１４１２ｃ上のタイミング調整１４３８に使用できるタイミングアドバンスコマンドＭＡＣ制御要素１４２８を含む。ＳＣｅｌｌ４下りリンク１４１０ｄは、ＰＳＣｅｌｌ（ＳＣｅｌｌ２）上りリンク１４１２ｂおよびＳＣｅｌｌ３上りリンク１４１２ｃ上のタイミング調整１４４０に使用できるタイミングアドバンスコマンドＭＡＣ制御要素１４３０を含む。
【０２４０】
ｅＮＢ１６０がＵＥの１０２上りリンク送信タイミングを変更したいときにいつでも、タイミングアドバンスコマンドＭＡＣ制御要素１４２２、１４２４、１４２６、１４２８、１４３０をｅＮＢ１６０からＵＥ１０２へ送信できる。受信されたタイミングアドバンスコマンドＭＡＣ制御要素１４２２、１４２４、１４２６、１４２８、１４３０が、ＰＣｅｌｌ１４０８に対するものか、あるいはＰＳＣｅｌｌ１４１２ｂに対するものかは、タイミングアドバンスコマンドＭＡＣ制御要素がどのサービングセル下りリンク１４０６、１４１０ａ〜ｄにスケジューリングされたかに基づいて区別できる。タイミングアドバンスコマンドＭＡＣ制御要素がスケジューリングされたサービングセル下りリンク１４０６、１４１０ａ〜ｄは、タイミングアドバンスコマンドＭＡＣ制御要素１４２２、１４２４、１４２６、１４２８、１４３０のためのＨＡＲＱエンティティ、ＰＤＣＣＨまたはＰＤＳＣＨを有する、セル下りリンク１４０６、１４１０ａ〜ｄを識別することによって判定できる。ＰＣｅｌｌ下りリンク１４０６を含むグループ１４９３ａにおける任意のサービングセル下りリンク１４０６、１４１０ａにスケジューリングされたタイミングアドバンスコマンドＭＡＣ制御要素１４２２、１４２４は、同じグループ１４９３ａにおけるＰＣｅｌｌ上りリンク１４０８のため、および任意のＳＣｅｌｌ上りリンク（単数または複数）１４１２ａのための上りリンク送信タイミング調整１４３２、１４３４に使用できる。ＰＳＣｅｌｌ下りリンク１４１０ｂを含むグループ１４９３ｂにおける任意のサービングセル下りリンク１４１０ｂ〜ｄにスケジューリングされたタイミングアドバンスコマンドＭＡＣ制御要素１４２６、１４２８、１４３０は、同じグループ１４９３ｂにおけるＰＳＣｅｌｌ上りリンク１４１２ｂのため、および任意の他のＳＣｅｌｌ上りリンク（単数または複数）１４１２ｃのための上りリンク送信タイミング調整１４３６、１４３８、１４４０に使用できる。別の構成では、タイミングアドバンスコマンドＭＡＣ制御要素１４２２、１４２４、１４２６、１４２８、１４３０のＭＡＣヘッダーが、コマンドがどのグループ１４９３ａ〜ｂに対応するかを指示できる。
【０２４１】
図１５は、複数のグループ１５９３ａ〜ｂにおける共通空間モニタリングの一例を示すダイアグラムである。この例では、２つのグループ１５９３ａ〜ｂが示される。グループ  Ａ  １５９３ａは、ＰＣｅｌｌ下りリンク１５０６、ＰＣｅｌｌ上りリンク１５０８、ＳＣｅｌｌ１下りリンク１５１０ａおよびＳＣｅｌｌ１上りリンク１５１２ａを含む。ＰＣｅｌｌ下りリンク１５０６は、共通検索空間１５４２を含む。ＰＣｅｌｌ上りリンク１５０８は、ランダムアクセスチャネル（ＲＡＣＨ）１５４６および／または物理上りリンク制御チャネル（ＰＵＣＣＨ）１５４８を含む。
【０２４２】
この例では、グループＢ  １５９３ｂは、ＰＳＣｅｌｌ（ＳＣｅｌｌ２）下りリンク１５１０ｂ、ＰＳＣｅｌｌ（ＳＣｅｌｌ２）上りリンク１５１２ｂ、ＳＣｅｌｌ３下りリンク１５１０ｃ、ＳＣｅｌｌ３上りリンク１５１２ｃおよびＳＣｅｌｌ４下りリンク１５１０ｄを含む。ＰＳＣｅｌｌ（ＳＣｅｌｌ２）下りリンク１５１０ｂは、共通検索空間１５４４を含む。ＰＳＣｅｌｌ（ＳＣｅｌｌ２）上りリンク１５１２ｂは、ＲＡＣＨ  １５５０および／またはＰＵＣＣＨ  １５５２を含む。
【０２４３】
典型的には、ＰＣｅｌｌに一つだけの共通検索空間があり、ＳＣｅｌｌには共通検索空間がない。しかしながら、本明細書に開示されるシステムおよび方法に従って、複数の共通検索空間１５４２、１５４４を使用できる。ＵＥ１０２は、上位層のシグナリングによって構成されるような、１つ以上のアクティブ化されたサービングセル下りリンク１５０６、１５１０ａ〜ｄに関する制御情報を求めてＰＤＣＣＨ候補のセットをモニターできる。１つより多いサービングセルが、ＲＲＣシグナリングによって構成できて、ＭＡＣシグナリングによってサービングセルをアクティブ化または非アクティブ化できる。
【０２４４】
検索空間の観点から、モニターすべきＰＤＣＣＨ候補のセットを定義できる。ＰＣｅｌｌ下りリンク１５０６上に共通検索空間１５４２があり、ＰＣｅｌｌ下りリンク１５０６および／または１つ以上のＳＣｅｌｌ下りリンク１５１０ａ〜ｄ上にＵＥ固有の検索空間がある。共通検索空間１５４２は、典型的にはセルに固有であってＰＣｅｌｌ下りリンク１５０６上にだけありうるが、本明細書に開示されるシステムおよび方法に従って、複数の共通検索空間１５４２、１５４４を使用できて、ＰＳＣｅｌｌ１５１０ｂ（例えば、ＳＣｅｌｌ２）上に共通探索空間１５４４を定義できる。ＵＥ固有の検索空間は、セル無線ネットワーク一時識別子またはＣ−ＲＮＴＩ（例えば、ユーザ機器識別子（ＵＥＩＤ）によって定義できて、各サービングセル下りリンク１５０６、１５１０ａ〜ｄのために用意できる。
【０２４５】
共通検索空間１５４２、１５４４では、様々な種類の情報またはデータを送信できる。例えば、共通検索空間１５４２、１５４４では、システム情報またはページング情報、ランダムアクセス関連情報あるいは通常のＵＥデータをスケジューリングするためのＰＤＣＣＨを送信できる。ＵＥ１０２の物理層は、ＲＮＴＩを用いて上位層によって構成することができる。ＵＥ１０２は、ＲＮＴＩによってスクランブルされた巡回冗長検査（ＣＲＣ）をもつＰＤＣＣＨをデコードできる。ＰＤＣＣＨによって伝えられる下りリンク制御情報は、添付されたＣＲＣを有しうる。ＣＲＣは、ＲＮＴＩによってスクランブルできる。例えば、ＣＲＣは、ＲＮＴＩとのＸＯＲがとられてもよい。無線ネットワーク一時識別子（ＲＮＴＩ）のいくつかの例は、システム情報ＲＮＴＩ（ＳＩ−ＲＮＴＩ）、ページングＲＮＴＩ（Ｐ−ＲＮＴＩ）、セルＲＮＴＩ（Ｃ−ＲＮＴＩ）、ランダムアクセスＲＮＴＩ（ＲＡ−ＲＮＴＩ）、セミパーシステント・スケジューリングＣ−ＲＮＴＩ（ＳＰＳ  Ｃ−ＲＮＴＩ）、一時Ｃ−ＲＮＴＩ、送信電力制御物理上りリンク制御チャネルＲＮＴＩ（ＴＰＣ−ＰＵＣＣＨ−ＲＮＴＩ）および送信電力制御物理上りリンク共有チャネルＲＮＴＩ（ＴＰＣ−ＰＵＳＣＨ−ＲＮＴＩ）を含む。いくつかの場合には、ＵＥ１０２は、ＲＮＴＩを（例えば、それがモニターされるように構成されている場合）モニターできる。ＰＤＣＣＨランダムアクセス関連スケジューリング情報にはＲＡ−ＲＮＴＩおよび一時Ｃ−ＲＮＴＩを使用できる。
【０２４６】
複数のタイムアラインメントを有するためには、ＵＥ１０２がランダムアクセス手順をＰＳＣｅｌｌ上りリンク１５１２ｂで行う必要がありうる。かくして、ＰＣｅｌｌ下りリンク１５０６における共通検索空間１５４２に加えて、ＰＳＣｅｌｌ下りリンク１５１０ｂにおける共通検索空間１５４４でＰＤＣＣＨをモニターするために、ＲＡＣＨ１５５０をもつＳＣｅｌｌ１５１２ｂを用いて構成されたＵＥ１０２が必要とされうる。ＳＩ−ＲＮＴＩ、Ｐ−ＲＮＴＩおよびＳＰＳ  Ｃ−ＲＮＴＩは、ＰＣｅｌｌ下りリンク１５０６における共通検索空間１５４２でモニターすれば十分でありうるので、これらをＰＳＣｅｌｌでモニターする必要はないであろう。それゆえに、ＰＳＣｅｌｌ下りリンク１５１０ｂにおける共通検索空間では、ＵＥ１０２によってＣ−ＲＮＴＩ、ＲＡ−ＲＮＴＩ、一時Ｃ−ＲＮＴＩ、ＴＰＣ−ＰＵＣＣＨ−ＲＮＴＩおよびＴＰＣ−ＰＵＳＣＨ−ＲＮＴＩがモニターされるとよい。
【０２４７】
本明細書に開示されるシステムおよび方法に従って、複数のＰＵＣＣＨ１５４８、１５５２を使用できる。（例えば、ｅＮＢ１６０によって割り当てられるように）例えば、ＰＵＣＣＨ１５４８がＰＣｅｌｌ上りリンク１５０８に構成されてもよく、ＰＵＣＣＨ１５５２がＰＳＣｌｌ上りリンク１５１２ｂに構成されてもよい。
【０２４８】
図１６は、ユーザ機器（ＵＥ）１６０２に利用できる様々なコンポーネントを示す。上記のように、ＵＥ１６０２をＵＥ１０２、１００２、１１０２として利用できる。ＵＥ１６０２は、ＵＥ１６０２のオペレーションを制御するプロセッサ１６５４を含む。プロセッサ１６５４は、ＣＰＵと呼ばれてもよい。メモリ１６６０は、リードオンリーメモリ（ＲＯＭ：ｒｅａｄ−ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）、これら２つの組み合わせ、あるいは情報を記憶できてプロセッサ１６５４に命令１６５６ａおよびデータ１６５８ａを与える、任意のタイプのデバイスを含むことができる。メモリ１６６０の一部分は、不揮発性ランダムアクセスメモリ（ＮＶＲＡＭ：ｎｏｎ−ｖｏｌａｔｉｌｅ  ｒａｎｄｏｍ  ａｃｃｅｓｓ  ｍｅｍｏｒｙ）を含むこともできる。プロセッサ１６５４にも命令１６５６ｂおよびデータ１６５８ｂが存在しうる。プロセッサ１６５４に読み込まれた命令１６５６ｂおよび／またはデータ１６５８ｂは、プロセッサ１６５４による実行または処理のために読み込まれるメモリ１６６０からの命令１６５６ａおよび／またはデータ１６５８ａも含むことができる。本明細書に開示されるシステムおよび方法を実装するために、プロセッサ１６５４によって命令１６５６ｂを実行できる。
【０２４９】
ＵＥ１６０２は、データの送信および受信を可能にするために１つ以上の送信機１６５８および１つ以上の受信機１６２０の入った筺体も含むことができる。送信機（単数または複数）１６５８および受信機（単数または複数）１６２０は、１つ以上のトランシーバに組み合わされてもよい。１つ以上のアンテナ１６２２ａ〜ｎを筺体に取り付けて、トランシーバ１６１８に電気的に結合できる。
【０２５０】
ＵＥ１６０２の様々なコンポーネントは、データバスに加えて、電力バス、制御信号バス、およびステータス信号バスを含むことができるバスシステム１６６６によって一緒で結合される。しかしながら、明確さのために、図１６では様々なバスがバスシステム１６６６として図示される。ＵＥ１６０２は、信号の処理に使用するためのデジタル信号プロセッサ（ＤＳＰ：ｄｉｇｉｔａｌ  ｓｉｇｎａｌ  ｐｒｏｃｅｓｓｏｒ）１６６２も含むことができる。ＵＥ１６０２は、ＵＥ１６０２の機能へのユーザ・アクセスを提供する通信インターフェース１６６４も含むことができる。図１６に示されるＵＥ１６０２は、具体的なコンポーネントのリストではなく、機能ブロックダイアグラムである。
【０２５１】
図１７は、ｅｖｏｌｖｅｄ  Ｎｏｄｅ  Ｂ（ｅＮＢ）１７６０に利用できる様々なコンポーネントを示す。ｅＮＢ１７６０は、先に説明されたｅＮＢ１６０、１０６０、１１６０の１つ以上として利用できる。ｅＮＢ１７６０は、ＵＥ１６０２に関して上記に議論されたコンポーネントと同様のコンポーネントを含むことができて、これらのコンポーネントは、プロセッサ１７６８、プロセッサ１７６８に命令１７７０ａおよびデータ１７７２ａを与えるメモリ１７７４、プロセッサ１７６８に存在できるか、またはそれに読み込むことができる命令１７７０ｂおよびデータ１７７２ｂ、（１つの以上のトランシーバ１７７６に組み合わされうる）１つ以上の送信機１７１７および１つ以上の受信機１７７８が入った筺体、トランシーバ（単数または複数）１７７６に電気的に結合された１つ以上のアンテナ１７８０ａ〜ｎ、バスシステム１７８２、信号の処理に使用するためのＤＳＰ  １７７６、通信インターフェース１７７８などを含む。
【０２５２】
用語「コンピュータ可読媒体」は、コンピュータまたはプロセッサによってアクセスできる任意の利用可能な媒体を指す。用語「コンピュータ可読媒体」は、本明細書では、非一時的かつ有形のコンピュータおよび／またはプロセッサ可読媒体を示すことができる。限定ではなく、例として、コンピュータ可読またはプロセッサ可読媒体は、ＲＡＭ、ＲＯＭ、ＥＥＰＲＯＭ、ＣＤ−ＲＯＭまたは他の光ディスク記憶装置、磁気ディスク記憶装置もしくは他の磁気記憶デバイス、あるいは命令の形態の所望のプログラムコードまたはデータ構造を載せるか、または記憶するために使用できて、コンピュータまたはプロセッサによってアクセスできる任意の他の媒体を備えることができる。ディスク（ｄｉｓｋ）およびディスク（ｄｉｓｃ）は、本明細書では、コンパクトディスク（ＣＤ：ｃｏｍｐａｃｔ  ｄｉｓｃ）、レーザディスク（ｌａｓｅｒ  ｄｉｓｃ）、光ディスク（ｏｐｔｉｃａｌ  ｄｉｓｃ）、デジタルバーサタイルディスク（ＤＶＤ：ｄｉｇｉｔａｌ  ｖｅｒｓａｔｉｌｅ  ｄｉｓｃ）、フロッピーディスク（ｆｌｏｐｐｙ  ｄｉｓｋ）およびＢｌｕ−ｒａｙ（登録商標）ディスク（ｄｉｓｃ）を含み、ディスク（ｄｉｓｋ）は、通常、磁気的にデータを再生し、一方でディスク（ｄｉｓｃ）は、レーザを用いて光学的にデータを再生する。
【０２５３】
留意すべきは、本明細書に記載される方法の１つ以上が、ハードウェアに実装されうる、および／またはハードウェアを使用して行われうることである。例えば、本明細書に記載される方法の１つ以上は、チップセット、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）、大規模集積回路（ＬＳＩ：ｌａｒｇｅ  ｓｃａｌｅ  ｉｎｔｅｇｒａｔｅｄ  ｃｉｒｃｕｉｔ）または集積回路などに実装されうる、および／またはそれらを使用して実現されうる。
【０２５４】
本明細書に開示される方法のそれぞれは、記載される方法を達成するための１つ以上のステップまたは実施を含む。本方法のステップおよび／または実施は、特許請求の範囲から逸脱することなく、相互に交換されても、および／または単一のステップに組み合わされてもよい。言い換えれば、記載される方法の適切なオペレーションのためにステップまたは実施の特定の順序が必要とされない限り、特許請求の範囲から逸脱することなく、特定のステップおよび／または実施の順序および／または使用が修正されてもよい。
【０２５５】
当然のことながら、特許請求の範囲は、上記に説明されたまさにその構成およびコンポーネントには限定されない。本明細書に記載される配置、オペレーション、ならびにシステム、方法、および装置の詳細に、特許請求の範囲から逸脱することなく、様々な修正、変更および変形がなされてもよい。
【図１】
0005952830.tif 000002
【図２】
0005952830.tif 000003
【図３】
0005952830.tif 000004
【図４】
0005952830.tif 000005
【図５】
0005952830.tif 000006
【図６】
0005952830.tif 000007
【図７】
0005952830.tif 000008
【図８】
0005952830.tif 000009
【図９】
0005952830.tif 000010
【図１０】
0005952830.tif 000011
【図１１】
0005952830.tif 000012
【図１２】
0005952830.tif 000013
【図１３】
0005952830.tif 000014
【図１４】
0005952830.tif 000015
【図１５】
0005952830.tif 000016
【図１６】
0005952830.tif 000017
【図１７】
0005952830.tif 000018